(57)【要約】  本発明は、ハイブリッド自動再送リクエストにおけるフィードバックタイミングを確定する方法及び装置を提供する。前記方法は、現在使用されているＴＤＤフレーム構造の構成を確定し、前記ＴＤＤ構造の構成がアップ・ダウンリンク構成と特殊サブフレーム構成を含むことと、現在使用されている伝送時間間隔（ＴＴＩ）の大きさを確定することと、前記ＴＤＤフレーム構造の構成及びＴＴＩの大きさに基づき、ＨＡＲＱプロセスにおけるデータ伝送ＴＴＩとそのフィードバックＴＴＩとの相対位置関係、又は初回伝送ＴＴＩ、フィードバックＴＴＩ及び再送ＴＴＩの間の相対位置関係を確定することとを含む。本発明の実施例はさらに通信装置及び記憶媒体を開示する。
2019521564.tif 000002
【特許請求の範囲】
【請求項１】
ハイブリッド自動再送リクエスト（ＨＡＲＱ）におけるフィードバックタイミングを確定する方法であって、
現在使用されているＴＤＤフレーム構造の構成を確定することと、
現在使用されている伝送時間間隔（ＴＴＩ）の大きさを確定することと、
前記ＴＤＤフレーム構造の構成及びＴＴＩの大きさに基づき、ＨＡＲＱプロセスにおけるデータ伝送ＴＴＩとそのフィードバックＴＴＩとの相対位置関係、又は初回伝送ＴＴＩ、フィードバックＴＴＩ及び再送ＴＴＩの間の相対位置関係を確定することとを含む、前記ハイブリッド自動再送リクエスト（ＨＡＲＱ）におけるフィードバックタイミングを確定する方法。
【請求項２】
前記ＴＤＤフレーム構造の構成及びＴＴＩの大きさに基づき、ＨＡＲＱプロセスにおけるデータ伝送ＴＴＩとそのフィードバックＴＴＩとの相対位置関係、又は初回伝送ＴＴＩ、フィードバックＴＴＩ及び再送ＴＴＩの間の相対位置関係を確定することは、
各ＨＡＲＱプロセスの初回伝送ＴＴＩの位置を確定し、且つプリセットフィードバック再送時間関係に基づいて、前記ＴＤＤフレーム構造から該ＨＡＲＱプロセスのフィードバックＴＴＩ及び再送ＴＴＩを選択し、該ＨＡＲＱプロセスのデータ伝送ＴＴＩとそのフィードバックＴＴＩとの相対位置関係、又は初回伝送ＴＴＩ、フィードバックＴＴＩ及び再送ＴＴＩの間の相対位置関係を得て、ここで、一つのＴＴＩが一つだけのＨＡＲＱプロセスのデータを伝送することができ、前記プリセットフィードバック再送時間関係がフィードバックＴＴＩと初回伝送ＴＴＩとの間隔が第一の閾値より大きく、再送ＴＴＩとの間隔が第二の閾値より大きいことを意味することを含むことを特徴とする
請求項１に記載の方法。
【請求項３】
各ＨＡＲＱプロセスの初回伝送ＴＴＩの位置を確定し、且つプリセットフィードバック再送時間関係に基づいて、前記ＴＤＤフレーム構造から該ＨＡＲＱプロセスのフィードバックＴＴＩ及び再送ＴＴＩを選択することは、
ＴＤＤフレーム構造において、第一の伝送ＴＴＩを一つのＨＡＲＱプロセスの初回伝送ＴＴＩとし、前記プリセットフィードバック再送時間関係を満たし、且つ初回伝送ＴＴＩと再送ＴＴＩとの間隔を最小化させる第一のフィードバックＴＴＩと第一の再送ＴＴＩの位置を確定し、且つ第一の伝送ＴＴＩから第一の再送ＴＴＩの１個前の伝送ＴＴＩまでの伝送ＴＴＩの数ｎを確定し、前記第一の伝送ＴＴＩ、第一の再送ＴＴＩと伝送ＴＴＩがずれも同じ伝送方向のＴＴＩであることと、
第一の伝送ＴＴＩから開始するｎ個の同じ方向の伝送ＴＴＩに番号を順次付け、第一の再送ＴＴＩから開始するｎ個の同じ方向の伝送ＴＴＩに番号を順次付け、ここで、同じ番号の前後の２つの伝送ＴＴＩがそれぞれ該番号に対応するＨＡＲＱプロセスの初回伝送ＴＴＩ及び再送ＴＴＩであることと、
各ＨＡＲＱプロセスの初回伝送ＴＴＩと再送ＴＴＩの間に、前記プリセットフィードバック再送時間関係を満たすフィードバックＴＴＩが存在する場合、ＴＤＤフレーム構造のＨＡＲＱプロセス数がｎであることを確定し、且つ各ＨＡＲＱプロセスにおけるデータ伝送ＴＴＩとそのフィードバックＴＴＩとの相対位置関係、又は初回伝送ＴＴＩ、フィードバックＴＴＩ及び再送ＴＴＩの間の相対位置関係を得ることと、
各ＨＡＲＱプロセスの初回伝送ＴＴＩと再送ＴＴＩの間に、前記プリセットフィードバック再送時間関係を満たすフィードバックＴＴＩが存在しない場合、ｎの現在の値に１をプラスし、且つ前記第一の再送ＴＴＩを現在の位置の次の同じ方向の伝送ＴＴＩに移動し、前記第一の伝送ＴＴＩから開始するｎ個の同じ方向の伝送ＴＴＩに番号を順次付け、第一の再送ＴＴＩから開始するｎ個の同じ方向の伝送ＴＴＩに番号を順次付けるステップを戻ることを含むことを特徴とする
請求項２に記載の方法。
【請求項４】
各ＨＡＲＱプロセスにおけるデータ伝送ＴＴＩとそのフィードバックＴＴＩとの相対位置関係、又は初回伝送ＴＴＩ、フィードバックＴＴＩ及び再送ＴＴＩの間の相対位置関係を得ることは、
同一のＨＡＲＱプロセスの初回伝送ＴＴＩ及び再送ＴＴＩの位置に基づき、該ＨＡＲＱプロセスの初回伝送ＴＴＩ及び再送ＴＴＩの間に位置し、且つ前記プリセットフィードバック再送時間関係を満たす該ＨＡＲＱプロセスのフィードバックＴＴＩの選択可能位置を確定することと、
各ＨＡＲＱプロセスの初回伝送ＴＴＩと再送ＴＴＩの位置、及びフィードバックＴＴＩの選択可能位置に基づき、各ＨＡＲＱプロセスのデータ伝送ＴＴＩとそのフィードバックＴＴＩとの相対位置関係、又は初回伝送ＴＴＩ、フィードバックＴＴＩ及び再送ＴＴＩの間の相対位置関係を取得することとを含むことを特徴とする
請求項３に記載の方法。
【請求項５】
各ＨＡＲＱプロセスの初回伝送ＴＴＩと再送ＴＴＩの位置、及びフィードバックＴＴＩの選択可能位置に基づき、各ＨＡＲＱプロセスのデータ伝送ＴＴＩとそのフィードバックＴＴＩとの相対位置関係、又は初回伝送ＴＴＩ、フィードバックＴＴＩ及び再送ＴＴＩの間の相対位置関係を取得するステップは、
各ＨＡＲＱプロセスのフィードバックＴＴＩの選択可能位置を確定することと、
ｘ個の選択可能位置にｙ個のＨＡＲＱプロセスのＨＡＲＱフィードバックを行う必要がある場合、前記ｙ個のＨＡＲＱプロセスのＨＡＲＱフィードバックを前記ｘ個の選択可能位置に均等で割り当て、各選択可能位置にフィードバックするＨＡＲＱプロセスの数がｚ又はｚ＋１個であり、各ＨＡＲＱプロセスのフィードバックＴＴＩの位置を得て、ここで、ｚがｙ／ｘの切り捨てた値であることと、
各ＨＡＲＱプロセスの初回伝送ＴＴＩ、フィードバックＴＴＩ及び再送ＴＴＩの位置に基づき、各ＨＡＲＱプロセスのデータ伝送ＴＴＩとそのフィードバックとの相対位置関係、又は初回伝送ＴＴＩ、フィードバックＴＴＩ及び再送ＴＴＩの間の相対位置関係を出力することとを含むことを特徴とする
請求項４に記載の方法。
【請求項６】
前記ｙ個のＨＡＲＱプロセスのＨＡＲＱフィードバックを前記ｘ個の選択可能位置に均等で割り当てるステップは、
第一の制約条件及び／又は第二の制約条件に基づき、前記ｙ個のＨＡＲＱプロセスのＨＡＲＱフィードバックを前記ｘ個の選択可能位置に均等で割り当てることを含み、
前記第一の制約条件は、第一のＨＡＲＱプロセスの初回伝送時間が第二のＨＡＲＱプロセスの初回伝送より早い場合、前記第一のＨＡＲＱプロセスの初回伝送のＨＡＲＱフィードバックが前記第二のＨＡＲＱプロセスの初回伝送のＨＡＲＱフィードバックよりも遅くないことであり、ここで、第二のＨＡＲＱプロセスと第一のＨＡＲＱプロセスが異なるプロセスであり、
前記第二の制約条件は、第一のＨＡＲＱプロセスの一つの伝送ＴＴＩと第三のＨＡＲＱプロセスの一つの伝送ＴＴＩが異なるアップ・ダウンリンク切り替え周期における同じ位置に位置する場合、前記第一のＨＡＲＱプロセスの一つの伝送ＴＴＩのＨＡＲＱフィードバックと第三のＨＡＲＱプロセスの一つの伝送ＴＴＩのＨＡＲＱフィードバックも、異なるアップ・ダウンリンク切り替え周期におけるほかの同じ位置に位置することであり、ここで、第三のＨＡＲＱプロセスと第一のＨＡＲＱプロセスが同一のＨＡＲＱプロセス又は異なるプロセスであることを指すことを特徴とする
請求項５に記載の方法。
【請求項７】
各無線フレームにおいて、該無線フレームに含まれる全てのＴＴＩに番号を順次付け、前記フィードバックＴＴＩと初回伝送ＴＴＩとの相対位置関係は、フィードバックＴＴＩと初回伝送ＴＴＩとのＴＴＩ間隔であり、
又は、
各サブフレームにおいて、該サブフレームに含まれる全てのＴＴＩに番号を順次付け、前記フィードバックＴＴＩと初回伝送ＴＴＩとの相対位置関係は、フィードバックＴＴＩと初回伝送ＴＴＩとのサブフレーム間隔、それぞれが属するサブフレーム内のフィードバックＴＴＩと初回伝送ＴＴＩの番号であることを特徴とする
請求項１−６のいずれか一項に記載の方法。
【請求項８】
前記第一の伝送時間間隔（ＴＴＩ）を一つのＨＡＲＱプロセスの初回伝送ＴＴＩとし、前記プリセットフィードバック再送時間関係を満たし、且つ初回伝送ＴＴＩと再送ＴＴＩとの間隔を最小化させる第一のフィードバックＴＴＩと第一の再送ＴＴＩの位置を確定する前に、さらに、
予め設定されたＴＴＩ長さに基づいて、前記ＴＤＤフレーム構造の各サブフレームを複数のＴＴＩに分割し、且つ各ＴＴＩのうちの伝送ＴＴＩ及びフィードバックＴＴＩを確定することを含み、ここで、前記フィードバックＴＴＩが伝送ＴＴＩの伝送方向と逆であり、前記伝送ＴＴＩがアップリンク伝送ＴＴＩ又はダウンリンク伝送ＴＴＩであることを特徴とする
請求項３−６のいずか一項に記載の方法。
【請求項９】
前記ＴＤＤフレーム構造の構成は、前記ＴＤＤフレーム構造のアップ・ダウンリンク構成と特殊サブフレーム構成を含み、ここで、アップ・ダウンリンク構成が３ＧＰＰ  ＴＳ  ３６．２１１に定められたＬＴＥ  ＴＤＤアップ・ダウンリンク構成０〜６のいずれかの一つであり、前記特殊サブフレーム構成が３ＧＰＰ  ＴＳ  ３６．２１１に定められた特殊サブフレーム構成０〜９及び新規追加の特殊サブフレーム構成１０のうちの少なくとも一つを含み、前記特殊サブフレーム構成１０におけるＤｗＰＴＳ：ＧＰ：ＵｐＰＴＳの比率が６：２：６であることを特徴とする
請求項１に記載の方法。
【請求項１０】
前記ＴＴＩの長さが０．５ｍｓである場合、
前記ＴＤＤフレーム構造において、各通常サブフレームが２つのＴＴＩに分割され、各通常サブフレームにおけるＴＴＩの伝送方向が該通常サブフレームの伝送方向と同じであり、
前記ＴＤＤフレーム構造において、特殊サブフレームが２つのＴＴＩに分割され、
ここで、特殊サブフレームのＵｐＰＴＳをアップリンクフィードバックの伝送として機能することが許可されない場合、特殊サブフレーム構成０、５、９、１０において、特殊サブフレームの２つのＴＴＩのうちの１番目のＴＴＩがダウンリンク伝送に用いられ、２番目のＴＴＩがデータ伝送に用いられず、特殊サブフレーム構成１、２、３、４、６、７、８において、特殊サブフレームの２つのＴＴＩがいずれもダウンリンク伝送に用いられ、
特殊サブフレームのＵｐＰＴＳをアップリンクフィードバックの伝送として機能することが許可される場合、特殊サブフレーム構成０、５、９、１０において、特殊サブフレームの２つのＴＴＩのうちの１番目のＴＴＩがダウンリンク伝送に用いられ、２番目のＴＴＩがアップリンク伝送に用いられ、特殊サブフレーム構成１、２、３、４、６、７、８において、特殊サブフレームの２つのＴＴＩのうちの１番目のＴＴＩがダウンリンク伝送に用いられ、２番目のＴＴＩがアップリンク伝送及び／又はダウンリンク伝送に用いられることを特徴とする
請求項１に記載の方法。
【請求項１１】
前記ＴＴＩの長さが０．５ｍｓであり、ＴＤＤフレーム構造の構成がＬＴＥ  ＴＤＤアップ・ダウンリンク構成０であり、且つ特殊サブフレームにおけるＵｐＰＴＳがＰＤＳＣＨのＨＡＲＱフィードバック情報を伝送できないように予め設定された場合、
特殊サブフレーム構成０、５、９及び１０であり、且つ無線フレームにおいてＴＴＩに０から番号を順次付けるという番号付け方式を使用する場合、ＵＥがＴＴＩ  ｎ−ｋにおいて、ｋ∈Ｋ’であり、ＰＤＳＣＨ伝送又は、ダウンリンクＳＰＳ解放を示すＰＤＣＣＨ／ＥＰＤＣＣＨを検出し、且つ対応するＨＡＲＱフィードバックを行う必要がある場合、ＵＥはアップリンクＴＴＩ  ｎにおいてＨＡＲＱ−ＡＣＫフィードバックを行い、異なるフィードバックＴＴＩに対応するＫ’の値として、ＴＴＩ４、５、６、１４、１５、１６に対応するＫ’の値が、いずれも｛４｝であり、
特殊サブフレーム構成１、２、３、４、６、７、８であり、且つ無線フレームにおいてＴＴＩに０から番号を順次付けるという番号付け方式を使用する場合、ＵＥがＴＴＩ  ｎ−ｋにおいて、ｋ∈Ｋ’であり、ＰＤＳＣＨ伝送又はダウンリンクＳＰＳ解放を示すＰＤＣＣＨ／ＥＰＤＣＣＨを検出し、且つ対応するＨＡＲＱフィードバックを行う必要がある場合、ＵＥはアップリンクＴＴＩ  ｎにおいてＨＡＲＱ−ＡＣＫフィードバックを行い、異なるフィードバックＴＴＩに対応するＫ’の値として、ＴＴＩ  ４、５、６、７、１４、１５、１６、１７に対応するＫ’の値が、いずれも｛４｝であり、
特殊サブフレーム構成０、５、９及び１０であり、且つ各サブフレーム内においてＴＴＩに０から番号を順次付けるという番号付け方式を使用する場合、ＵＥがサブフレームｎ-ｋのＴＴＩ  ｊにおいて、ｋ∈Ｋ’であり、ｊの値が０〜Ｊ−１であり、Ｊが一つの１ｍｓサブフレーム内のＴＴＩの個数であり、ＰＤＳＣＨ伝送又は、ダウンリンクＳＰＳ解放を示すＰＤＣＣＨ／ＥＦＰＤＣＣＨを検出し、且つ対応するＨＡＲＱ−ＡＣＫフィードバックを行う必要がある場合、アップリンクサブフレームｎのサブフレーム内のＴＴＩ  ｎにおいて対応するＨＡＲＱ−ＡＣＫフィードバックを行い、フィードバックタイミングのダウンリンク関連集合（ｋ，ｊ）はサブフレーム２、３、７、８のＴＴＩ  ０に対応する（ｋ，ｊ）が（２，０）であり、サブフレーム２、７のＴＴＩ  １対応する（ｋ，ｊ）が（２，１）であり、
特殊サブフレーム構成１、２、３、４、６、７、８であり、且つ無線フレームにおいてＴＴＩに０から番号を順次付けるという番号付け方式を使用する場合、ＵＥがサブフレームｎ-ｋのＴＴＩ  ｊにおいて、ｋ∈Ｋ’であり、ｊの値が０〜Ｊ−１であり、Ｊが一つの１ｍｓサブフレーム内のＴＴＩの個数であり、ＰＤＳＣＨ伝送又は、ダウンリンクＳＰＳ解放を示すＰＤＣＣＨ／ＥＦＰＤＣＣＨを検出し、且つ対応するＨＡＲＱ−ＡＣＫフィードバックを行う必要がある場合、アップリンクサブフレームｎのサブフレーム内のＴＴＩ  ｍにおいて対応するＨＡＲＱ−ＡＣＫフィードバックを行い、フィードバックタイミングのダウンリンク関連集合（ｋ，ｊ）はサブフレーム２、３、７、８のＴＴＩ  ０に対応する（ｋ，ｊ）が（２，０）であり、サブフレーム２、３、７、８のＴＴＩ  １に対応する（ｋ，ｊ）が（２，１）であることを特徴とする
請求項１に記載の方法。
【請求項１２】
前記ＴＴＩの長さが４つ又は３つのＯＦＤＭシンボルである場合、
前記ＴＤＤフレーム構造において、各通常サブフレームの各タイムスロットは、長さがそれぞれ４つのＯＦＤＭシンボル及び３つのＯＦＤＭシンボルである２つのＴＴＩに分割され、各通常サブフレームにおけるＴＴＩの伝送方向が該通常サブフレームの伝送方向と同じであり、
前記ＴＤＤフレーム構造において、特殊サブフレームは、長さがそれぞれ４つのＯＦＤＭシンボル、３つのＯＦＤＭシンボル、４つのＯＦＤＭシンボル、及び３つのＯＦＤＭシンボルであるＴＴＩに分割され、
ここで、特殊サブフレームのＵｐＰＴＳをアップリンクフィードバックの伝送として機能することが許可されない場合、
特殊サブフレーム構成０及び５において、特殊サブフレームの４つのＴＴＩのうちの１番目のＴＴＩだけがダウンリンク伝送に用いられ、２−４番目のＴＴＩがデータ伝送に用いられず、
特殊サブフレーム構成１、２、３、６、７、及び８において、特殊サブフレームの４つのＴＴＩのうちの１−３番目のＴＴＩがダウンリンク伝送に用いられ、４番目のＴＴＩがデータ伝送に用いられず、
特殊サブフレーム構成４において、特殊サブフレームの４つのＴＴＩのうちの１−４番目のＴＴＩがダウンリンク伝送に用いられ、
特殊サブフレーム構成９において、特殊サブフレームの４つのＴＴＩのうちの１−２番目のＴＴＩがダウンリンク伝送に用いられ、３−４番目のＴＴＩがデータ伝送に用いられず、
特殊サブフレーム構成１０において、特殊サブフレームの４つのＴＴＩのうちの１−２番目のＴＴＩがダウンリンク伝送に用いられ、４番目のＴＴＩがアップリンク伝送に用いられず、
特殊サブフレームのＵｐＰＴＳをアップリンクフィードバックの伝送として機能することが許可される場合、
特殊サブフレーム構成０及び５において、特殊サブフレームの４つのＴＴＩのうちの１番目のＴＴＩだけがダウンリンク伝送に用いられ、２−３番目のＴＴＩがデータ伝送に用いられず、４番目のＴＴＩがアップリンク伝送に用いられ、
特殊サブフレーム構成１、２、３、６、７及び８において、特殊サブフレームの４つのＴＴＩの１−３番目のＴＴＩがダウンリンク伝送に用いられ、４番目のＴＴＩがアップリンク伝送に用いられ、
特殊サブフレーム構成４において、特殊サブフレームの４つのＴＴＩの１−３番目のＴＴＩがダウンリンク伝送に用いられ、４番目のＴＴＩがアップリンク伝送及び／又はダウンリンク伝送に用いられ、
特殊サブフレーム構成９において、特殊サブフレームの４つのＴＴＩの１−２番目のＴＴＩがダウンリンク伝送に用いられ、３番目のＴＴＩがデータ伝送に用いられず、４番目のＴＴＩがアップリンク伝送に用いられ、
特殊サブフレーム構成１０において、特殊サブフレームの４つのＴＴＩの１−２番目のＴＴＩがダウンリンク伝送に用いられ、３−４番目のＴＴＩがアップリンク伝送に用いられることを特徴とする
請求項１に記載の方法。
【請求項１３】
前記ＴＴＩの長さが２つのＯＦＤＭシンボルである場合、
前記ＴＤＤフレーム構造において、各通常サブフレームが７つのＴＴＩに分割され、各通常サブフレームにおけるＴＴＩの伝送方向が該通常サブフレームの伝送方向と同じであり、
前記ＴＤＤフレーム構造において、特殊サブフレームが７つのＴＴＩに分割され、特殊サブフレーム構成０〜１０に対応し、
特殊サブフレーム構成０及び５において、特殊サブフレームの７つのＴＴＩのうちの１−２番目のＴＴＩがダウンリンク伝送に用いられ、３−６番目のＴＴＩがデータ伝送に用いられず、７番目のＴＴＩがアップリンク伝送に用いられ、
特殊サブフレーム構成１、２、６、７において、特殊サブフレームの７つのＴＴＩのうちの１−５番目のＴＴＩがダウンリンク伝送に用いられ、６番目のＴＴＩがデータ伝送に用いられず、７番目のＴＴＩがアップリンク伝送に用いられ、
特殊サブフレーム構成３、４、８において、特殊サブフレームの７つのＴＴＩのうちの１−６番目のＴＴＩがダウンリンク伝送に用いられ、７番目のＴＴＩがアップリンク伝送に用いられ、
特殊サブフレーム構成９において、特殊サブフレームの７つのＴＴＩのうちの１−３番目のＴＴＩがダウンリンク伝送に用いられ、４−６番目のＴＴＩがデータ伝送に用いられず、７番目のＴＴＩがアップリンク伝送に用いられ、
特殊サブフレーム構成１０において、特殊サブフレームの７つのＴＴＩのうちの１−３番目のＴＴＩがダウンリンク伝送に用いられ、４番目のＴＴＩがデータ伝送に用いられず、５−７番目のＴＴＩがアップリンク伝送に用いられることを特徴とする
請求項１に記載の方法。
【請求項１４】
前記ＴＤＤフレーム構造は新規追加のアップ・ダウンリンク構成１であり、前記新規追加のアップ・ダウンリンク構成１の無線フレーム構造が１０つの１ｍｓのサブフレームを含み、それらが順次に、ダウンリンクサブフレーム、特殊サブフレーム、アップリンクサブフレーム、第一の双方向サブフレーム、第一の双方向サブフレーム、ダウンリンクサブフレーム、特殊サブフレーム、アップリンクサブフレーム、第一の双方向サブフレーム、第一の双方向サブフレームであり、ここで、前記第一の双方向サブフレームにおけるダウンリンク：ＧＰ：アップリンクの比率が７：１：６であり、前記特殊サブフレームのＤｗＰＴＳ：ＧＰ：ＵｐＰＴＳの比率が９：１：４であり、
各前記ＴＴＩの長さが２つのＯＦＤＭシンボルである場合、
各サブフレームが７つのＴＴＩに分割され、ここで、アップリンクサブフレーム又はダウンリンクサブフレームにおけるＴＴＩの伝送方向がそれが属するサブフレームの伝送方向と同じであり、
第一の双方向サブフレームの７つのＴＴＩにおけるＤｗＰＴＳ：ＧＰ：ＵｐＰＴＳの比率が順次に、２：０：０、２：０：０、２：０：０、１：１：０、０：０：２、０：０：２、０：０：２であり、且つ第一の双方向サブフレームのうちの１−４番目のＴＴＩがダウンリンク伝送に用いられ、５−７番目のＴＴＩがアップリンク伝送に用いられ、
特殊サブフレームの７つのＴＴＩにおけるＤｗＰＴＳ：ＧＰ：ＵｐＰＴＳの比率が順次に、２：０：０、２：０：０、２：０：０、２：０：０、１：１：０、０：０：２、０：０：２であり、且つ特殊サブフレームの１−５番目のＴＴＩがダウンリンク伝送に用いられ、６−７番目のＴＴＩがアップリンク伝送に用いられることを特徴とする
請求項１に記載の方法。
【請求項１５】
前記ＴＤＤフレーム構造は新規追加のアップ・ダウンリンク構成２であり、前記新規追加のアップ・ダウンリンク構成２の無線フレーム構造が１０つの１ｍｓのサブフレームを含み、それらが順次に、ダウンリンクサブフレーム、特殊サブフレーム、アップリンクサブフレーム、第二の双方向サブフレーム、第二の双方向サブフレーム、ダウンリンクサブフレーム、特殊サブフレーム、第二の双方向サブフレーム、第二の双方向サブフレーム、第二の双方向サブフレームであり、ここで、前記第二の双方向サブフレームにおけるダウンリンク：ＧＰ：アップリンクの比率が１１：１：２であり、前記特殊サブフレームのＤｗＰＴＳ：ＧＰ：ＵｐＰＴＳの比率が９：１：４であり、
前記ＴＴＩの長さが２つのＯＦＤＭシンボルである場合、
各サブフレームが７つのＴＴＩに分割され、ここで、アップリンクサブフレーム又はダウンリンクサブフレームにおけるＴＴＩの伝送方向がそれが属するサブフレームの伝送方向と同じであり、
第二の双方向サブフレームの７つのＴＴＩにおけるＤｗＰＴＳ：ＧＰ：ＵｐＰＴＳの比率が順次に、２：０：０、２：０：０、２：０：０、２：０：０、２：０：０、１：１：０、０：０：２であり、且つ第二の双方向サブフレームの１−６番目のＴＴＩがダウンリンク伝送に用いられ、７番目のＴＴＩがアップリンク伝送に用いられ、
特殊サブフレームの７つのＴＴＩにおけるＤｗＰＴＳ：ＧＰ：ＵｐＰＴＳの比率が順次に、２：０：０、２：０：０、２：０：０、２：０：０、１：１：０、０：０：２、０：０：２であり、且つ特殊サブフレームの１−５番目のＴＴＩがダウンリンク伝送に用いられ、６−７番目のＴＴＩがアップリンク伝送に用いられることを特徴とする
請求項１に記載の方法。
【請求項１６】
前記ＴＤＤフレーム構造は新規追加のアップ・ダウンリンク構成３であり、前記新規追加のアップ・ダウンリンク構成３の無線フレーム構造は１０つの１ｍｓのサブフレームを含み、それらが順次に、ダウンリンクサブフレーム、特殊サブフレーム、アップリンクサブフレーム、第三の双方向サブフレーム、第三の双方向サブフレーム、ダウンリンクサブフレーム、特殊サブフレーム、アップリンクサブフレーム、第三の双方向サブフレーム、第三の双方向サブフレームであり、ここで、前記第三の双方向サブフレームにおけるダウンリンク：ＧＰ：アップリンクの比率が６：２：６であり、前記特殊サブフレームのＤｗＰＴＳ：ＧＰ：ＵｐＰＴＳの比率が６：２：６であり、
前記ＴＴＩの長さが２つのＯＦＤＭシンボルである場合、
各サブフレームが７つのＴＴＩに分割され、ここで、アップリンクサブフレーム又はダウンリンクサブフレームにおけるＴＴＩの伝送方向がそれが属するサブフレームの伝送方向と同じであり、
第三の双方向サブフレームの７つのＴＴＩにおけるＤｗＰＴＳ：ＧＰ：ＵｐＰＴＳの比率が順次に、２：０：０、２：０：０、２：０：０、０：２：０、０：０：２、０：０：２、０：０：２であり、且つ第二の双方向サブフレームの１−３番目のＴＴＩがダウンリンク伝送に用いられ、４番目のＴＴＩがデータ伝送に用いられず、５−７番目のＴＴＩがアップリンク伝送に用いられ、
特殊サブフレームの７つのＴＴＩにおけるＤｗＰＴＳ：ＧＰ：ＵｐＰＴＳの比率が順次に、２：０：０、２：０：０、２：０：０、０：２：０、０：０：２、０：０：２、０：０：２であり、且つ特殊サブフレームの１−３番目のＴＴＩがダウンリンク伝送に用いられ、４番目のＴＴＩがデータ伝送に用いられず、５−７番目のＴＴＩがアップリンク伝送に用いられることを特徴とする
請求項１に記載の方法。
【請求項１７】
ＨＡＲＱフィードバックタイミングを確定する装置であって、
現在使用されているＴＤＤフレーム構造の構成を確定するように構成される構成確定ユニットと、
現在使用されている伝送時間間隔（ＴＴＩ）の大きさを確定するように構成されるＴＴＩ確定ユニットと、
前記ＴＤＤフレーム構造の構成及びＴＴＩの大きさに基づき、ＨＡＲＱプロセスにおけるデータ伝送ＴＴＩとそのフィードバックＴＴＩとの相対位置関係、又は初回伝送ＴＴＩ、フィードバックＴＴＩ及び再送ＴＴＩの間の相対位置関係を確定するように構成される位置確定ユニットとを備える、前記ＨＡＲＱフィードバックタイミングを確定する装置。
【請求項１８】
前記位置確定ユニットは、各ＨＡＲＱプロセスの初回伝送ＴＴＩの位置を確定し、プリセットフィードバック再送時間関係に基づいて、前記ＴＤＤフレーム構造から該ＨＡＲＱプロセスのフィードバックＴＴＩ及び再送ＴＴＩを選択し、該ＨＡＲＱプロセスのデータ伝送ＴＴＩとそのフィードバックＴＴＩとの相対位置関係、又は初回伝送ＴＴＩ、フィードバックＴＴＩ及び再送ＴＴＩの間の相対位置関係を得るように構成され、一つのＴＴＩがせいぜい一つのＨＡＲＱプロセスのデータを伝送することができ、前記プリセットフィードバック再送時間関係がフィードバックＴＴＩと初回伝送ＴＴＩとの間隔が第一の閾値より大きく、再送ＴＴＩとの間隔が第二の閾値より大きいことを意味することを特徴とする
請求項１７に記載の装置。
【請求項１９】
前記位置確定ユニットは、
ＴＤＤフレーム構造において、第一の伝送時間間隔（ＴＴＩ）を一つのＨＡＲＱプロセスの初回伝送ＴＴＩとし、プリセットフィードバック再送時間関係を満たし、且つ初回伝送ＴＴＩと再送ＴＴＩとの間隔を最小化させる第一のフィードバックＴＴＩと第一の再送ＴＴＩの位置を確定し、且つ第一の伝送ＴＴＩから第一の再送ＴＴＩの１個前の伝送ＴＴＩまでの伝送ＴＴＩの数ｎを確定するように構成され、前記第一の伝送ＴＴＩ、第一の再送ＴＴＩと伝送ＴＴＩがいずれも同じ伝送方向のＴＴＩである初期処理ユニットと、
第一の伝送ＴＴＩから開始するｎ個の同じ方向の伝送ＴＴＩに番号を順次付け、及び、第一の再送ＴＴＩから開始するｎ個の同じ方向の伝送ＴＴＩに番号を順次付け、同じ番号の前後の２つの伝送ＴＴＩがそれぞれ該番号に対応するＨＡＲＱプロセスの初回伝送ＴＴＩ及び再送ＴＴＩである番号処理ユニットと、
各ＨＡＲＱプロセスの初回伝送ＴＴＩと再送ＴＴＩの間に前記プリセットフィードバック再送時間関係を満たすフィードバックＴＴＩが存在する場合、ＴＤＤフレーム構造のＨＡＲＱプロセスの数がｎであることを確定し、且つ各ＨＡＲＱプロセスにおけるデータ伝送ＴＴＩとそのフィードバックＴＴＩとの相対位置関係、又は初回伝送ＴＴＩ、フィードバックＴＴＩ及び再送ＴＴＩの間の相対位置関係を得るように構成されるタイミング確定ユニットと、
いずれかのＨＡＲＱプロセスの初回伝送ＴＴＩと再送ＴＴＩの間に前記プリセットフィードバック再送時間関係を満たすフィードバックＴＴＩが存在しない場合、ｎの現在の値に１をプラスし、且つ前記第一の再送ＴＴＩを現在の位置の次の同じ方向の伝送ＴＴＩに移動し、且つ前記番号処理ユニットをトリガするように構成される循環制御ユニットとを含むことを特徴とする
請求項１７に記載の装置。
【請求項２０】
前記ＴＴＩの長さが０．５ｍｓであり、
前記ＴＤＤフレーム構造において各通常サブフレームが２つのＴＴＩに分割され、各通常サブフレームにおけるＴＴＩの伝送方向が該通常サブフレームの伝送方向と同じであり、
前記ＴＤＤフレーム構造において、特殊サブフレームが２つのＴＴＩに分割され、
ここで、特殊サブフレームのＵｐＰＴＳをアップリンクフィードバックの伝送として機能することが許可されない場合、特殊サブフレーム構成０、５、９、１０において、特殊サブフレームの２つのＴＴＩのうちの１番目のＴＴＩがダウンリンク伝送に用いられ、２番目のＴＴＩがデータ伝送に用いられず、特殊サブフレーム構成１、２、３、４、６、７、８において、特殊サブフレームの２つのＴＴＩがいずれもダウンリンク伝送に用いられ、
特殊サブフレームのＵｐＰＴＳをアップリンクフィードバックの伝送として機能することが許可される場合、特殊サブフレーム構成０、５、９、１０において、特殊サブフレームの２つのＴＴＩのうちの１番目のＴＴＩがダウンリンク伝送に用いられ、２番目のＴＴＩがアップリンク伝送に用いられ、特殊サブフレーム構成１、２、３、４、６、７、８において、特殊サブフレームの２つのＴＴＩのうちの１番目のＴＴＩがダウンリンク伝送に用いられ、２番目のＴＴＩがアップリンク伝送及び／又はダウンリンク伝送に用いられることを特徴とする
請求項１７に記載の装置。
【請求項２１】
前記ＴＴＩの長さが０．５ｍｓであり、ＴＤＤフレーム構造の構成がＬＴＥ  ＴＤＤアップ・ダウンリンク構成０であり、且つ特殊サブフレームにおけるＵｐＰＴＳがＰＤＳＣＨのＨＡＲＱフィードバック情報を伝送できないように予め設定された場合、
特殊サブフレーム構成０、５、９及び１０であり、且つ無線フレームにおいてＴＴＩに０から番号を順次付けるという番号付け方式を使用する場合、アップリンクＴＴＩ  ｎにおいて、ダウンリンクＴＴＩ  ｎ-ｋ（ｋ∈Ｋ’）で伝送されるＰＤＳＣＨ伝送又は、ＳＰＳ解放を示すＰＤＣＣＨ／ＥＰＤＣＣＨのＨＡＲＱフィードバックを行い、フィードバックタイミングＫ’の値として、ＴＴＩ  ４、５、６、１４、１５、１６に対応するＫ’の値が、いずれも４であり、
特殊サブフレーム構成１、２、３、４、６、７、８であり、且つ無線フレームにおいてＴＴＩに０から番号を順次付けるという番号付け方式を使用する場合、アップリンクＴＴＩ  ｎにおいて、ダウンリンクＴＴＩ  ｎ-ｋ（ｋ∈Ｋ’）で伝送されるＰＤＳＣＨ伝送又は、ＳＰＳ解放を示すＰＤＣＣＨ／ＥＰＤＣＣＨのＨＡＲＱフィードバックを行い、フィードバックタイミングＫ’の値として、ＴＴＩ  ４、５、６、７、１４、１５、１６、１７に対応するＫ’の値が、いずれも４であり、
特殊サブフレーム構成０、５、９及び１０であり、且つ各サブフレーム内においてＴＴＩに０から番号を順次付けるという番号付け方式を使用する場合、アップリンクサブフレームｎのサブフレーム内のＴＴＩ  ｍにおいて、サブフレームｎ−ｋ内のＴＴＩ  ｊのＰＤＳＣＨ、又はＳＰＳ解放を示すＰＤＣＣＨ／ＥＰＤＣＣＨに対応するＨＡＲＱフィードバックを行い、フィードバックタイミングのダウンリンク関連集合（ｋ，ｊ）はサブフレーム２、３、７、８のＴＴＩ  ０に対応する（ｋ，ｊ）が（２，０）であり、サブフレーム２、７のＴＴＩ  １に対応する（ｋ，ｊ）が（２，１）であり、
特殊サブフレーム構成１、２、３、４、６、７、８であり、且つ無線フレームにおいてＴＴＩに０から番号を順次付けるという番号付け方式を使用する場合、アップリンクサブフレームｎのサブフレーム内のＴＴＩｍにおいて、サブフレームｎ-ｋ内のＴＴＩ  ｊのＰＤＳＣＨ又はＳＰＳ解放を示すＰＤＣＣＨ／ＥＰＤＣＣＨに対応するＨＡＲＱフィードバックを行い、フィードバックタイミングのダウンリンク関連集合（ｋ，ｊ）はサブフレーム２、３、７、８のＴＴＩ  ０に対応する（ｋ，ｊ）が（２，０）であり、サブフレーム２、３、７、８のＴＴＩ  １に対応する（ｋ，ｊ）が（２，１）であることを特徴とする
請求項１７に記載の装置。
【請求項２２】
前記ＴＴＩの長さが４つ又は３つのＯＦＤＭシンボルである場合、
前記ＴＤＤフレーム構造において、各通常サブフレームの各タイムスロットは、長さがそれぞれ４つのＯＦＤＭシンボル及び３つのＯＦＤＭシンボルである２つのＴＴＩに分割され、各通常サブフレームにおけるＴＴＩの伝送方向が該通常サブフレームの伝送方向と同じであり、特殊サブフレームは、長さがそれぞれ４つのＯＦＤＭシンボル、３つのＯＦＤＭシンボル、４つのＯＦＤＭシンボル、及び３つのＯＦＤＭシンボルであるＴＴＩに分割され、
ここで、特殊サブフレームのＵｐＰＴＳをアップリンクフィードバックの伝送として機能することが許可されない場合、
特殊サブフレーム構成０及び５において、特殊サブフレームの４つのＴＴＩのうちの１番目のＴＴＩだけがダウンリンク伝送に用いられ、２−４番目のＴＴＩがデータ伝送に用いられず、
特殊サブフレーム構成１、２、３、６、７、及び８において、特殊サブフレームの４つのＴＴＩのうちの１−３番目のＴＴＩがダウンリンク伝送に用いられ、４番目のＴＴＩがデータ伝送に用いられず、
特殊サブフレーム構成４において、特殊サブフレームの４つのＴＴＩのうちの１−４番目のＴＴＩがダウンリンク伝送に用いられ、
特殊サブフレーム構成９において、特殊サブフレームの４つのＴＴＩのうちの１−２番目のＴＴＩがダウンリンク伝送に用いられ、３−４番目のＴＴＩがデータ伝送に用いられず、
特殊サブフレーム構成１０において、特殊サブフレームの４つのＴＴＩのうちの１−２番目のＴＴＩがダウンリンク伝送に用いられ、４番目のＴＴＩがアップリンク伝送に用いられず、
特殊サブフレームのＵｐＰＴＳをアップリンクフィードバックの伝送として機能することが許可される場合、
特殊サブフレーム構成０及び５において、特殊サブフレームの４つのＴＴＩのうちの１番目のＴＴＩだけがダウンリンク伝送に用いられ、２−３番目のＴＴＩがデータ伝送に用いられず、４番目のＴＴＩがアップリンク伝送に用いられ、
特殊サブフレーム構成１、２、３、６、７及び８において、特殊サブフレームの４つのＴＴＩの１−３番目のＴＴＩがダウンリンク伝送に用いられ、４番目のＴＴＩがアップリンク伝送に用いられ、
特殊サブフレーム構成４において、特殊サブフレームの４つのＴＴＩの１−３番目のＴＴＩがダウンリンク伝送に用いられ、４番目のＴＴＩがアップリンク伝送及び／又はダウンリンク伝送に用いられ、
特殊サブフレーム構成９において、特殊サブフレームの４つのＴＴＩの１−２番目のＴＴＩがダウンリンク伝送に用いられ、３番目のＴＴＩがデータ伝送に用いられず、４番目のＴＴＩがアップリンク伝送に用いられ、
特殊サブフレーム構成１０において、特殊サブフレームの４つのＴＴＩの１−２番目のＴＴＩがダウンリンク伝送に用いられ、３−４番目のＴＴＩがアップリンク伝送に用いられることを特徴とする
請求項１７に記載の装置。
【請求項２３】
前記ＴＴＩの長さが２つのＯＦＤＭシンボルである場合、
前記ＴＤＤフレーム構造において、各通常サブフレームが７つのＴＴＩに分割され、各通常サブフレームにおけるＴＴＩの伝送方向が該通常サブフレームの伝送方向と同じであり、特殊サブフレームが７つのＴＴＩに分割され、特殊サブフレーム構成０〜１０に対応し、
ここで、特殊サブフレーム構成０及び５において、特殊サブフレームの７つのＴＴＩのうちの１−２番目のＴＴＩがダウンリンク伝送に用いられ、３−６番目のＴＴＩがデータ伝送に用いられず、７番目のＴＴＩがアップリンク伝送に用いられ、
特殊サブフレーム構成１、２、６、７において、特殊サブフレームの７つのＴＴＩのうちの１−５番目のＴＴＩがダウンリンク伝送に用いられ、６番目のＴＴＩがデータ伝送に用いられず、７番目のＴＴＩがアップリンク伝送に用いられ、
特殊サブフレーム構成３、４、８において、特殊サブフレームの７つのＴＴＩのうちの１−６番目のＴＴＩがダウンリンク伝送に用いられ、７番目のＴＴＩがアップリンク伝送に用いられ、
特殊サブフレーム構成９において、特殊サブフレームの７つのＴＴＩのうちの１−３番目のＴＴＩがダウンリンク伝送に用いられ、４−６番目のＴＴＩがデータ伝送に用いられず、７番目のＴＴＩがアップリンク伝送に用いられ、
特殊サブフレーム構成１０において、特殊サブフレームの７つのＴＴＩのうちの１−３番目のＴＴＩがダウンリンク伝送に用いられ、４番目のＴＴＩがデータ伝送に用いられず、５−７番目のＴＴＩがアップリンク伝送に用いられることを特徴とする
請求項１７に記載の装置。
【請求項２４】
前記ＴＤＤフレーム構造は新規追加のアップ・ダウンリンク構成１であり、前記新規追加のアップ・ダウンリンク構成１の無線フレーム構造が１０つの１ｍｓのサブフレームを含み、それらが順次に、ダウンリンクサブフレーム、特殊サブフレーム、アップリンクサブフレーム、第一の双方向サブフレーム、第一の双方向サブフレーム、ダウンリンクサブフレーム、特殊サブフレーム、アップリンクサブフレーム、第一の双方向サブフレーム、第一の双方向サブフレームであり、ここで、前記第一の双方向サブフレームにおけるダウンリンク：ＧＰ：アップリンクの比率が７：１：６であり、前記特殊サブフレームのＤｗＰＴＳ：ＧＰ：ＵｐＰＴＳの比率が９：１：４であり、
各前記ＴＴＩの長さが２つのＯＦＤＭシンボルである場合、
各サブフレームが７つのＴＴＩに分割され、ここで、アップリンクサブフレーム又はダウンリンクサブフレームにおけるＴＴＩの伝送方向がそれが属するサブフレームの伝送方向と同じであり、
第一の双方向サブフレームの７つのＴＴＩにおけるＤｗＰＴＳ：ＧＰ：ＵｐＰＴＳの比率が順次に、２：０：０、２：０：０、２：０：０、１：１：０、０：０：２、０：０：２、０：０：２であり、且つ第一の双方向サブフレームのうちの１−４番目のＴＴＩがダウンリンク伝送に用いられ、５−７番目のＴＴＩがアップリンク伝送に用いられ、
特殊サブフレームの７つのＴＴＩにおけるＤｗＰＴＳ：ＧＰ：ＵｐＰＴＳの比率が順次に、２：０：０、２：０：０、２：０：０、２：０：０、１：１：０、０：０：２、０：０：２であり、且つ特殊サブフレームの１−５番目のＴＴＩがダウンリンク伝送に用いられ、６−７番目のＴＴＩがアップリンク伝送に用いられることを特徴とする
請求項１７に記載の装置。
【請求項２５】
前記ＴＤＤフレーム構造は新規追加のアップ・ダウンリンク構成２であり、前記新規追加のアップ・ダウンリンク構成２の無線フレーム構造が１０つの１ｍｓのサブフレームを含み、それらが順次に、ダウンリンクサブフレーム、特殊サブフレーム、アップリンクサブフレーム、第二の双方向サブフレーム、第二の双方向サブフレーム、ダウンリンクサブフレーム、特殊サブフレーム、第二の双方向サブフレーム、第二の双方向サブフレーム、第二の双方向サブフレームであり、ここで、前記第二の双方向サブフレームにおけるダウンリンク：ＧＰ：アップリンクの比率が１１：１：２であり、前記特殊サブフレームのＤｗＰＴＳ：ＧＰ：ＵｐＰＴＳの比率が９：１：４であり、
前記ＴＴＩの長さが２つのＯＦＤＭシンボルである場合、
各サブフレームが７つのＴＴＩに分割され、ここで、アップリンクサブフレーム又はダウンリンクサブフレームにおけるＴＴＩの伝送方向がそれが属するサブフレームの伝送方向と同じであり、
第二の双方向サブフレームの７つのＴＴＩにおけるＤｗＰＴＳ：ＧＰ：ＵｐＰＴＳの比率が順次に、２：０：０、２：０：０、２：０：０、２：０：０、２：０：０、１：１：０、０：０：２であり、且つ第二の双方向サブフレームの１−６番目のＴＴＩがダウンリンク伝送に用いられ、７番目のＴＴＩがアップリンク伝送に用いられ、
特殊サブフレームの７つのＴＴＩにおけるＤｗＰＴＳ：ＧＰ：ＵｐＰＴＳの比率が順次に、２：０：０、２：０：０、２：０：０、２：０：０、１：１：０、０：０：２、０：０：２であり、且つ特殊サブフレームの１−５番目のＴＴＩがダウンリンク伝送に用いられ、６−７番目のＴＴＩがアップリンク伝送に用いられることを特徴とする
請求項１７に記載の装置。
【請求項２６】
前記ＴＤＤフレーム構造は新規追加のアップ・ダウンリンク構成３であり、前記新規追加のアップ・ダウンリンク構成３の無線フレーム構造は１０つの１ｍｓのサブフレームを含み、それらが順次に、ダウンリンクサブフレーム、特殊サブフレーム、アップリンクサブフレーム、第三の双方向サブフレーム、第三の双方向サブフレーム、ダウンリンクサブフレーム、特殊サブフレーム、アップリンクサブフレーム、第三の双方向サブフレーム、第三の双方向サブフレームであり、ここで、前記第三の双方向サブフレームにおけるダウンリンク：ＧＰ：アップリンクの比率が６：２：６であり、前記特殊サブフレームのＤｗＰＴＳ：ＧＰ：ＵｐＰＴＳの比率が６：２：６であり、
前記ＴＴＩの長さが２つのＯＦＤＭシンボルである場合、
各サブフレームが７つのＴＴＩに分割され、ここで、アップリンクサブフレーム又はダウンリンクサブフレームにおけるＴＴＩの伝送方向がそれが属するサブフレームの伝送方向と同じであり、
第三の双方向サブフレームの７つのＴＴＩにおけるＤｗＰＴＳ：ＧＰ：ＵｐＰＴＳの比率が順次に、２：０：０、２：０：０、２：０：０、０：２：０、０：０：２、０：０：２、０：０：２であり、且つ第二の双方向サブフレームの１−３番目のＴＴＩがダウンリンク伝送に用いられ、４番目のＴＴＩがデータ伝送に用いられず、５−７番目のＴＴＩがアップリンク伝送に用いられ、
特殊サブフレームの７つのＴＴＩにおけるＤｗＰＴＳ：ＧＰ：ＵｐＰＴＳの比率が順次に、２：０：０、２：０：０、２：０：０、０：２：０、０：０：２、０：０：２、０：０：２であり、且つ特殊サブフレームの１−３番目のＴＴＩがダウンリンク伝送に用いられ、４番目のＴＴＩがデータ伝送に用いられず、５−７番目のＴＴＩがアップリンク伝送に用いられることを特徴とする
請求項１７に記載の装置。
【請求項２７】
通信装置であって、
コンピュータプログラムを記憶するように構成されるメモリと、
前記メモリに接続され、前記コンピュータプログラムを実行することにより、請求項１−１６のいずれか一項に記載のハイブリッド自動再送リクエスト（ＨＡＲＱ）におけるフィードバックタイミングを確定する方法を実行できるように構成されるプロセッサとを備える、前記通信装置。
【請求項２８】
コンピュータ記憶媒体であって、前記コンピュータ記憶媒体にコンピュータ実行可能命令が記憶され、前記コンピュータ実行可能命令が請求項１−１６のいずれか一項に記載のハイブリッド自動再送リクエスト（ＨＡＲＱ）におけるフィードバックタイミングを確定する方法を実行することに用いられる、前記コンピュータ記憶媒体。
【発明の詳細な説明】
【技術分野】
【０００１】
本発明は、無線通信技術分野に関し、具体的にはハイブリッド自動再送（ＨＡＲＱ：ｈｙｂｒｉｄ  Ａｕｔｏｍａｔｉｃ  Ｒｅｐｅａｔ  ｒｅＱｕｅｓｔ）におけるフィードバックタイミングを確定する方法、装置、通信装置及びコンピュータ記憶媒体に関する。
【０００２】
本出願は２０１６年５月１２日に提出された出願番号が２０１６１０３１９４１９２である先行出願優先権を主張し、上記先行出願の内容は参照により本明細書に組み込まれる。
【背景技術】
【０００３】
ハイブリッド自動再送リクエスト（ＨＡＲＱ：ｈｙｂｒｉｄ  Ａｕｔｏｍａｔｉｃ  Ｒｅｐｅａｔ  ｒｅＱｕｅｓｔ）は自動再送リクエストＡＲＱと前方誤り訂正（ＦＥＣ：Ｆｏｒｗａｒｄ  Ｅｒｒｏｒ  Ｃｏｒｒｅｃｔｉｏｎ）の組み合わせであり、ＬＴＥシステムにおけるリンクの自己適応する手段である。
【０００４】
ＬＴＥシステムはＮチャネルのストップアンドウェイトＨＡＲＱプロトコルを使用し、即ちＮ個のプロセスが同時に存在し、各プロセス内にストップアンドウェイトＡＲＱプロトコルを使用して伝送し、送信側が一つのデータパケットを送信した後に一時的に停止して受信側の確認メッセージを待ち、データが受信側に到達すると、それに対応して誤り検査を行い、受信が正確であるとＡＣＫメッセージを送信側にフィードバックし、そうでない場合、ＮＡＣＫメッセージを送信側にフィードバックし、送信側がＡＣＫ信号を受信すると、新しいデータを送信し、そうでない場合は前回のデータパケットを再送する。並行しているＮ個のプロセスは、停止、待機している間、他のプロセスがチャネルリソースを使用して伝送することができることを意味する。
【０００５】
ＨＡＲＱの最小ＲＴＴ（Ｒｏｕｎｄ  Ｔｒｉｐ  Ｔｉｍｅ）は、一回のデータパケットの伝送の完了時間として定義され、データパケットの送信、受信側における受信、処理、ＡＣＫ／ＮＡＣＫのフィードバック、送信側におけるＡＣＫ／ＮＡＣＫ信号の受信、復調をしてからのデータ再送又は新しいデータパケットの送信を確定するというプロセスを含む。ＦＤＤのフレーム構造に対して、アップリンク及びダウンリンクの伝送が常に連続しており、固定されたサブフレームにおいて、ＡＣＫ／ＮＡＣＫ信号のフィードバック又はデータの再送を行うことができる。ＴＤＤのフレーム構造に対して、アップリンク及びダウンリンク伝送が時分割多重化されるため、各サブフレームのために固定、しかも同じのフィードバック時間間隔を見つけることができない。異なるＴＤＤアップリンク及びダウンリンク（ＵＬ／ＤＬ）構成、異なるサブフレームに対して、ＡＣＫ／ＮＡＣＫフィードバックと再送の時間間隔がいずれも同じではない。
【０００６】
通信サービスの発展に伴い、より低い遅延のサービスニーズは、通信システムがより低い遅延のデータ伝送をサポートすることができるように要求し、伝送時間間隔（ＴＴＩ）をより短くするのは、低遅延伝送を実現する一つの主要な方式となっている。したがって、各種のより短い時間のＴＴＩ長さにおけるダウンリンクＰＤＳＣＨ伝送、又はＳＰＳ解放を示すＰＤＣＣＨ／ＥＰＤＣＣＨのＨＡＲＱフィードバックタイミングに対して再度定義する必要があり、これにより、より短いＴＴＩ場合のＨＡＲＱフィードバック時間関係を確定することができる。
【発明の概要】
【発明が解決しようとする課題】
【０００７】
本発明の実施例が解決しようとする技術的問題は、異なるＴＴＩ場合のＨＡＲＱフィードバックタイミングを確定するように、ＨＡＲＱフィードバックタイミングを確定する方法、装置、通信装置及びコンピュータ記憶媒体を提供することである。
【課題を解決するための手段】
【０００８】
前記目的を実現するために、
本発明の実施例によるＨＡＲＱフィードバックタイミングを確定する方法であって、
現在使用されているＴＤＤフレーム構造の構成を確定することと、
現在使用されている伝送時間間隔（ＴＴＩ）の大きさを確定することと、
前記ＴＤＤフレーム構造の構成及びＴＴＩの大きさに基づき、ＨＡＲＱプロセスにおけるデータ伝送ＴＴＩとそのフィードバックＴＴＩとの相対位置関係、又は初回伝送ＴＴＩ、フィードバックＴＴＩ及び再送ＴＴＩの間の相対位置関係を確定することとを含む。
【０００９】
本発明の実施例によるＨＡＲＱフィードバックタイミングを確定する装置であって、
現在使用されているＴＤＤフレーム構造の構成を確定するように構成され、前記ＴＤＤフレーム構造の構成がアップリンク、ダウンリンク構成、及び特殊サブフレームの構成を含む構成確定ユニットと、
現在使用されている伝送時間間隔（ＴＴＩ）の大きさを確定するように構成されるＴＴＩ確定ユニットと、
前記ＴＤＤフレーム構造の構成及びＴＴＩの大きさに基づき、ＨＡＲＱプロセスにおけるデータ伝送ＴＴＩとそのフィードバックＴＴＩとの相対位置関係、又は初回伝送ＴＴＩ、フィードバックＴＴＩ及び再送ＴＴＩの間の相対位置関係を確定するように構成される位置確定ユニットとを備える。
【００１０】
本発明の実施例による通信装置であって、
コンピュータプログラムを記憶するように構成されるメモリと、
前記メモリに接続され、前記コンピュータプログラムを実行することにより、上記のＨＡＲＱフィードバックタイミングを確定する方法を実行できるように構成されるプロセッサとを備える。
【００１１】
本発明の実施例の第四の態様によるコンピュータ記憶媒体であって、前記コンピュータ記憶媒体にコンピュータ実行可能命令が記憶され、前記コンピュータ実行可能命令が上記のＨＡＲＱフィードバックタイミングを確定する方法を実行することに用いられる。
【００１２】
従来技術と比べ、本発明の実施例によるＨＡＲＱフィードバックタイミングを確定する方法、装置、通信装置及び記憶媒体では、異なるＴＤＤアップ・ダウンリンク構成と特殊サブフレーム構成に対して、フィードバックＴＴＩと初回伝送ＴＴＩの間の間隔が第一の閾値より大きく、再送ＴＴＩとの間隔が第二の閾値より大きいことを満たす条件で、異なる長さのＴＴＩに対応するＨＡＲＱプロセスの数を確定することができ、且つ上記の場合のＨＡＲＱフィードバックタイミングを取得することができ、これにより低遅延的な伝送のためのサポートを提供する。また、本発明の実施例は、より短い上記閾値に対してＨＡＲＱフィードバックタイミングを与えることができ、これによりさらにより速い低遅延伝送を実現することができる。また、本発明の実施例はＨＡＲＱフィードバックを各フィードバックＴＴＩにできるだけ均等に搬送し、ある／いくつかのフィードバックＴＴＩに搬送された情報が多すぎることを回避することができる。
【図面の簡単な説明】
【００１３】
【図１】従来技術におけるＦＤＤ  ＨＡＲＱフィードバックを示す図である。
【図２ａ】本発明の実施例によるＨＡＲＱフィードバックタイミングを確定する方法のプロセスを示す図である。
【図２ｂ】本発明の実施例によるＨＡＲＱフィードバックタイミングを確定する方法のプロセスを示す図である。
【図３】本発明の実施例によるＨＡＲＱフィードバックタイミングを確定する装置の構造を示す図である。
【図４】本発明の実施例によるＴＤＤアップ・ダウンリンク構成０における異なる特殊サブフレーム構成の場合の０．５ｍｓＴＴＩを示す図である。
【図５ａ】それぞれ本発明の実施例によるＴＤＤアップ・ダウンリンク構成０、特殊サブフレーム構成０、５、９及び１０、０．５ｍｓＴＴＩのＨＡＲＱフィードバックタイミングを示す図一及び図二である。
【図５ｂ】それぞれ本発明の実施例によるＴＤＤアップ・ダウンリンク構成０、特殊サブフレーム構成０、５、９及び１０、０．５ｍｓＴＴＩのＨＡＲＱフィードバックタイミングを示す図一及び図二である。
【図６】本発明の実施例によるＴＤＤアップ・ダウンリンク構成０における異なる特殊サブフレーム構成の場合の４／３  ＯＳ  ＴＴＩを示す図である。
【図７ａ】それぞれ本発明の実施例による状況１におけるＴＤＤアップ・ダウンリンク構成０、特殊サブフレーム構成０及び５の場合の４／３  ＯＳ  ＴＴＩのＨＡＲＱフィードバックタイミングを示す図一及び図二である。
【図７ｂ】それぞれ本発明の実施例による状況１におけるＴＤＤアップ・ダウンリンク構成０、特殊サブフレーム構成０及び５の場合の４／３  ＯＳ  ＴＴＩのＨＡＲＱフィードバックタイミングを示す図一及び図二である。
【図８ａ】それぞれ本発明の実施例による状況２におけるＴＤＤアップ・ダウンリンク構成０、特殊サブフレーム構成０及び５の場合の４／３  ＯＳ  ＴＴＩのＨＡＲＱフィードバックタイミングを示す図一及び図二である。
【図８ｂ】それぞれ本発明の実施例による状況２におけるＴＤＤアップ・ダウンリンク構成０、特殊サブフレーム構成０及び５の場合の４／３  ＯＳ  ＴＴＩのＨＡＲＱフィードバックタイミングを示す図一及び図二である。
【図９】本発明の実施例によるＴＤＤアップ・ダウンリンク構成０における異なる特殊サブフレーム構成の場合の２  ＯＳ  ＴＴＩを示す図である。
【図１０ａ】それぞれ本発明の実施例によるＴＤＤアップ・ダウンリンク構成０、特殊サブフレーム構成０及び５の場合の２  ＯＳ  ＴＴＩのＨＡＲＱフィードバックタイミングを示す図一及び図二である。
【図１０ｂ】それぞれ本発明の実施例によるＴＤＤアップ・ダウンリンク構成０、特殊サブフレーム構成０及び５の場合の２  ＯＳ  ＴＴＩのＨＡＲＱフィードバックタイミングを示す図一及び図二である。
【図１１】本発明の実施例におけるＨＡＲＱフィードバックを各フィードバックＴＴＩに均等で割り当てることを示す図である。
【図１２】本発明の実施例による第二の制約条件に基づいてＨＡＲＱフィードバックを各フィードバックＴＴＩに均等で割り当てることを示す図である。
【発明を実施するための形態】
【００１４】
本発明が解決しようとする技術的問題、技術的解決策と利点をより明確にするために、以下に図面及び具体的な実施例を組み合わせて詳細に説明する。以下の説明では、選択可能な構成及びモジュールの特定した詳細を提供するのは単に本発明の実施例を全面的に理解させるためである。したがって、当業者が理解すべきなのは、本発明の範囲及び精神から逸脱せずに、ここで説明される実施例に対して様々な変更と修正を行うことができる。また、明確及び簡潔にするために、既知の機能及び構造に対する説明を省略する。
【００１５】
理解すべきものとして、本明細書全体に記載されている「一つの実施例」又は「一実施例」は、実施例に関連する特定の特徴、構造又は特性が本発明の少なくとも一つの実施例に含まれることを意味する。したがって、明細書全体の此所彼所に記載されている「一つの実施例の中」又は「一実施例の中」は必ず同じ実施例を意味するわけではない。また、これらの特定の特徴、構造又は特性は任意の適切な方式で一つ又は複数の実施例に組合わせられてもよい。
【００１６】
本発明の各実施例では、上記各プロセスの番号の大きさが実行順序の前後を意味するわけではなく、各プロセスの実行順序はその機能と内部ロジックによって確定されるべきであり、本発明の実施例の実施プロセスのいかなる限定になるわけではないと理解すべきである。
【００１７】
また、本明細書では用語「システム」と「ネットワーク」は本明細書において良く交換して使用する可能である。
【００１８】
理解すべきものとして、本明細書では用語「及び／又は」は、関連する対象の関連関係を記述するためのものだけであり、３種類の関係があることを示し、Ａ及び／又はＢは、Ａが単独で存在すること、ＡとＢが同時に存在すること、Ｂが単独で存在することの３つの状況を示すことができる。本出願において提供される実施例では、「Ａに対応するＢ」はＢがＡと関連し、Ａに基づいてＢを確定することができると理解すべきである。しかし、Ａに基づいてＢを確定することはＡのみに基づいてＢを確定することを意味せず、Ａ及び／又は他の情報に基づいてＢを確定することができる。
【００１９】
本発明の実施例によるＨＡＲＱフィードバックタイミングを確定する方法はＴＤＤフレーム構造を使用したＬＴＥシステムに適用される。理解すべきものとして、本明細書に記載されるＨＡＲＱはダウンリンクデータに対応するＨＡＲＱフィードバックであってもよく、この場合にＨＡＲＱフィードバックはアップリンクＴＴＩにおいて伝送され、本明細書に記載されるＨＡＲＱはアップリンクデータに対応するＨＡＲＱフィードバックであってもよく、この時にＨＡＲＱフィードバックはダウンリンクＴＴＩにおいて伝送される。
【００２０】
本明細書では、伝送ＴＴＩはデータを伝送するＴＴＩであり、該データがアップリンクデータ又はダウンリンクデータであってもよい。伝送ＴＴＩは伝送方向、例えばアップリンク方向又はダウンリンク方向を有し、本明細書の後続における番号を付ける処理の時に、いずれも同じ伝送方向のＴＴＩに対して番号を付けることである。本明細書では、伝送ＴＴＩはデータを伝送することに用いられる場合、データ伝送ＴＴＩと呼ばれる。フィードバックＴＴＩは前記データ伝送ＴＴＩにおける伝送データの制御情報をフィードバックするＴＴＩを意味し、該制御情報がＡＣＫ／ＮＡＣＫなどの情報であってもよい。例えば、ダウンリンク伝送を例とすると、伝送ＴＴＩはＰＤＳＣＨ、又はＳＰＳ解放を示すＰＤＣＣＨ／ＥＰＤＣＣＨ上のデータを伝送してもよく、それに対応するフィードバックＴＴＩはＡＣＫ／ＮＡＣＫフィードバック情報を伝送してもよい。同一のデータを再送する必要がある可能性があるため、本明細書では、データを初回に伝送する伝送ＴＴＩは初回伝送ＴＴＩと呼ばれてもよく、この場合、フィードバックＴＴＩは前記初回伝送ＴＴＩにおける伝送データの制御情報をフィードバックするＴＴＩを意味してもよく、選択可能に、データを再送する必要がある場合、該データの伝送ＴＴＩは再送ＴＴＩと呼ばれる。
【００２１】
図２ａを参照すると、本発明の実施例によるＨＡＲＱフィードバックタイミングを確定する方法は、以下のステップを含む。
【００２２】
ステップ１１において、現在使用されているＴＤＤフレーム構造の構成を確定し、前記ＴＤＤフレーム構造の構成がアップリンク構成、ダウンリンク構成、及び特殊サブフレームの構成を含む。
【００２３】
ステップ１２において、現在使用されている伝送時間間隔（ＴＴＩ）の大きさを確定する。
【００２４】
ステップ１３において、前記ＴＤＤフレーム構造の構成及びＴＴＩの大きさに基づき、ＨＡＲＱプロセスにおけるデータ伝送ＴＴＩとそのフィードバックＴＴＩとの相対位置関係、又は初回伝送ＴＴＩ、フィードバックＴＴＩ及び再送ＴＴＩの間の相対位置関係を確定する。ここで、前記ＴＴＩの大きさは前記ＴＴＩの時間長さと理解されてもよい。
【００２５】
ここで、データの伝送が成功する可能性があり、この時に再送ＴＴＩを必要とせず、又は非同期のＨＡＲＱに対して、再送ＴＴＩは基地局によってスケジューリングされてもよく、そのため、データ伝送ＴＴＩとそのフィードバックＴＴＩとの第一の相対位置関係のみを確定する必要があり、データの初回伝送が失敗する場合、又は同期のＨＡＲＱの場合、初回伝送ＴＴＩ、フィードバックＴＴＩ及び再送ＴＴＩの間の第二の相対位置関係を確定する必要がある。初回伝送ＴＴＩ、フィードバックＴＴＩ及び再送ＴＴＩの間の第二の相対位置関係に、初回ＴＴＩとフィードバックＴＴＩとの相対位置関係、即ち、前記第一の相対位置関係が含まれるため、以下に第二の相対位置関係を例として主に説明する。第二の相対位置関係を取得した場合、第二の相対位置関係に第一の相対位置関係に含まれるので、第一の相対位置関係を取得することができる。
【００２６】
上記ステップ１３において、具体的には、各ＨＡＲＱプロセスの初回伝送ＴＴＩの位置を確定し、プリセットフィードバック再送時間関係に基づいて、前記ＴＤＤフレーム構造から該ＨＡＲＱプロセスのフィードバックＴＴＩ及び再送ＴＴＩを選択し、該ＨＡＲＱプロセスのデータ伝送ＴＴＩとそのフィードバックＴＴＩとの相対位置関係、又は初回伝送ＴＴＩ、フィードバックＴＴＩ及び再送ＴＴＩの間の相対位置関係を得ることができ、ここで、一つのＴＴＩがせいぜい一つのＨＡＲＱプロセスのデータのみを伝送することができ、前記プリセットフィードバック再送時間関係は、フィードバックＴＴＩと初回伝送ＴＴＩとの間隔が第一の閾値より大きく、再送ＴＴＩとの間隔が第二の閾値より大きいことを意味する。
【００２７】
図２ｂを参照すると、上記ステップ１３は具体的に以下のステップを含むことができる。
【００２８】
ステップ１３１において、ＴＤＤフレーム構造において、第一の伝送ＴＴＩを一つのＨＡＲＱプロセスの初回伝送ＴＴＩとし、プリセットフィードバック再送時間関係を満たし、且つ初回伝送ＴＴＩと再送ＴＴＩとの間隔を最小化させる第一のフィードバックＴＴＩと第一の再送ＴＴＩの位置を確定し、且つ第一の伝送ＴＴＩから第一の再送ＴＴＩの１個前の伝送ＴＴＩまでの伝送ＴＴＩの数ｎを確定する。
【００２９】
ここで、前記プリセットフィードバック再送時間関係はフィードバックＴＴＩと初回伝送ＴＴＩとの間隔が第一の閾値より大きく、再送ＴＴＩとの間隔が第二の閾値より大きいことを意味し、前記伝送ＴＴＩはアップリンク伝送ＴＴＩ又はダウンリンク伝送ＴＴＩである。前記第一の閾値と第二の閾値は、通常、データ伝送遅延及びデータに対する装置の処理時間などの要因に基づいて設定されてもよい。例えば、通常、３〜４つのＴＴＩの時間長さであってもよい。
【００３０】
ステップ１３２において、第一の伝送ＴＴＩから開始するｎ個の同じ方向の伝送ＴＴＩに番号を順次付け、同じ方向というのが第一の伝送ＴＴＩと共にダウンリンク伝送又はアップリンク伝送であることであり、及び、第一の再送ＴＴＩから開始するｎ個の同じ方向の伝送ＴＴＩに番号を順次付け、ここで、同じ番号の前後の２つの伝送ＴＴＩがそれぞれ該番号に対応するＨＡＲＱプロセスの初回伝送ＴＴＩ及び再送ＴＴＩである。
【００３１】
ここで、伝送ＴＴＩ番号は、ＨＡＲＱプロセスの番号と見なすことができる。同じ番号を有する前後の２つの伝送ＴＴＩはそれぞれ同一のＨＡＲＱプロセスの初回伝送ＴＴＩと再送ＴＴＩである。異なる番号の伝送ＴＴＩは異なるＨＡＲＱプロセスの伝送ＴＴＩである。
【００３２】
上記順番付け過程では、第一の伝送ＴＴＩから開始する各同じ方向の伝送ＴＴＩに番号を順次付ける。例えば、伝送ＴＴＩの方向がダウンリンク方向であることを例とすると、第一の伝送ＴＴＩから開始する各ダウンリンク伝送ＴＴＩに番号を付け、ｎ個の伝送ＴＴＩに対する番号付けを完了するまで続く。同様に、第一の再送ＴＴＩから開始する各伝送ＴＴＩに番号を順次付ける。例えば、伝送ＴＴＩの方向がダウンリンク方向であることを例とすると、第一の再送ＴＴＩから開始する各ダウンリンク伝送ＴＴＩに番号を付け、ｎ個の伝送ＴＴＩに対する番号付けを完了するまで続く。上記の２つの番号付け過程における開始番号は０又は１であってもよく、他の数字であってもよいが、同一のプロセスの伝送ＴＴＩが同じ番号を有することを保証するために、２つの番号付け過程における開始番号は同じであるべきである。
【００３３】
ステップ１３３において、各ＨＡＲＱプロセスの初回伝送ＴＴＩと再送ＴＴＩの間に、前記プリセットフィードバック再送時間関係を満たすフィードバックＴＴＩが存在するか否かを判定し、そうである場合、ステップ１３４に入り、そうでない場合はステップ１３５に入る。
【００３４】
ステップ１３４において、ＴＤＤフレーム構造のＨＡＲＱプロセスの数がｎであることを確定し、且つ各ＨＡＲＱプロセスにおけるデータ伝送ＴＴＩとそのフィードバックＴＴＩとの相対位置関係、又は初回伝送ＴＴＩ、フィードバックＴＴＩ及び再送ＴＴＩの間の相対位置関係を得る。
【００３５】
ここで、本発明の実施例に記載されるＴＤＤフレーム構造では、一つの１０ｍｓの無線フレームは１０つの１ｍｓのサブフレームを含み、各サブフレームが複数のＴＴＩを含むことができる。
【００３６】
一つの実施形態として、本実施例は各無線フレーム内において該無線フレームに含まれる全てのＴＴＩに番号を順次付け、各無線フレーム内のＴＴＩに循環して番号を付けることができ、この場合、前記フィードバックＴＴＩと初回伝送ＴＴＩとの相対位置関係は、フィードバックＴＴＩと初回伝送ＴＴＩとのＴＴＩ間隔である。
【００３７】
別の実施形態として、本実施例は各サブフレーム内において該サブフレームに含まれる全てのＴＴＩに番号を順次付け、各サブフレーム内のＴＴＩに循環して番号を付けることができ、この場合、前記フィードバックＴＴＩと初回伝送ＴＴＩとの相対位置関係がフィードバックＴＴＩと初回伝送ＴＴＩとのサブフレーム間隔、それぞれの属するサブフレーム内のフィードバックＴＴＩと初回伝送ＴＴＩの番号である。
【００３８】
ステップ１３５において、ｎの現在の値に１をプラスし、且つ前記第一の再送ＴＴＩを現在の位置の次の伝送ＴＴＩに移動し、ステップ１３２に戻る。
【００３９】
以上のステップにより、本発明の実施例は最終的にＨＡＲＱプロセスの数ｎを得、且つ各ＨＡＲＱプロセスにおける初回伝送ＴＴＩ、フィードバックＴＴＩと再送ＴＴＩの位置を得ることができ、上記ｎが前記プリセットフィードバック再送時間関係を満たす条件でのＨＡＲＱプロセスの数の最小値である。分かるように、本発明の実施例は異なるＴＴＩ長さのフレーム構造のために、対応するＨＡＲＱフィードバックタイミングを構成し、低遅延的な伝送のためのサポートを提供することができる。また、本発明の実施例は、ＨＡＲＱフィードバックを各フィードバックＴＴＩにできるだけ均等で搬送することができる。
【００４０】
上記ステップ１３４において、同一のＨＡＲＱプロセスの初回伝送ＴＴＩ及び再送ＴＴＩの位置に基づき、該ＨＡＲＱプロセスの初回伝送ＴＴＩ及び再送ＴＴＩの間に位置し、且つ前記プリセットフィードバック再送時間関係を満たす該ＨＡＲＱプロセスのフィードバックＴＴＩの選択可能位置を確定し、その後、各ＨＡＲＱプロセスの初回伝送ＴＴＩと再送ＴＴＩの位置、及びフィードバックＴＴＩの選択可能位置に基づき、各ＨＡＲＱプロセスのデータ伝送ＴＴＩとそのフィードバックＴＴＩとの相対位置関係、又は初回伝送ＴＴＩ、フィードバックＴＴＩ及び再送ＴＴＩの間の相対位置関係を取得することができる。
【００４１】
本発明の実施例は上記ステップ１３４で、該ＨＡＲＱプロセスの初回伝送ＴＴＩと再送ＴＴＩの位置を直接確定することができる。それに対して、該ＨＡＲＱプロセスのフィードバックＴＴＩについては、該ＨＡＲＱプロセスの初回伝送ＴＴＩと再送ＴＴＩの間の前記プリセットフィードバック再送時間関係を満たすフィードバックＴＴＩのいずれかの選択可能位置を該ＨＡＲＱプロセスのフィードバックＴＴＩとし、該ＨＡＲＱプロセスのフィードバックＴＴＩの位置を得て、且つフィードバックＴＴＩと初回伝送ＴＴＩとの相対位置関係を出力することができる。
【００４２】
各フィードバックＴＴＩの搬送するＨＡＲＱフィードバックをできるだけ均等にし、少数のフィードバックＴＴＩに集中してフィードバックしてアップリンクフィードバック性能を低下させることを回避することを考慮し、ここで、各ＨＡＲＱプロセスの初回伝送ＴＴＩ及び再送ＴＴＩの位置、及びフィードバックＴＴＩの選択可能位置に基き、各ＨＡＲＱプロセスのデータ伝送ＴＴＩとそのフィードバックＴＴＩとの相対位置関係、又は初回伝送ＴＴＩ、フィードバックＴＴＩ及び再送ＴＴＩの間の相対位置関係を得る時に、まず各ＨＡＲＱプロセスのフィードバックＴＴＩの選択可能位置を確定し、次に、ｘ個の選択可能位置にｙ個のＨＡＲＱプロセスのＨＡＲＱフィードバックを行う必要がある場合、前記ｙ個のＨＡＲＱプロセスのＨＡＲＱフィードバックを前記ｘ個の選択可能位置に均等で割り当て、選択可能位置毎にフィードバックするＨＡＲＱプロセスの数がｚ又はｚ＋１個であり、各ＨＡＲＱプロセスのフィードバックＴＴＩの位置を得て、ｚがｙ／ｘの切り捨てた値であり、さらに各ＨＡＲＱプロセスの初回伝送ＴＴＩ、フィードバックＴＴＩ及び再送ＴＴＩの位置に基づき、各ＨＡＲＱプロセスのデータ伝送ＴＴＩとそのフィードバックとの相対位置関係、又は初回伝送ＴＴＩ、フィードバックＴＴＩ及び再送ＴＴＩの間の相対位置関係を出力することができる。
【００４３】
選択可能に、できるだけ均等になることを満たすことを保証したうえで、本発明の実施例は第一の制約条件及び／又は第二の制約条件に基づき、前記ｙ個のＨＡＲＱプロセスのＨＡＲＱフィードバックを前記ｘ個の選択可能位置に均等で割り当てることができる。
【００４４】
ここで、前記第一の制約条件は、第一のＨＡＲＱプロセスの初回伝送時間が第二のＨＡＲＱプロセスの初回伝送より早い場合、前記第一のＨＡＲＱプロセスの初回伝送のＨＡＲＱフィードバックが前記第二のＨＡＲＱプロセスの初回伝送のＨＡＲＱフィードバックより遅くないことであり、ここで、第二のＨＡＲＱプロセスと第一のＨＡＲＱプロセスが異なるプロセスであることを指し、
前記第二の制約条件は第一のＨＡＲＱプロセスの一つの伝送ＴＴＩと第三のＨＡＲＱプロセスの一つの伝送ＴＴＩが異なるアップ・ダウンリンク切り替え周期における同じ位置に位置する場合、前記第一のＨＡＲＱプロセスの一つの伝送ＴＴＩのＨＡＲＱフィードバックと第三のＨＡＲＱプロセスの一つの伝送ＴＴＩのＨＡＲＱフィードバックが異なるアップ・ダウンリンク切り替え周期におけるほかの同じ位置に位置することであり、ここで、第三のＨＡＲＱプロセスと第一のＨＡＲＱプロセスが同一のＨＡＲＱプロセス又は異なるプロセスであることを指す。ここでの第一のＨＡＲＱプロセスの一つの伝送ＴＴＩは初回伝送ＴＴＩ又は再送ＴＴＩであってもよく、同様に、第三のＨＡＲＱプロセスの一つの伝送ＴＴＩは初回伝送ＴＴＩ又は再送ＴＴＩであってもよい。アップ・ダウンリンク切り替え周期について、以下の説明を参照することができる。
【００４５】
第二の制約条件を容易に理解するために、以下の図１２を参照して説明する。図１２内のそれぞれの最小の格子が一つのＴＴＩを表し、各無線フレームが０〜１９という合計２０個のＴＴＩを含み、「↓ｎ」がダウンリンクＨＡＲＱプロセスｎを表し、「↓ｎ」が所在する格子がダウンリンクＨＡＲＱプロセスｎのデータを初回伝送又は再送するためのＴＴＩを表し、「↑ｎ」がダウンリンクＨＡＲＱプロセスｎのアップリンクＨＡＲＱフィードバックを表し、「↑ｎ」が所在する格子がダウンリンクＨＡＲＱプロセスｎのアップリンクＨＡＲＱフィードバックを伝送するためのＴＴＩを表し、「▲ｎ」がダウンリンクＨＡＲＱプロセスｎのアップリンクＨＡＲＱフィードバックを伝送するための選択可能なＴＴＩを表す。
【００４６】
図１２を参照すると、上記第二の制約条件に従って得られたＴＤＤアップ・ダウンリンク構成２の０．５ｍｓ  ＴＴＩにおけるＨＡＲＱフィードバックタイミングを示す図である。ＴＤＤアップ・ダウンリンク構成２のアップ・ダウンリンク切り替え周期が５ｍｓであり、各アップ・ダウンリンク切り替え周期が１０つのＴＴＩを含む。図１２で、１番目のアップ・ダウンリンク切り替え周期におけるＨＡＲＱプロセス０の１番目のＴＴＩ、２番目のアップ・ダウンリンク切り替え周期におけるＨＡＲＱプロセス７の１番目のＴＴＩ、即ちＨＡＲＱプロセス０の一つの伝送ＴＴＩとプロセス７の一つの伝送ＴＴＩが異なるアップ・ダウンリンク切り替え周期における同じ位置に位置し、この場合、それらのフィードバックも異なるアップ・ダウンリンク切り替え周期におけるほかの同じ位置に位置すべきであり、例えば、１番目のアップ・ダウンリンク切り替え周期におけるＨＡＲＱプロセス０の１番目のＴＴＩのフィードバックＴＴＩの位置は１番目のアップ・ダウンリンク切り替え周期における５番目のＴＴＩであり、２番目のアップ・ダウンリンク切り替え周期におけるＨＡＲＱプロセス７の１番目のＴＴＩのフィードバックＴＴＩの位置は２番目のアップ・ダウンリンク切り替え周期における第５のＴＴＩである。同様に、ＨＡＲＱプロセス１とＨＡＲＱプロセス８も上記制約条件を満たし、ＨＡＲＱプロセス２とＨＡＲＱプロセス９も上記制約条件を満たす。
【００４７】
上記の均等な割り当ての一つの例は図１１に示され、図１１のそれぞれの最小の格子が一つのＴＴＩを表し、各無線フレームが０〜１９の合計２０個のＴＴＩを含み、「↓ｎ」がダウンリンクＨＡＲＱプロセスｎを表し、「↓ｎ」が所在する格子がダウンリンクＨＡＲＱプロセスｎのデータを初回伝送又は再送するためのＴＴＩを表し、「↑ｎ」がダウンリンクＨＡＲＱプロセスｎのアップリンクＨＡＲＱフィードバックを表し、「↑ｎ」が所在する格子がダウンリンクＨＡＲＱプロセスｎのアップリンクＨＡＲＱフィードバックを伝送するためのＴＴＩを表し、「▲ｎ」がダウンリンクＨＡＲＱプロセスｎのアップリンクＨＡＲＱフィードバックを伝送するための選択可能ＴＴＩを表す。
【００４８】
これから分かるように、図１１において、ダウンリンクＨＡＲＱプロセス２〜９の合計８つのダウンリンクＨＡＲＱプロセスがアップリンクＴＴＩ１３〜１５の合計３つのアップリンクＴＴＩにおいてＨＡＲＱフィードバックを行う必要があり、前記プリセットフィードバック再送時間関係を満たす前提で、均等的な割り当て原則に従って割り当て、即ち２つのアップリンクＴＴＩがそれぞれ３つのフィードバックを搬送し、１つのＴＴＩが２つのフィードバックを搬送する必要があり、これにより、得られた割り当て方式は図１１に示すように、プロセス２〜４がＴＴＩ３においてフィードバックし、プロセス５〜７がＴＴＩ１４においてフィードバックし、プロセス８〜９がＴＴＩ１５においてフィードバックし、これにより、ＨＡＲＱフィードバックが連続的なアップリンクＴＴＩにできるだけ均等で分布する前提で、均等的なＨＡＲＱフィードバック遅延が最も短いことを達成することができる。ここで、前記プリセットフィードバック再送時間関係における第一の閾値と第二の閾値がいずれも４つのＴＴＩとする。
【００４９】
本発明の実施例は従来の標準に定められたＬＴＥ  ＴＤＤフレーム構造、例えば３ＧＰＰ  ＴＳ  ３６．２１１  Ｔａｂｌｅ  ４．２−２：  Ｕｐｌｉｎｋ−ｄｏｗｎｌｉｎｋ  ｃｏｎｆｉｇｕｒａｔｉｏｎｓで定められているＬＴＥ  ＴＤＤアップ・ダウンリンク構成０〜６のうちの一つの無線フレームの構造に適用されてもよく、アップ・ダウンリンク構成０〜２、６は、そのアップ・ダウンリンク切り替え周期が５ｍｓであり、即ち１０ｍｓの無線フレーム毎に２つのアップ・ダウンリンク切り替え周期が含まれ、アップ・ダウンリンク構成３〜５は、そのアップ・ダウンリンク切り替え周期が１０ｍｓであり、即ち１０ｍｓの無線フレーム毎に１つのアップ・ダウンリンク切り替え周期が含まれる。３ＧＰＰ  ＴＳ  ３６．２１１では、特殊サブフレーム構成０〜９が定義され、特殊サブフレーム構成０〜９に対して、本発明の実施例において一つの特殊サブフレーム構成が新規追加され、そのＤｗＰＴＳ：ＧＰ：ＵｐＰＴＳ比率が６：２：６である。説明を容易にするために、上記の新規追加の特殊サブフレーム構成を特殊サブフレーム構成１０と呼び、即ち、特殊サブフレーム構成１０のＤｗＰＴＳ：ＧＰ：ＵｐＰＴＳ比率が６：２：６である。
【００５０】
また、本発明の実施例は新しく定義される様々なＴＤＤフレーム構造に適用されてもよく、例えば、本発明の実施例では、従来の標準で定義されていない３種類のＴＤＤ構造が提供され、説明を容易にするために、それを新規追加のアップ・ダウンリンク構成１〜３と呼び、具体的には、表１に示すように、表１に上記の各構成の一つの１０ｍｓの無線フレーム構造が示され、分かるように、従来技術と同様に、これらの構成の無線フレームも１０ｍｓであり、且つ１０つの１ｍｓのサブフレームを含む。新規追加のアップ・ダウンリンク構成１、３は、そのアップ・ダウンリンク切り替え周期が５ｍｓであり、即ち１０ｍｓの無線フレーム毎に２つのアップ・ダウンリンク切り替え周期が含まれ、アップ・ダウンリンク構成２は、そのアップ・ダウンリンク切り替え周期が１０ｍｓであり、即ち１０ｍｓの無線フレーム毎に一つのアップ・ダウンリンク切り替え周期が含まれる。
【００５１】
【表１】
2019521564.tif 000003
【００５２】
上記新規追加のアップ・ダウンリンク構成１の無線フレーム構造は上記ＬＴＥ  ＴＤＤアップ・ダウンリンク構成２におけるサブフレーム３、４、８、９をいずれもダウンリンク：ＧＰ：アップリンクの比率が７：１：６である第一の双方向サブフレームに置き換え、且つ特殊サブフレームのＤｗＰＴＳ：ＧＰ：ＵｐＰＴＳの比率が９：１：４である構造であり、新規追加のアップ・ダウンリンク構成２の無線フレーム構造はＬＴＥ  ＴＤＤアップ・ダウンリンク構成２におけるサブフレーム３、４、７、８、９のいずれもをダウンリンク：ＧＰ：アップリンクの比率が１１：１：２である第二の双方向サブフレームに置き換え、且つ特殊サブフレームのＤｗＰＴＳ：ＧＰ：ＵｐＰＴＳの比率が９：１：４である構造であり、新規追加のアップ・ダウンリンク構成３の無線フレーム構造はＬＴＥ  ＴＤＤアップ・ダウンリンク構成２におけるダウンリンクサブフレーム３、４、７、８、９のいずれもをダウンリンク：ＧＰ：アップリンクの比率が６：２：６である第三の双方向サブフレームに置き換え、且つ特殊サブフレームのＤｗＰＴＳ：ＧＰ：ＵｐＰＴＳの比率が６：２：６である構造である。
【００５３】
ＴＤＤフレーム構造に対してＨＡＲＱフィードバック設計を行うために、本発明の実施例は上記ステップ１３１の前にさらに以下のステップを含む。
【００５４】
ステップ１３０において、予め設定されたＴＴＩ長さに基づいて、前記ＴＤＤフレーム構造の各サブフレームを複数のＴＴＩに分割し、且つ各ＴＴＩのうちの伝送ＴＴＩ及びフィードバックＴＴＩを確定し、ここで、前記フィードバックＴＴＩが伝送ＴＴＩの伝送方向と逆であり、前記伝送ＴＴＩがアップリンク伝送ＴＴＩ又はダウンリンク伝送ＴＴＩである。
【００５５】
ここで、伝送ＴＴＩは全て同じ伝送方向を有する、データ伝送に利用可能なＴＴＩである。アップリンク伝送とダウンリンク伝送とを含む双方向ＴＴＩは、その伝送方向はアップリンク伝送又はダウンリンク伝送の時間及びシステムプリセット条件に基づくことができる（例えばシステムが各双方向ＴＴＩに対してそれがアップリンク又はダウンリンク伝送に利用可能であるか否かを定義することができる）。
【００５６】
以下に、上記の各種の従来又は本発明の実施例で定義されるＴＤＤフレーム構造に対して、上記ステップ１３０の具体的な実施を説明する。
【００５７】
１）ＬＴＥ  ＴＤＤアップ・ダウンリンク構成０〜６について
【００５８】
ＬＴＥ  ＴＤＤアップ・ダウンリンク構成０〜６におけるいずれかのフレーム構造では、特殊サブフレーム構成０〜１０におけるいずれかの特殊サブフレーム構成を使用することができる。
【００５９】
以下に本発明の実施例で使用される異なる長さのＴＴＩについてそれぞれ説明する。
【００６０】
Ａ）長さが０．５ｍｓであるＴＴＩを使用する
長さが０．５ｍｓであるＴＴＩを使用する場合、上記ステップ１３０で、ＴＤＤフレーム構造の各サブフレームを複数のＴＴＩに分割することは、具体的に、
前記ＴＤＤフレーム構造において、各通常サブフレームを２つのＴＴＩに分割し、各通常サブフレームにおけるＴＴＩの伝送方向が該通常サブフレームの伝送方向と同じであり、
前記ＴＤＤフレーム構造において、特殊サブフレームを２つのＴＴＩに分割し、一つの実施形態として、特殊サブフレーム構成０〜１０に対応して、特殊サブフレームの２つのＴＴＩにおけるＤｗＰＴＳ：ＧＰ：ＵｐＰＴＳの比率が順次に、
特殊サブフレーム構成０：  ３：４：０、０：６：１、
特殊サブフレーム構成１：  ７：０：０、２：４：１、
特殊サブフレーム構成２：  ７：０：０、３：３：１、
特殊サブフレーム構成３：  ７：０：０、４：２：１、
特殊サブフレーム構成４：  ７：０：０、５：１：１、
特殊サブフレーム構成５：  ３：４：０、０：５：２、
特殊サブフレーム構成６：  ７：０：０、２：３：２、
特殊サブフレーム構成７：  ７：０：０、３：２：２、
特殊サブフレーム構成８：  ７：０：０、４：１：２、
特殊サブフレーム構成９：  ６：１：０、０：５：２、
特殊サブフレーム構成１０：  ６：１：０、０：１：６であり、
ここで、特殊サブフレームのＵｐＰＴＳをアップリンクフィードバックの伝送として機能することが許可されない場合、特殊サブフレーム構成０、５、９、１０において、特殊サブフレームの２つのＴＴＩのうちの１番目のＴＴＩがダウンリンク伝送に用いられ、２番目のＴＴＩがデータ伝送に用いられず、特殊サブフレーム構成１、２、３、４、６、７、８において、特殊サブフレームの２つのＴＴＩがいずれもダウンリンク伝送に用いられることである。
【００６１】
特殊サブフレームのＵｐＰＴＳをアップリンクフィードバックの伝送として機能することが許可される場合、特殊サブフレーム構成０、５、９、１０において、特殊サブフレームの２つのＴＴＩのうちの１番目のＴＴＩがダウンリンク伝送に用いられ、２番目のＴＴＩがアップリンク伝送に用いられ、特殊サブフレーム構成１、２、３、４、６、７、８において、特殊サブフレームの２つのＴＴＩのうちの１番目のＴＴＩがダウンリンク伝送に用いられ、２番目のＴＴＩがアップリンク伝送及び／又はダウンリンク伝送に用いられる。
【００６２】
Ｂ）長さが４／３ＯＦＤＭシンボルでありＴＴＩを使用する
【００６３】
長さが４／３  ＯＦＤＭシンボルであるＴＴＩを使用する場合、上記ステップ１３０で、ＴＤＤフレーム構造の各サブフレームを複数のＴＴＩに分割することは、具体的に、
前記ＴＤＤフレーム構造において、各通常サブフレームの各タイムスロットを、長さがそれぞれ４つのＯＦＤＭと３つのＯＦＤＭである２つのＴＴＩに分割し、各通常サブフレームにおけるＴＴＩの伝送方向が該通常サブフレームの伝送方向と同じであり、
【００６４】
前記ＴＤＤフレーム構造において、特殊サブフレームを長さがそれぞれ４  ＯＦＤＭシンボル、３  ＯＦＤＭシンボル、４  ＯＦＤＭシンボルと３  ＯＦＤＭシンボルである４つのＴＴＩに分割し、一つの実施形態として、特殊サブフレーム構成０〜１０に対応して、特殊サブフレームの４つのＴＴＩにおけるＤｗＰＴＳ：ＧＰ：ＵｐＰＴＳの比率が順次に、
特殊サブフレーム構成０及び５：  ３：１：０、０：３：０、０：４：０、０：２：１、
特殊サブフレーム構成１、２、６及び７：  ４：０：０、３：０：０、２：２：０、０：２：１、
特殊サブフレーム構成３：  ４：０：０、３：０：０、０：４：０、０：２：１、
特殊サブフレーム構成４：  ４：０：０、３：０：０、４：０：０、１：１：１、
特殊サブフレーム構成８：  ４：０：０、３：０：０、４：０：０、０：１：２、
特殊サブフレーム構成９：  ４：０：０、２：１：０、０：４：０、０：１：２、
特殊サブフレーム構成１０：  ４：０：０、２：１：０、０：１：３、０：０：３であり、
ここで、特殊サブフレームのＵｐＰＴＳをアップリンクフィードバックの伝送として機能することが許可されない場合、
特殊サブフレーム構成０及び５において、特殊サブフレームの４つのＴＴＩのうちの１番目のＴＴＩだけがダウンリンク伝送に用いられ、２−４番目のＴＴＩがデータ伝送に用いられず、
特殊サブフレーム構成１、２、３、６、７及び８において、特殊サブフレームのうちの４つのＴＴＩの１−３番目のＴＴＩがダウンリンク伝送に用いられ、４番目のＴＴＩがデータ伝送に用いられず、
特殊サブフレーム構成４において、特殊サブフレームの４つのＴＴＩのうちの１−４番目のＴＴＩがダウンリンク伝送に用いられ、
特殊サブフレーム構成９において、特殊サブフレームの４つのＴＴＩのうちの１−２番目のＴＴＩがダウンリンク伝送に用いられ、３−４番目のＴＴＩがデータ伝送に用いられず、
特殊サブフレーム構成１０において、特殊サブフレームの４つのＴＴＩのうちの１−２番目のＴＴＩがダウンリンク伝送に用いられ、４番目のＴＴＩがアップリンク伝送に用いられ、
特殊サブフレームのＵｐＰＴＳをアップリンクフィードバックの伝送として機能することが許可される場合、
特殊サブフレーム構成０及び５において、特殊サブフレームの４つのＴＴＩのうちの１番目のＴＴＩだけがダウンリンク伝送に用いられ、２−３番目のＴＴＩがデータ伝送に用いられず、４番目のＴＴＩがアップリンク伝送に用いられ、
特殊サブフレーム構成１、２、３、６、７及び８において、特殊サブフレームの４つのＴＴＩのうちの１−３番目のＴＴＩがダウンリンク伝送に用いられ、４番目のＴＴＩがアップリンク伝送に用いられ、
特殊サブフレーム構成４において、特殊サブフレームの４つのＴＴＩの１−３番目のうちのＴＴＩがダウンリンク伝送に用いられ、４番目のＴＴＩがアップリンク伝送及び／又はダウンリンク伝送に用いられ、
特殊サブフレーム構成９において、特殊サブフレームの４つのＴＴＩのうちの１−２番目のＴＴＩがダウンリンク伝送に用いられ、３番目のＴＴＩがデータ伝送に用いられず、４番目のＴＴＩがアップリンク伝送に用いられ、
特殊サブフレーム構成１０において、特殊サブフレームの４つのＴＴＩのうちの１−２番目のＴＴＩがダウンリンク伝送に用いられ、３−４番目のＴＴＩがアップリンク伝送に用いられることである。
【００６５】
Ｃ）長さが２つのＯＦＤＭシンボルであるＴＴＩを使用する
【００６６】
長さが２つのＯＦＤＭシンボルであるＴＴＩを使用する場合、上記ステップ１３０で、ＴＤＤフレーム構造の各サブフレームを複数のＴＴＩに分割することは、具体的に、
前記ＴＤＤフレーム構造において、各通常サブフレームの各タイムスロットを７つのＴＴＩに分割し、各通常サブフレームにおけるＴＴＩの伝送方向が該通常サブフレームの伝送方向と同じであり、
前記ＴＤＤフレーム構造において、特殊サブフレームを７つのＴＴＩに分割し、一つの実施形態として、特殊サブフレーム構成０〜１０に対応して、特殊サブフレームの７つのＴＴＩにおけるＤｗＰＴＳ：ＧＰ：ＵｐＰＴＳの比率が順次に、
比率０：２：０：０、１：１：０、０：２：０、０：２：０、０：２：０、０：２：０、０：１：１、
比率１：２：０：０、２：０：０、２：０：０、２：０：０、１：１：０、０：２：０、０：１：１、
比率２：２：０：０、２：０：０、２：０：０、２：０：０、２：０：０、０：２：０、０：１：１、
比率３：２：０：０、２：０：０、２：０：０、２：０：０、２：０：０、１：１：０、０：１：１、
比率４：２：０：０、２：０：０、２：０：０、２：０：０、２：０：０、２：０：０、０：１：１、
比率５：２：０：０、１：１：０、０：２：０、０：２：０、０：２：０、０：２：０、０：０：２、
比率６：２：０：０、２：０：０、２：０：０、２：０：０、１：１：０、０：２：０、０：０：２、
比率７：２：０：０、２：０：０、２：０：０、２：０：０、２：０：０、０：２：０、０：０：２、
比率８：２：０：０、２：０：０、２：０：０、２：０：０、２：０：０、１：１：０、０：０：２、
比率９：２：０：０、２：０：０、２：０：０、０：２：０、０：２：０、０：２：０、０：０：２、
比率１０：２：０：０、２：０：０、２：０：０、０：２：０、０：０：２、０：０：２、０：０：２であり、
ここで、特殊サブフレーム構成０及び５において、特殊サブフレームの７つのＴＴＩのうちの１−２番目のＴＴＩがダウンリンク伝送に用いられ、３−６番目のＴＴＩがデータ伝送に用いられず、７番目のＴＴＩがアップリンク伝送に用いられ、
特殊サブフレーム構成１、２、６、７において、特殊サブフレームの７つのＴＴＩのうちの１−５番目のＴＴＩがダウンリンク伝送に用いられ、６番目のＴＴＩがデータ伝送に用いられず、７番目のＴＴＩがアップリンク伝送に用いられ、
特殊サブフレーム構成３、４、８において、特殊サブフレームの７つのＴＴＩのうちの１−６番目のＴＴＩがダウンリンク伝送に用いられ、７番目のＴＴＩがアップリンク伝送に用いられ、
特殊サブフレーム構成９において、特殊サブフレームの７つのＴＴＩのうちの１−３番目のＴＴＩがダウンリンク伝送に用いられ、４−６番目のＴＴＩがデータ伝送に用いられず、７番目のＴＴＩがアップリンク伝送に用いられ、
特殊サブフレーム構成１０において、特殊サブフレームの７つのＴＴＩのうちの１−３番目のＴＴＩがダウンリンク伝送に用いられ、４番目のＴＴＩがデータ伝送に用いられず、５−７番目のＴＴＩがアップリンク伝送に用いられることである。
【００６７】
以下に新規追加のアップ・ダウンリンク構成１〜３のＴＤＤ構造であり、且つＴＴＩ長さが２つのＯＦＤＭシンボルであるというシーンに対して、上記ステップ１３０の具体的な実施を説明する。当然、上記新規追加のアップ・ダウンリンク構成１〜３のＴＤＤフレーム構造では他の長さのＴＴＩを使用することもでき、紙数を節約するために、説明を省略する。
【００６８】
２）新規追加のアップ・ダウンリンク構成１〜３について
【００６９】
２Ａ）新規追加のアップ・ダウンリンク構成１
【００７０】
上述したように、新規追加のアップ・ダウンリンク構成１の無線フレーム構造は１０つの１ｍｓのサブフレームを含み、それらが順次に、ダウンリンクサブフレーム、特殊サブフレーム、アップリンクサブフレーム、第一の双方向サブフレーム、第一の双方向サブフレーム、ダウンリンクサブフレーム、特殊サブフレーム、アップリンクサブフレーム、第一の双方向サブフレーム、第一の双方向サブフレームであり、ここで、前記第一の双方向サブフレームにおけるダウンリンク：ＧＰ：アップリンクの比率が７：１：６であり、前記特殊サブフレームのＤｗＰＴＳ：ＧＰ：ＵｐＰＴＳの比率が９：１：４である。
【００７１】
長さが２つのＯＦＤＭシンボルであるＴＴＩを使用する場合、上記ステップ１３０で、ＴＤＤフレーム構造の各サブフレームを複数のＴＴＩに分割することは、具体的に、
各サブフレームを７つのＴＴＩに分割し、ここで、アップリンクサブフレーム又はダウンリンクサブフレームにおけるＴＴＩの伝送方向がそれが属するサブフレームの伝送方向と同じであり、
第一の双方向サブフレームの７つのＴＴＩにおけるＤｗＰＴＳ：ＧＰ：ＵｐＰＴＳの比率が順次に、２：０：０、２：０：０、２：０：０、１：１：０、０：０：２、０：０：２、０：０：２であり、且つ第一の双方向サブフレームの１−４番目のＴＴＩがダウンリンク伝送に用いられ、５−７番目のＴＴＩがアップリンク伝送に用いられ、
特殊サブフレームの７つのＴＴＩにおけるＤｗＰＴＳ：ＧＰ：ＵｐＰＴＳの比率が順次に、２：０：０、２：０：０、２：０：０、２：０：０、１：１：０、０：０：２、０：０：２であり、且つ特殊サブフレームの１−５番目のＴＴＩがダウンリンク伝送に用いられ、６−７番目のＴＴＩがアップリンク伝送に用いられることである。
【００７２】
２Ｂ）新規追加のアップ・ダウンリンク構成２
【００７３】
上述したように、新規追加のアップ・ダウンリンク構成２の無線フレーム構造は１０つの１ｍｓのサブフレームを含み、それらが順次に、ダウンリンクサブフレーム、特殊サブフレーム、アップリンクサブフレーム、第二の双方向サブフレーム、第二の双方向サブフレーム、ダウンリンクサブフレーム、特殊サブフレーム、第二の双方向サブフレーム、第二の双方向サブフレーム、第二の双方向サブフレームであり、ここで、前記第二の双方向サブフレームにおけるダウンリンク：ＧＰ：アップリンクの比率が１１：１：２であり、前記特殊サブフレームのＤｗＰＴＳ：ＧＰ：ＵｐＰＴＳの比率が９：１：４であり、
２  ＯＦＤＭシンボルのＴＴＩを使用する場合、上記ステップ１３０で、ＴＤＤフレーム構造の各サブフレームを複数のＴＴＩに分割することは、具体的に、
各サブフレームを７つのＴＴＩに分割し、ここで、アップリンクサブフレーム又はダウンリンクサブフレームにおけるＴＴＩの伝送方向がそれが属するサブフレームの伝送方向と同じであり、
第二の双方向サブフレームの７つのＴＴＩにおけるＤｗＰＴＳ：ＧＰ：ＵｐＰＴＳの比率が順次に、２：０：０、２：０：０、２：０：０、２：０：０、２：０：０、１：１：０、０：０：２であり、且つ第二の双方向サブフレームの１−６番目のＴＴＩがダウンリンク伝送に用いられ、７番目のＴＴＩがアップリンク伝送に用いられ、
特殊サブフレームの７つのＴＴＩにおけるＤｗＰＴＳ：ＧＰ：ＵｐＰＴＳの比率が順次に、２：０：０、２：０：０、２：０：０、２：０：０、１：１：０、０：０：２、０：０：２であり、且つ特殊サブフレームの１−５番目のＴＴＩがダウンリンク伝送に用いられ、６−７番目のＴＴＩがアップリンク伝送に用いられることである。
【００７４】
２Ｃ）新規追加のアップ・ダウンリンク構成３
【００７５】
上述したように、新規追加のアップ・ダウンリンク構成３の無線フレーム構造は１０つの１ｍｓのサブフレームを含み、それらが順次に、ダウンリンクサブフレーム、特殊サブフレーム、アップリンクサブフレーム、第三の双方向サブフレーム、第三の双方向サブフレーム、ダウンリンクサブフレーム、特殊サブフレーム、アップリンクサブフレーム、第三の双方向サブフレーム、第三の双方向サブフレーム、第三の双方向サブフレームであり、ここで、前記第三の双方向サブフレームにおけるダウンリンク：ＧＰ：アップリンクの比率が６：２：６であり、前記特殊サブフレームのＤｗＰＴＳ：ＧＰ：ＵｐＰＴＳの比率が６：２：６である。
【００７６】
長さが２つのＯＦＤＭシンボルであるＴＴＩを使用する場合、上記ステップ１３０で、ＴＤＤフレーム構造の各サブフレームを複数のＴＴＩに分割することは、具体的に、
各サブフレームを７つのＴＴＩに分割し、ここで、アップリンクサブフレーム又はダウンリンクサブフレームにおけるＴＴＩの伝送方向がそれが属するサブフレームの伝送方向と同じであり、
第三の双方向サブフレームの７つのＴＴＩにおけるＤｗＰＴＳ：ＧＰ：ＵｐＰＴＳの比率が順次に、２：０：０、２：０：０、２：０：０、０：２：０、０：０：２、０：０：２、０：０：２であり、且つ第二の双方向サブフレームの１−３番目のＴＴＩがダウンリンク伝送に用いられ、４番目のＴＴＩがデータ伝送に用いられず、５−７番目のＴＴＩがアップリンク伝送に用いられ、
特殊サブフレームの７つのＴＴＩにおけるＤｗＰＴＳ：ＧＰ：ＵｐＰＴＳの比率が順次に、２：０：０、２：０：０、２：０：０、０：２：０、０：０：２、０：０：２、０：０：２であり、且つ特殊サブフレームの１−３番目のＴＴＩがダウンリンク伝送に用いられ、４番目のＴＴＩがデータ伝送に用いられず、５−７番目のＴＴＩがアップリンク伝送に用いられることである。
【００７７】
図３を参照すると、本発明の実施例によるＨＡＲＱフィードバックタイミングを確定する装置は、
現在使用されているＴＤＤフレーム構造の構成を確定するように構成され、前記ＴＤＤフレーム構造の構成がアップ・ダウンリンク構成と特殊サブフレーム構成を含む構成確定ユニット２１と、
現在使用されている伝送時間間隔（ＴＴＩ）の大きさを確定するように構成されるＴＴＩ確定ユニット２２と、
前記ＴＤＤフレーム構造の構成及びＴＴＩの大きさに基づき、ＨＡＲＱプロセスにおけるデータ伝送ＴＴＩとそのフィードバックＴＴＩとの相対位置関係、又は初回伝送ＴＴＩ、フィードバックＴＴＩ及び再送ＴＴＩの間の相対位置関係を確定するように構成される位置確定ユニット２３とを備える。
【００７８】
ここで、位置確定ユニット２３は、各ＨＡＲＱプロセスの初回伝送ＴＴＩの位置を確定し、プリセットフィードバック再送時間関係に基づいて、前記ＴＤＤフレーム構造から該ＨＡＲＱプロセスのフィードバックＴＴＩ及び再送ＴＴＩを選択し、該ＨＡＲＱプロセスのデータ伝送ＴＴＩとそのフィードバックＴＴＩとの相対位置関係、又は初回伝送ＴＴＩ、フィードバックＴＴＩ及び再送ＴＴＩの間の相対位置関係を得るように構成され、一つのＴＴＩがせいぜい一つのＨＡＲＱプロセスのデータを伝送することができ、前記プリセットフィードバック再送時間関係がフィードバックＴＴＩと初回伝送ＴＴＩとの間隔が第一の閾値より大きく、再送ＴＴＩとの間隔が第二の閾値より大きいことを意味する。
【００７９】
選択可能に、上記位置確定ユニット２３は、
ＴＤＤフレーム構造において、第一の伝送ＴＴＩを一つのＨＡＲＱプロセスの初回伝送ＴＴＩとし、プリセットフィードバック再送時間関係を満たし、且つ初回伝送ＴＴＩと再送ＴＴＩとの間隔を最小化させる第一のフィードバックＴＴＩと第一の再送ＴＴＩの位置を確定し、且つ第一の伝送ＴＴＩから第一の再送ＴＴＩの１個前の伝送ＴＴＩまでの伝送ＴＴＩの数ｎを確定するように構成され、前記プリセットフィードバック再送時間関係がフィードバックＴＴＩと初回伝送ＴＴＩとの間隔が第一の閾値より大きく、再送ＴＴＩとの間隔が第二の閾値より大きいことを意味し、前記伝送ＴＴＩがアップリンク伝送ＴＴＩ又はダウンリンク伝送ＴＴＩである初期処理ユニット２３１と、
第一の伝送ＴＴＩから開始するｎ個の同じ方向の伝送ＴＴＩに番号を順次付け、及び、第一の再送ＴＴＩから開始するｎ個の同じ方向の伝送ＴＴＩに番号を順次付け、同じ番号の前後の２つの伝送ＴＴＩがそれぞれ該番号に対応するＨＡＲＱプロセスの初回伝送ＴＴＩ及び再送ＴＴＩであり、各ＨＡＲＱプロセスの初回伝送ＴＴＩと再送ＴＴＩの間に前記プリセットフィードバック再送時間関係を満たすフィードバックＴＴＩが存在するか否かを判定するように構成される番号付けユニット２３２と、
前記判定ユニットが各ＨＡＲＱプロセスの初回伝送ＴＴＩと再送ＴＴＩの間に前記プリセットフィードバック再送時間関係を満たすフィードバックＴＴＩが存在することを判定した場合、ＴＤＤフレーム構造のＨＡＲＱプロセスの数がｎであることを確定し、且つ各ＨＡＲＱプロセスにおけるデータ伝送ＴＴＩとそのフィードバックＴＴＩとの相対位置関係、又は初回伝送ＴＴＩ、フィードバックＴＴＩ及び再送ＴＴＩの間の相対位置関係を得るように構成されるタイミング確定ユニット２３３と、
前記判定ユニットがいずれかのＨＡＲＱプロセスの初回伝送ＴＴＩと再送ＴＴＩの間に前記プリセットフィードバック再送時間関係を満たすフィードバックＴＴＩが存在しないことを判定した場合、ｎの現在の値に１をプラスし、且つ前記第一の再送ＴＴＩを現在の位置の次の同じ方向の伝送ＴＴＩに移動し、且つ前記判定ユニットをトリガするように構成される循環制御ユニット２３４とを含む。
【００８０】
本発明の実施例では、前記タイミング確定ユニットは、
同一のＨＡＲＱプロセスの初回伝送ＴＴＩ及び再送ＴＴＩの位置に基づき、該ＨＡＲＱプロセスの初回伝送ＴＴＩ及び再送ＴＴＩの間に位置し、且つ前記プリセットフィードバック再送時間関係を満たす該ＨＡＲＱプロセスのフィードバックＴＴＩの選択可能位置を確定するように構成される選択可能位置取得ユニットと、
各ＨＡＲＱプロセスの初回伝送ＴＴＩと再送ＴＴＩの位置、及びフィードバックＴＴＩの選択可能位置に基づき、各ＨＡＲＱプロセスのデータ伝送ＴＴＩとそのフィードバックＴＴＩとの相対位置関係、又は初回伝送ＴＴＩ、フィードバックＴＴＩ及び再送ＴＴＩの間の相対位置関係を取得するように構成される取得ユニットとを含む。
【００８１】
選択可能に、前記取得ユニットは、
各ＨＡＲＱプロセスのフィードバックＴＴＩの選択可能位置を確定するように構成される第一の確定ユニットと、
ｘ個の選択可能位置にｙ個のＨＡＲＱプロセスのＨＡＲＱフィードバックを行う必要がある場合、前記ｙ個のＨＡＲＱプロセスのＨＡＲＱフィードバックを前記ｘ個の選択可能位置に均等で割り当て、各選択可能位置にフィードバックするＨＡＲＱプロセスの数がｚ又はｚ＋１個であり、各ＨＡＲＱプロセスのフィードバックＴＴＩの位置を得るように構成され、ｚがｙ／ｘの切り捨てた値である割り当てユニットと、
各ＨＡＲＱプロセスの初回伝送ＴＴＩ、フィードバックＴＴＩ及び再送ＴＴＩの位置に基づき、各ＨＡＲＱプロセスのデータ伝送ＴＴＩとそのフィードバックとの相対位置関係、又は初回伝送ＴＴＩ、フィードバックＴＴＩ及び再送ＴＴＩの間の相対位置関係を出力するように構成される出力ユニットとを含む。
【００８２】
ここで、前記割り当てユニットは、
第一の制約条件及び／又は第二の制約条件に基づき、前記ｙ個のＨＡＲＱプロセスのＨＡＲＱフィードバックを前記ｘ個の選択可能位置に均等で割り当てるように構成され、
前記第一の制約条件は、第一のＨＡＲＱプロセスの初回伝送時間が第二のＨＡＲＱプロセスの初回伝送より早い場合、前記第一のＨＡＲＱプロセスの初回伝送のＨＡＲＱフィードバックが前記第二のＨＡＲＱプロセスの初回伝送のＨＡＲＱフィードバックよりも遅くないことであり、ここで、第二のＨＡＲＱプロセスと第一のＨＡＲＱプロセスが異なるプロセスであり、
前記第二の制約条件は、第一のＨＡＲＱプロセスの一つの伝送ＴＴＩと第三のＨＡＲＱプロセスの一つの伝送ＴＴＩが異なるアップ・ダウンリンク切り替え周期における同じ位置に位置する場合、前記第一のＨＡＲＱプロセスの一つの伝送ＴＴＩのＨＡＲＱフィードバックと第三のＨＡＲＱプロセスの一つの伝送ＴＴＩのＨＡＲＱフィードバックも、異なるアップ・ダウンリンク切り替え周期におけるほかの同じ位置に位置することであり、ここで、第三のＨＡＲＱプロセスと第一のＨＡＲＱプロセスが同一のＨＡＲＱプロセス又は異なるプロセスである。
【００８３】
一つの実施形態として、前記タイミング確定ユニットは具体的に、各ＨＡＲＱプロセスの初回伝送ＴＴＩと再送ＴＴＩの間の前記プリセットフィードバック再送時間関係を満たすいずれかのフィードバックＴＴＩを該ＨＡＲＱプロセスのフィードバックＴＴＩとし、該ＨＡＲＱプロセスのフィードバックＴＴＩの位置を得て、フィードバックＴＴＩと初回伝送ＴＴＩとの相対位置関係を出力するように構成される。
【００８４】
本発明の実施例では、各無線フレームにおいて、該無線フレームに含まれる全てのＴＴＩに番号を順次付け、前記フィードバックＴＴＩと初回伝送ＴＴＩとの相対位置関係は、フィードバックＴＴＩと初回伝送ＴＴＩとのＴＴＩ間隔であり、又は、各サブフレームにおいて、該サブフレームに含まれる全てのＴＴＩに番号を順次付け、前記フィードバックＴＴＩと初回伝送ＴＴＩとの相対位置関係は、フィードバックＴＴＩと初回伝送ＴＴＩとのサブフレーム間隔、それぞれの属するサブフレーム内のフィードバックＴＴＩと初回伝送ＴＴＩの番号である。
【００８５】
選択可能に、上記装置はさらに以下のユニット（図３に示されず）を備える。
【００８６】
分割ユニットであって、前記ＴＤＤフレーム構造のタイプ、及び前記ＴＤＤフレーム構造における特殊サブフレームに使用される特殊サブフレーム構成を確定し、予め設定されたＴＴＩ長さに基づいて、前記ＴＤＤフレーム構造の各サブフレームを複数のＴＴＩに分割し、各ＴＴＩのうちの伝送ＴＴＩ及びフィードバックＴＴＩを確定するように構成され、ここで、前記フィードバックＴＴＩが伝送ＴＴＩの伝送方向と逆であり、前記伝送ＴＴＩがアップリンク伝送ＴＴＩ又はダウンリンク伝送ＴＴＩである。
【００８７】
ここで、前記ＴＤＤフレーム構造は、３ＧＰＰ  ＴＳ  ３６．２１１に定められたＬＴＥ  ＴＤＤアップ・ダウンリンク構成０〜６、新規追加のアップ・ダウンリンク構成１〜３のいずれかの一つであり、
前記特殊サブフレーム構成は３ＧＰＰ  ＴＳ  ３６．２１１に定められた特殊サブフレーム構成０〜９及び新規追加の特殊サブフレーム構成１０を含み、前記特殊サブフレーム構成１０におけるＤｗＰＴＳ：ＧＰ：ＵｐＰＴＳの比率が６：２：６である。
【００８８】
前記ＴＴＩの長さが０．５ｍｓ、４／３のＯＦＤＭシンボル又は２つのＯＦＤＭシンボルであってもよい。
【００８９】
以上に本発明の実施例による方法及び装置を説明した。本発明をよりよく理解することを助けるために、以下に本発明の実施例に記載される方法を応用したいくつかの選択可能なフレーム構造のＨＡＲＱフィードバックタイミング図を参照し、本発明の実施例をさらに説明する。以下の各時間関係はいずれも本発明の実施例の一つの例であり、本発明に対する限定を構成するものではないことが指摘されるべきである。
【００９０】
以下の例に引用された図面におけるフィードバックタイミング図では、それぞれの最小の格子が一つのＴＴＩを表し、「↓ｎ」がダウンリンクＨＡＲＱプロセスｎを表し、「↓ｎ」が所在するＴＴＩがダウンリンクＨＡＲＱプロセスｎのデータを初回伝送又は再送するためのＴＴＩを表し、「↑ｎ」がダウンリンクＨＡＲＱプロセスｎのアップリンクＨＡＲＱフィードバックを表し、「↑ｎ」が所在するＴＴＩがダウンリンクＨＡＲＱプロセスｎのアップリンクＨＡＲＱフィードバックを伝送するためのＴＴＩを表し、「▲ｎ」が所在するＴＴＩがダウンリンクＨＡＲＱプロセスｎのアップリンクＨＡＲＱフィードバックを伝送するための可能なフィードバック位置を表し、「◆」が特殊サブフレームを表し、「↑」がアップリンク方向を表し、「↓」がダウンリンク方向を表し、ＴＴＩにおけるａ：ｂ：ｃがＤｗＰＴＳ：ＧＰ：ＵｐＰＴＳの比率を表す。
【００９１】
例１：ＴＤＤアップ・ダウンリンク構成０
【００９２】
以下に、ＴＤＤアップ・ダウンリンク構成０（それがＴＤＤ比率ＤＳＵＵＵＤＳＵＵＵに対応する）の、異なるＴＴＩ長さにおいて、本発明の実施例に記載される方法に基づいて確定されるフィードバックタイミングを説明する。
【００９３】
Ａ）０．５ｍｓ  ＴＴＩ
【００９４】
０．５ｍｓのＴＴＩを考慮し、即ち１つのＴＴＩに含まれる（ＳＣ−）ＯＦＤＭシンボルの個数が従来の一つのタイムスロット（ｓｌｏｔ）と同じであり、ｎｏｒｍａｌ  ＣＰの状況で７つ（拡張ＣＰの状況で６つである）であり、従来のＬＴＥシステムとの互換性を考慮し、一つの無線フレーム（ｆｒａｍｅ）内のＴＴＩ状況が図４に示される。図４にｎｏｒｍａｌ  ＣＰの状況が示され、且つＴＴＩの無線フレーム内で番号が１〜１９と順次付けられる。サブフレームに対して番号が変化せず、サブフレーム内のみでＴＴＩに番号を付ける場合、各サブフレーム内のＴＴＩ番号が０〜１である。図４に特殊サブフレーム構成０〜９における各ＴＴＩの方向及び特殊サブフレーム内のＴＴＩのＤｗＰＴＳ：ＧＰ：ＵｐＰＴＳの比率が示される。
【００９５】
２つの状況を考慮し、状況１においては、特殊サブフレームにおけるＵｐＰＴＳがＰＤＳＣＨのＨＡＲＱフィードバック情報を伝送できないように設定され、状況２においては、特殊サブフレームにおけるＵｐＰＴＳがＰＤＳＣＨのＨＡＲＱフィードバック情報を伝送できるように設定される。
【００９６】
特殊サブフレーム構成に基づいて、さらに２種類に分割してもよく、一つは特殊サブフレーム構成０、５、９及び１０であり、この設定では、特殊サブフレーム構成はＴＴＩ  ３においてダウンリンク伝送を行わず、もう一つは特殊サブフレーム構成１、２、３、４、６、７、８であり、この設定では、特殊サブフレーム構成はＴＴＩ  ３においてダウンリンク伝送を行うことができる。
【００９７】
状況１における特殊サブフレーム構成０、５、９、及び１の場合：
ＰＤＳＣＨ伝送又は、ＳＰＳ解放を示すＰＤＣＣＨ／ＥＰＤＣＣＨのＨＡＲＱフィードバックタイミングは、図５ａと図５ｂに示すように、合計３つのダウンリンクＨＡＲＱプロセスがあり、ＲＴＴが１０つのＴＴＩで、５ｍｓである。図における１番目のプロセスは、ダウンリンクＴＴＩ  ０において伝送されるＰＤＳＣＨ伝送又はＳＰＳ解放を示すＰＤＣＣＨ／ＥＰＤＤＣＣのフィードバックがＴＴＩ４に位置し、図５ａと図５ｂはそれぞれ異なるＴＴＩ番号付け方式に対応する。
【００９８】
図５ａと図５ｂはＴＤＤアップ・ダウンリンク構成０、特殊サブフレーム構成０、５、９及び１０、対応する０．５ｍｓ  ＴＴＩのダウンリンクＨＡＲＱプロセスのフィードバックタイミングであり、図５ａで無線フレーム内においてＴＴＩに順次に番号を付け、図５ｂで各サブフレーム内においてＴＴＩに順次に番号を付ける。
【００９９】
状況１における特殊サブフレーム構成１、２、３、４、６、７と８の場合：紙数を節約するために、説明を省略する。状況２に対して、特殊サブフレームの２番目のｓｌｏｔがＡＣＫフィードバックを伝送できるか否かはＨＡＲＱタイミングに影響を与えず、ダウンリンクプロセスのＨＡＲＱフィードバックタイミングが状況１と同じである。
【０１００】
これに対応して、ＴＤＤアップ・ダウンリンク構成０、長さが０．５ｍｓであるＴＴＩの場合、ＵＥがＴＴＩ  ｎ−ｋにおいて、ｋ∈Ｋ’、ＰＤＳＣＨ伝送又はダウンリンクＳＰＳ解放を示すＰＤＣＣＨ／ＥＦＰＤＣＣＨを検出し、且つ対応するＨＡＲＱ−ＡＣＫフィードバックを行う必要がある場合、ＵＥはアップリンクＴＴＩ  ｎにおいてＨＡＲＱ−ＡＣＫフィードバックを行う。異なるアップリンクＴＴＩに対応するＫ’の値は表２に示される。ここでｋ∈Ｋ’，Ｋ’：｛ｋ０，ｋ１，…，ｋＭ’−１｝であり、Ｍ’は確定されたＨＡＲＱ時間関係に基づいて、あるアップリンクフィードバックＴＴＩにおいてフィードバックされるダウンリンク伝送ＴＴＩの数を表す。以下の全ての他の構成の第二の番号付け方式に対応する表の説明がこれと同じでり、説明を容易にするために、いくつかの表の説明を簡略化する可能性があるが、表におけるパラメータの意味が変化しない。ここで、アップ・ダウンリンク切り替え周期が５ｍｓであるので、ＴＴＩ番号は従来のＬＴＥの５ｍｓのみに対応してもよく、即ち番号が０〜９である。
【０１０１】
【表２】
2019521564.tif 000004
【０１０２】
表２から分かるように、前記ＴＴＩの長さが０．５ｍｓで、ＴＤＤフレーム構造の構成がＬＴＥ  ＴＤＤアップ・ダウンリンク構成０であり、且つ特殊サブフレームにおけるＵｐＰＴＳがＰＤＳＣＨのＨＡＲＱフィードバック情報を伝送できないように予め設定された場合、
特殊サブフレーム構成０、５、９及び１０であり、且つ無線フレームにおいてＴＴＩに０から番号を順次付けるという番号付け方式を使用する場合、アップリンクＴＴＩ  ｎにおいてダウンリンクＴＴＩ  ｎ−ｋ（ｋ∈Ｋ’）で伝送されるＰＤＳＣＨ又はＳＰＳ解放を示すＰＤＣＣＨ／ＥＰＤＣＣＨのＨＡＲＱフィードバックを行い、そのフィードバックタイミングＫ’の値がＴＴＩ  ４、５、６、１４、１５、１６に対応するＫ’の値であって、いずれも４である。
【０１０３】
特殊サブフレーム構成１、２、３、４、６、７、８であり、且つ無線フレームにおいてＴＴＩに０から番号を順次付けるという番号付け方式を使用する場合、アップリンクＴＴＩ  ｎにおいて、ダウンリンクＴＴＩ  ｎ−ｋ（ｋ∈Ｋ’）で伝送されるＰＤＳＣＨ又はＳＰＳ解放を示すＰＤＣＣＨ／ＥＰＤＣＣＨのＨＡＲＱフィードバックを行い、そのフィードバックタイミングＫ’の値がＴＴＩ４、５、６、７、１４、１５、１６、１７に対応するＫ’の値であって、いずれも４である。
【０１０４】
第二の番号付け方式、即ちサブフレーム内のみにおいてＴＴＩに番号を付ける方式は、ＵＥがサブフレームｎ−ｋのＴＴＩｊにおいて、ｋ∈Ｋ’、ｊの値が０〜Ｊ−１であり、Ｊが一つの１ｍｓサブフレーム内のＴＴＩの個数であり、ＰＤＳＣＨ伝送又は、ダウンリンクＳＰＳ解放を示すＰＤＣＣＨ／ＥＦＰＤＣＣＨを検出し、且つ対応するＨＡＲＱ−ＡＣＫフィードバックを行う必要がある場合、アップリンクサブフレームｎのサブフレーム内のＴＴＩ  ｍにおいて対応するＨＡＲＱ−ＡＣＫフィードバックを行い、フィードバックサブフレームｎに対応し、サブフレーム内のＴＴＩ  ｍに対応する（ｋ，ｊ）値が表３に示される。ここでｋ∈Ｋ’，Ｋ’：｛ｋ０，ｋ１，…，ｋＭ’−１｝、Ｍ’は確定されたＨＡＲＱ時間関係に基づいて、あるアップリンクフィードバックＴＴＩにおいてフィードバックされるダウンリンク伝送ＴＴＩに対応する数を表し、表の行ヘッダーに、２行目がサブフレームの番号ｎに対応し、３行目がサブフレーム内のＴＴＩ番号ｍに対応する。以下の全ての他のの第二の番号付け方式に対応する表の説明がこれと同じであり、説明を容易にするために、いくつかの表の説明を簡略化する可能性があるが、表におけるパラメータの意味が変化しない。
【０１０５】
【表３】
2019521564.tif 000005
【０１０６】
表３から分かるように、前記ＴＴＩの長さが０．５ｍｓで、ＴＤＤフレーム構造の構成がＬＴＥ  ＴＤＤアップ・ダウンリンク構成０であり、且つ特殊サブフレームにおけるＵｐＰＴＳがＰＤＳＣＨのＨＡＲＱフィードバック情報を伝送できないように予め設定された場合：
特殊サブフレーム構成０、５、９及び１０であり、且つ無線フレームにおいてＴＴＩに０から番号を順次付けるという番号付け方式を使用する場合、アップリンクサブフレームｎのサブフレームフレーム内のＴＴＩ  ｍにおいて、対応するサブフレームｎ−ｋ内のＴＴＩ  ｊのＰＤＳＣＨ又はＳＰＳ解放を示すＰＤＣＣＨ／ＥＰＤＣＣＨのＨＡＲＱフィードバックを行い、フィードバックタイミングのダウンリンク関連集合（ｋ，ｊ）は、サブフレーム２のＴＴＩ  ０に対応する（ｋ，ｊ）であって（２，０）であり、サブフレーム２のＴＴＩ  １に対応する（ｋ，ｊ）が（２，１）であり、サブフレーム３のＴＴＩ  ０に対応する（ｋ，ｊ）が（２，０）であり、サブフレーム７のＴＴＩ  ０に対応する（ｋ，ｊ）が（２，０）であり、サブフレーム７のＴＴＩ  １に対応する（ｋ，ｊ）が（２，１）であり、サブフレーム８のＴＴＩ  ０に対応する（ｋ，ｊ）が（２，０）である。
【０１０７】
特殊サブフレーム構成１、２、３、４、６、７、８であり、且つ無線フレームにおいてＴＴＩに０から番号を順次付けるという番号付け方式を使用する場合、アップリンクサブフレームｎ内のＴＴＩ  ｍにおいて対応するサブフレームｎ−ｋ内のＴＴＩ  ｊのＰＤＳＣＨ又はＳＰＳ解放を示すＰＤＣＣＨ／ＥＰＤＣＣＨのＨＡＲＱフィードバックを行い、フィードバックタイミングのダウンリンク関連集合（ｋ，ｊ）がサブフレーム２のＴＴＩ  ０に対応する（ｋ，ｊ）であって（２，０）であり、サブフレーム２のＴＴＩ  １に対応する（ｋ，ｊ）が（２，１）であり、サブフレーム３のＴＴＩ  ０に対応する（ｋ，ｊ）が（２，０）であり、サブフレーム３のＴＴＩ  １に対応する（ｋ，ｊ）が（２，１）であり、サブフレーム７のＴＴＩ  ０に対応する（ｋ，ｊ）が（２，０）であり、サブフレーム７のＴＴＩ  １に対応する（ｋ，ｊ）が（２，１）であり、サブフレーム８のＴＴＩ  ０に対応する（ｋ，ｊ）が（２，０）であり、サブフレーム８のＴＴＩ  １に対応する（ｋ，ｊ）が（２，１）であり、
以下の各表が同様の意味を有するので、主に表の形で説明し、それぞれ文字解釈を行わない。また、紙数を節約するために、以下に表に含まれるＨＡＲＱプロセス情報の関連内容を示す可能性があり、ＨＡＲＱプロセス情報が含まれない行列に対して省略する。
【０１０８】
Ｂ）４／３  ＯＳのＴＴＩ
【０１０９】
１）４／３  ＯＳ（ＳＣ−）ＯＦＤＭ  ｓｙｍｂｏｌｓのＴＴＩを考慮し、即ち従来の１つのタイムスロット（ｓｌｏｔ）の７つの（ＳＣ−）ＯＦＤＭシンボルを２つのＴＴＩに分割し、ここでの一つのＴＴＩの長さが４（ＳＣ−）ＯＦＤＭ  ｓｙｍｂｏｌｓであり、別のＴＴＩの長さが３（ＳＣ−）ＯＦＤＭ  ｓｙｍｂｏｌｓである。以下に説明を容易にするために、アップリンク／ダウンリンクのＳＣ−ＯＦＤＭ  ｓｙｍｂｏｌｓ／ＯＦＤＭ  ｓｙｍｂｏｌｓをＯＳとして統一して説明する。一つの無線フレームｆｒａｍｅ内のＴＴＩの状況が図６に示される。ここでｎｏｒｍａｌ  ＣＰの状況が示され、且つ一つのｓｌｏｔ内の１番目のＴＴＩが４  ＯＳであり、２番目のＴＴＩが３  ＯＳである。サブフレームに対して番号が変化せず、サブフレーム内のみにおいてＴＴＩに番号を付ける場合、各サブフレーム内のＴＴＩ番号が０〜３であり、
２つの状況を考慮し、状況１において特殊サブフレームにおけるＵｐＰＴＳがＰＤＳＣＨのＨＡＲＱフィードバック情報を伝送できないように設定され、状況２において特殊サブフレームにおけるＵｐＰＴＳがＰＤＳＣＨのＨＡＲＱフィードバック情報を伝送できるように設定される。
【０１１０】
状況１：状況１において特殊サブフレームにおけるＵｐＰＴＳがＰＤＳＣＨのＨＡＲＱフィードバック情報を伝送できないように設定され、状況１におけるＰＤＳＣＨ伝送又はＳＰＳ解放を示すＰＤＣＣＨ／ＥＰＤＣＣＨのＨＡＲＱフィードバックタイミングは、異なるサブフレーム構成によってわずかに異なり、
特殊サブフレーム構成０及び５に対して、ダウンリンクＨＡＲＱプロセス及びタイミングが図７ａと図７ｂに示され、図にダウンリンクのプロセスに番号が付けられる。「↑ｎ」のフィードバック位置と比べ、「▲ｎ」はより低いフィードバック遅延を得ることができるが、同一のアップリンクサブフレームのフィードバック負荷が大きい。図７ａは時間を短縮した後のＴＴＩが一つのフレーム（ｆｒａｍｅ）において番号が付けられることに対応し、図７ｂは時間を短縮した後のＴＴＩが各サブフレーム内のみに番号が付けられることに対応する。ＲＴＴ時間は５ｍｓである。
【０１１１】
他の特殊サブフレーム構成に対して、紙数を節約するために、図示により説明しない。
【０１１２】
これに対応して、上記状況１において、ＴＤＤアップ・ダウンリンク構成０、４／３  ＯＳ長さのＴＴＩの場合で、異なるアップリンクＴＴＩに対応するＫ’の値が表４に示される。ここで、アップ・ダウンリンク切り替え周期が５ｍｓであるので、ＴＴＩ番号が従来のＬＴＥの５ｍｓのみに対応してもよく、即ち番号が０〜１９である。表４における［］内の値が最大フィードバック遅延を基準にして定義されたＨＡＲＱタイミングを表し、［］外の値が各アップリンクＴＴＩ均等フィードバックの原則に従って定義されたＨＡＲＱタイミングを表す。
【０１１３】
【表４−１】
2019521564.tif 000006
【０１１４】
【表４−２】
2019521564.tif 000007
【０１１５】
第二の番号付け方式、即ちサブフレーム内のみにおいてＴＴＩに番号を付けるという方式は、フィードバックサブフレームｎに対応し、サブフレーム内のＴＴＩに対応する（ｋ，ｊ）値が表５に示される。
【０１１６】
【表５−１】
2019521564.tif 000008
【０１１７】
【表５−２】
2019521564.tif 000009
【０１１８】
状況２：状況２において特殊サブフレームにおけるＵｐＰＴＳがＰＤＳＣＨのＨＡＲＱフィードバック情報を伝送できるように設定される。４／３  ＯＳ長さのＴＴＩに対して、ＵｐＰＴＳがダウンリンク伝送に対応するＨＡＲＱフィードバック情報を伝送できる場合、いくつかのダウンリンクプロセスに対して、ＨＡＲＱフィードバックがより速くなることができる。例えば、特殊サブフレーム構成０及び５に対して、ＤｗＰＴＳ  ＯＳとＧＰからなるＴＴＩによって、ダウンリンクプロセスを伝送し、ＧＰとＵｐＰＴＳ  ＯＳからなるＴＴＩにおいてアップリンクフィードバックを行うことができると仮定し、ダウンリンクプロセス及びフィードバックが図８ａ及び図８ｂに示され、ここで、図８ａで一つのフレーム（ｆｒａｍｅ）内においてＴＴＩに番号を順次付け、図８ｂで各サブフレーム内のみにおいてＴＴＩに番号を付ける。他の特殊サブフレーム構成に対して、紙数を節約するために、図示により説明しない。これに対応して、ＴＤＤアップ・ダウンリンク構成０、４／３  ＯＳ長さのＴＴＩの場合、異なるアップリンクＴＴＩに対応するＫ’の値が表６に示される。ここで、アップ・ダウンリンク切り替え周期が５ｍｓであるので、ＴＴＩ番号は従来のＬＴＥの５ｍｓのみに対応してもよく、即ち番号が０〜１９である。
【０１１９】
【表６−１】
2019521564.tif 000010
【０１２０】
【表６−２】
2019521564.tif 000011
【０１２１】
第二の番号付け方式、即ちサブフレーム内のみにおいてＴＴＩに番号を付けるという方式に対して、フィードバックサブフレームｎに対応し、サブフレーム内のＴＴＩに対応する（ｋ，ｊ）値が表７に示される。
【０１２２】
【表７−１】
2019521564.tif 000012
【０１２３】
【表７−２】
2019521564.tif 000013
【０１２４】
Ｃ）２  ＯＳ  ＴＴＩ
【０１２５】
２つのＯＳのＴＴＩを考慮し、即ち従来の一つのサブフレームの１４つのＯＳを７つのＴＴＩに分割し、一つの無線フレーム（ｆｒａｍｅ）内のＴＴＩ状況が図９に示される。ここでｎｏｒｍａｌ  ＣＰの状況が示され、且つ構成０に対して、アップ・ダウンリンク切り替え周期が５ｍｓであることを考慮するため、図９に無線フレーム内の先頭の５ｍｓの番号状況が示され、ＴＴＩ番号が３４に達した。一つの無線フレームにおいて番号を順次付ける場合、一つの無線フレーム内の最大ＴＴＩ番号が６９である。サブフレームに対して番号が変化せず、サブフレームのみにおいてＴＴＩに番号を付ける場合、各サブフレーム内のＴＴＩ番号が０〜６である。
【０１２６】
ここで、ダウンリンクＯＳとＧＰからなるＴＴＩがダウンリンクプロセスを伝送でき、ＧＰとアップリンクＯＳからなるＴＴＩがダウンリンクプロセスのＡＣＫ／ＮＡＣＫ情報をフィードバックできると仮定する。この仮定の下で、特殊サブフレーム構成０及び５が同じプロセスとフィードバックタイミングを有し、特殊サブフレーム構成１、２、６、７が同じダウンリンクプロセスとフィードバックタイミングを有し、特殊サブフレーム構成３、４、８が同じダウンリンクプロセスとフィードバックタイミングを有する。他の構成９及び１０の構成のダウンリンクプロセスとフィードバックタイミングが異なる。以下に異なる特殊タイムスロット構成の場合のＰＤＳＣＨ伝送又はＳＰＳ解放を示すＰＤＣＣＨ／ＥＰＤＣＣＨのＨＡＲＱフィードバックタイミングを示し、同様に、ＴＤＤアップ・ダウンリンク構成０のアップ・ダウンリンク切り替え周期が５ｍｓであることを考慮するため、図に各無線フレームの先頭の５ｍｓのＨＡＲＱタイミング状況だけが示され、１０ｍｓの無線フレームを単位としてＴＴＩに番号を付ける場合、ＴＴＩの番号が０〜６９である。サブフレーム内にＴＴＩ番号を付ける場合、サブフレーム０〜９において、各サブフレーム内のＴＴＩが０〜６である。図にＴＴＩ番号０〜３４又はサブフレーム０〜４内のＨＡＲＱタイミング状況だけが示される。
【０１２７】
特殊サブフレーム構成０及び５は、ダウンリンクＨＡＲＱプロセス及びフィードバックが図１０ａと図１０ｂに示され、ここで、
図１０ａで一つのフレーム（ｆｒａｍｅ）内においてＴＴＩに番号を順次付け、図１０ｂで各サブフレーム内のみにおいてＴＴＩに番号を順次付ける。図にダウンリンクのプロセスに番号が付けられる。「↑ｎ」のフィードバック位置と比べ、「▲ｎ」はより低いフィードバック遅延を得ることができるが、同一のアップリンクサブフレームのフィードバック負荷が大きい。ＲＴＴ時間は５ｍｓである。
【０１２８】
他の特殊サブフレーム構成に対して、紙数を節約するために、図示により説明しない。
【０１２９】
これに対応して、ＴＤＤアップ・ダウンリンク構成０、２  ＯＳ長さのＴＴＩの場合で、異なるアップリンクＴＴＩに対応するＫ’の値が表８に示される。ここで、アップ・ダウンリンク切り替え周期が５ｍｓであるので、ＴＴＩ番号が従来のＬＴＥの５ｍｓのみに対応してもよく、即ち番号が０〜３４である。ここで、紙数を節約するため、フィードバック関係に対応しないＴＴＩ番号０〜９、３０〜４４、６５〜６９の例を省略し、また、フィードバックタイミングが同じであるＴＴＩ  ｎ及びｎ＋３５がマージされ、表の完全性から言うと、省略されたＴＴＩ番号に対応する表を回復し、及びマージされたＴＴＩ番号を展開することができる。後の他の構成を省略する可能性があるが、それらのフィードバックと対応するダウンリンク伝送との相対関係に影響を与えない。
【０１３０】
【表８】
2019521564.tif 000014
【０１３１】
第二の番号付け方式、即ちサブフレーム内のみにおいてＴＴＩに番号を付けるという方式に対して、フィードバックサブフレームｎに対応し、サブフレーム内のＴＴＩ  ｍに対応する（ｋ，ｊ）値が表９に示される。
【０１３２】
【表９−１】
2019521564.tif 000015
【０１３３】
【表９−２】
2019521564.tif 000016
【０１３４】
例２：ＴＤＤアップ・ダウンリンク構成１
【０１３５】
ＴＤＤアップ・ダウンリンク構成１について、それがＴＤＤ構成ＤＳＵＵＵＤＳＵＵＵに対応し、０５ｍｓ及び４／３  ＯＦＤＭシンボルのＴＴＩ長さにおいて、本発明の実施例に記載される方法に基づいてフィードバックタイミングを確定することを説明する。
【０１３６】
Ａ）０．５ｍｓ  ＴＴＩ
【０１３７】
０．５ｍｓのＴＴＩを考慮し、即ち１つのＴＴＩに含まれる（ＳＣ−）ＯＦＤＭシンボルの個数が従来の一つのタイムスロット（ｓｌｏｔ）と同じで７つ（拡張ＣＰの状況で６つである）であり、
２つの状況を考慮し、状況１において特殊サブフレームにおけるＵｐＰＴＳがＰＤＳＣＨのＨＡＲＱフィードバック情報を伝送できないように設定され、状況２において特殊サブフレームにおけるＵｐＰＴＳがＰＤＳＣＨのＨＡＲＱフィードバック情報を伝送できるように設定される。
【０１３８】
特殊サブフレーム構成に基づいて、さらに２種類に分割してもよく、一つは特殊サブフレーム構成０、５、９及び１０であり、この特殊サブフレーム構成はＴＴＩ３においてダウンリンク伝送を行わない、もう一つは特殊サブフレーム構成１、２、３、４、６、７、８であり、この特殊サブフレーム構成はＴＴＩ３においてダウンリンク伝送を行う。紙数を節約するために、図面を参照して説明しない。
【０１３９】
これに対応して、ＴＤＤアップ・ダウンリンク構成１、０．５ｍｓＴＴＩ長さの場合、異なるアップリンクＴＴＩに対応するＫ’が表１０に示される。ここで、アップ・ダウンリンク切り替え周期が５ｍｓであるので、ＴＴＩ番号は従来のＬＴＥの５ｍｓのみに対応してもよく、即ち番号が０〜９である。
【０１４０】
【表１０】
2019521564.tif 000017
【０１４１】
第二の番号付け方式、即ちサブフレーム内のみにおいてＴＴＩに番号を付けるという方式に対して、フィードバックサブフレームｎに対応し、サブフレーム内のＴＴＩｍに対応する（ｋ，ｊ）値が表１１に示される。
【０１４２】
【表１１】
2019521564.tif 000018
【０１４３】
Ｂ）４／３  ＯＳ  ＴＴＩ
【０１４４】
４／３（ＳＣ−）ＯＦＤＭシンボルのＴＴＩを考慮し、即ち従来の一つのタイムスロット（ｓｌｏｔ）の７つの（ＳＣ−）ＯＦＤＭシンボルを２つのＴＴＩに分割し、ここでの一つのＴＴＩの長さが４（ＳＣ−）ＯＦＤＭシンボルであり、もう一つのＴＴＩの長さが３（ＳＣ−）ＯＦＤＭシンボルである。２つの状況を考慮し、状況１において特殊サブフレームにおけるＵｐＰＴＳがＰＤＳＣＨのＨＡＲＱフィードバック情報を伝送できないように設定され、状況２において特殊サブフレームにおけるＵｐＰＴＳがＰＤＳＣＨのＨＡＲＱフィードバック情報を伝送できるように設定される。
【０１４５】
状況１：状況１において特殊サブフレームにおけるＵｐＰＴＳがＰＤＳＣＨのＨＡＲＱフィードバック情報を伝送できないように設定される。状況１におけるＰＤＳＣＨ伝送又はＳＰＳ解放を示すＰＤＣＣＨ／ＥＰＤＣＣＨのＨＡＲＱフィードバックタイミングは異なる特殊サブフレーム構成によってわずかに異なる。
【０１４６】
これに対応して、上記状況１で、ＴＤＤアップ・ダウンリンク構成１、４／３  ＯＳ長さのＴＴＩの場合、異なるアップリンクＴＴＩに対応するＫ’が表１２に示される。ここで、アップ・ダウンリンク切り替え周期が５ｍｓであるので、ＴＴＩ番号は従来のＬＴＥの５ｍｓのみに対応してもよく、即ち番号が０〜１９である。
【０１４７】
【表１２−１】
2019521564.tif 000019
【０１４８】
【表１２−２】
2019521564.tif 000020
【０１４９】
第二の番号付け方式、即ちサブフレーム内のみにおいてＴＴＩに番号を付けるという方式に対して、フィードバックサブフレームｎに対応し、サブフレーム内のＴＴＩ  ｍに対応する（ｋ，ｊ）値が表１３に示される。
【０１５０】
【表１３−１】
2019521564.tif 000021
【０１５１】
【表１３−２】
2019521564.tif 000022
【０１５２】
状況２：
状況２において特殊サブフレームにおけるＵｐＰＴＳがＰＤＳＣＨのＨＡＲＱフィードバック情報を伝送できるように設定される。
【０１５３】
４／３  ＯＳ長さのＴＴＩは、ＵｐＰＴＳがダウンリンク伝送に対応するＨＡＲＱフィードバック情報を伝送できる場合、いくつかのダウンリンクプロセスに対して、ＨＡＲＱフィードバックがより速くなることができる。
【０１５４】
これに対応して、ＴＤＤアップ・ダウンリンク構成１、４／３  ＯＳ長さのＴＴＩの場合で、異なるアップリンクＴＴＩに対応するＫ’の値が表１４に示される。ここで、アップ・ダウンリンク切り替え周期が５ｍｓであるので、ＴＴＩ番号が従来のＬＴＥの５ｍｓのみに対応してもよく、即ち番号が０〜１９である。
【０１５５】
【表１４−１】
2019521564.tif 000023
【０１５６】
【表１４−２】
2019521564.tif 000024
【０１５７】
第二の番号付け方式、即ちサブフレーム内のみにおいてＴＴＩに番号を付けるという方式に対して、フィードバックサブフレームｎに対応し、サブフレーム内のＴＴＩｍに対応する（ｋ，ｊ）値が表１５に示される
【０１５８】
【表１５−１】
2019521564.tif 000025
【０１５９】
【表１５−２】
2019521564.tif 000026
【０１６０】
２つのＯＳのＴＴＩを考慮し、即ち従来の一つのサブフレームの１４つのＯＳを７つのＴＴＩに分割する。ここでｎｏｒｍａｌ  ＣＰの状況が示され、アップ・ダウンリンク構成１に対して、アップ・ダウンリンク切り替え周期が５ｍｓであることを考慮し、一つの無線フレーム内に番号を順次付ける場合、無線フレーム内の先頭の５ｍｓのＴＴＩ番号が０〜３４であり、一つの無線フレーム内の最大ＴＴＩ番号が６９である。サブフレームに対して番号が変化せず、サブフレームのみにおいてＴＴＩに番号を付ける場合、各サブフレーム内のＴＴＩ番号が０〜６である。
【０１６１】
ダウンリンクＯＳとＧＰからなるＴＴＩがダウンリンクプロセスを伝送でき、ＧＰとアップリンクＯＳからなるＴＴＩがダウンリンクプロセスのＡＣＫ／ＮＡＣＫ情報をフィードバックできると仮定し、この仮定の下で、特殊サブフレーム構成０及び５が同じプロセスとフィードバックタイミングを有し、特殊サブフレーム構成１、２、６、７が同じダウンリンクプロセスとフィードバックタイミングを有し、特殊サブフレーム構成３、４、８が同じダウンリンクプロセスとフィードバックタイミングを有する。他の構成９と６：２：６の構成のダウンリンクプロセスとフィードバックタイミングが異なる。以下に異なる特殊タイムスロット構成の場合のＰＤＳＣＨ伝送又はＳＰＳ解放を示すＰＤＣＣＨ／ＥＰＤＣＣＨのＨＡＲＱフィードバックタイミングを示し、同様に、ＴＤＤアップ・ダウンリンク構成０のアップ・ダウンリンク切り替え周期が５ｍｓであることを考慮するため、ここで各無線フレームの先頭の５ｍｓのＨＡＲＱタイミングだけが示され、１０ｍｓの無線フレームを単位としてＴＴＩに番号を付ける場合、ＴＴＩの番号が０〜６９である。サブフレーム内においてＴＴＩに番号を付けるとサブフレームが０〜９であり、各サブフレーム内のＴＴＩが０〜６である。
【０１６２】
これに対応して、ＴＤＤアップ・ダウンリンク構成１、２  ＯＳ長さのＴＴＩの場合で、異なるアップリンクＴＴＩに対応するＫ’の値が表１６に示される。ここで、アップ・ダウンリンク切り替え周期が５ｍｓであるので、ＴＴＩ番号が従来のＬＴＥの５ｍｓのみに対応してもよく、即ち番号が０〜３４である。表における「０／３５」がＴＴＩ  ０又はＴＴＩ  ３５を表し、「１／３６」がＴＴＩ  １又はＴＴＩ  ３６……を表す。一つの周期が５ｍｓであり、各周期が３５つのＴＴＩを含むため、３５つのＴＴＩを相互に隔てるＴＴＩが同様のフィードバックタイミングを有する。次の表にも同様の表現がある。
【０１６３】
【表１６】
2019521564.tif 000027
【０１６４】
第二の番号付け方式、即ちサブフレーム内のみにおいてＴＴＩに番号を付けるという方式に対して、フィードバックサブフレームｎに対応し、サブフレーム内のＴＴＩ  ｍに対応する（ｋ，ｊ）値が表１７に示される。
【０１６５】
【表１７】
2019521564.tif 000028
【０１６６】
例３：アップ・ダウンリンク構成２
【０１６７】
Ａ）０．５ｍｓ  ＴＴＩ
【０１６８】
０．５ｍｓのＴＴＩを考慮し、即ち１つのＴＴＩに含まれる（ＳＣ−）ＯＦＤＭシンボルの個数が従来の一つのタイムスロット（ｓｌｏｔ）と同じで７つ（拡張ＣＰの状況で６つである）である。ここでｎｏｒｍａｌ  ＣＰの状況が示される。サブフレームに対して番号が変化せず、サブフレーム内のみにＴＴＩに番号を付ける場合、各サブフレーム内のＴＴＩ番号が０〜１である。
【０１６９】
２つの状況を考慮し、状況１において特殊サブフレームにおけるＵｐＰＴＳがＰＤＳＣＨのＨＡＲＱフィードバック情報を伝送できなく、状況２において特殊サブフレームにおけるＵｐＰＴＳがＰＤＳＣＨのＨＡＲＱフィードバック情報を伝送できる。
【０１７０】
特殊サブフレーム構成に基づいて、さらに２種類に分割してもよく、一つは特殊サブフレーム構成０、５、９及び１０であり、この特殊サブフレーム構成は特殊サブフレームの２番目のＴＴＩがダウンリンク伝送を行わなく、もう一つは特殊サブフレーム構成１、２、３、４、６、７、８であり、この特殊サブフレーム構成は２番目のＴＴＩにおいてダウンリンク伝送を行う。
【０１７１】
状況１における特殊サブフレーム構成０、５、９及び１０の場合、ＰＤＳＣＨ伝送又はＳＰＳ解放を示すＰＤＣＣＨ／ＥＰＤＤＣＣのフィードバックシーケンスに、合計５つのダウンリンクＨＡＲＱプロセスがあり、ＲＴＴが１００個のＴＴＩにおいて７つのプロセスを伝送し、約７．１４３ｍｓである。
【０１７２】
状況１における特殊サブフレーム構成１、２、３、４、６、７、８の場合、ＰＤＳＣＨ伝送又はＳＰＳ解放を示すＰＤＣＣＨ／ＥＰＤＤＣＣのフィードバックシーケンスに、合計１２個のダウンリンクＨＡＲＱプロセスがあり、ＲＴＴが１５個のＴＴＩであり、７．５ｍｓである。
【０１７３】
これに対応して、ＴＤＤアップ・ダウンリンク構成２、０．５ｍｓ長さのＴＴＩの場合、状況１において、異なるアップリンクＴＴＩに対応するＫ’の値が表１８に示される。ここで、アップ・ダウンリンク切り替え周期が５ｍｓであるので、ＴＴＩ番号が従来のＬＴＥの５ｍｓのみに対応してもよく、即ち番号が０〜９である。
【０１７４】
【表１８】
2019521564.tif 000029
【０１７５】
第二の番号付け方式、即ちサブフレーム内のみにおいてＴＴＩに番号を付けるという方式に対して、フィードバックサブフレームｎに対応し、サブフレーム内のＴＴＩ  ｍに対応する（ｋ，ｊ）値が表１９に示される。
【０１７６】
【表１９】
2019521564.tif 000030
【０１７７】
状況２において、アップリンクフィードバックを行うことができる一つのサブフレームが多くなり、ＲＴＴ遅延の低減に役立つ。特殊サブフレーム構成０、５、９及び１０の場合、ＰＤＳＣＨ伝送又はＳＰＳ解放を示すＰＤＣＣＨ／ＥＰＤＣＣＨのＨＡＲＱフィードバックタイミングに、合計９つのダウンリンクプロセスがあり、ＲＴＴが約６．４３ｍｓである。
【０１７８】
状況２に対して、特殊サブフレーム構成１、２、３、４、６、７、８の場合、ＰＤＳＣＨ伝送又はＳＰＳ解放を示すＰＤＣＣＨ／ＥＰＤＣＣＨのＨＡＲＱフィードバックタイミングに、合計１２つのダウンリンクＨＡＲＱプロセスがあり、ＲＴＴが１５つのＴＴＩであり、７．５ｍｓである。
【０１７９】
これに対応して、ＴＤＤアップ・ダウンリンク構成２、０．５ｍｓ長さのＴＴＩの場合で、状況２において、異なるアップリンクＴＴＩに対応するＫ’の値が表２０に示される。ここで、アップ・ダウンリンク切り替え周期が５ｍｓであるので、ＴＴＩ番号が従来のＬＴＥの５ｍｓのみに対応してもよく、即ち番号が０〜９である。
【０１８０】
【表２０】
2019521564.tif 000031
【０１８１】
第二の番号付け方式、即ちサブフレーム内のみにおいてＴＴＩに番号を付けるという方式は、フィードバックｎに対応し、サブフレーム内のＴＴＩ  ｍに対応する（ｋ，ｊ）値が表２１に示される。ここで、ｋ∈Ｋ’、Ｋ’：｛ｋ０，ｋ１，…，ｋＭ’−１｝、Ｍ’が確定されたＨＡＲＱ時間関係に基づいて、あるアップリンクフィードバックＴＴＩにおいてフィードバックされたダウンリンク伝送ＴＴＩに対応する数を表す。
【０１８２】
【表２１】
2019521564.tif 000032
【０１８３】
Ｂ）４／３  ＯＳ  ＴＴＩ
【０１８４】
４／３  ＯＳのＴＴＩを考慮し、即ち従来の１つのタイムスロット（ｓｌｏｔ）の７つのＯＳシンボルを２つのＴＴＩに分割し、ここでの一つのＴＴＩの長さが４  ＯＳであり、別のＴＴＩの長さが３  ＯＳである。ここでｎｏｒｍａｌ  ＣＰの状況を例として説明し、一つのｓｌｏｔ内の１番目のＴＴＩが４  ＯＳで、２番目のＴＴＩが３  ＯＳであってもよく、また１番目のＴＴＩが３つのＯＳで、第二の番目のＴＴＩが４つのＯＳであってもよい。サブフレームに対して番号が変化せず、サブフレーム内のみにおいてＴＴＩに番号を付ける場合、各サブフレーム内のＴＴＩ番号が０〜３である。
【０１８５】
２つの状況を考慮し、状況１において特殊サブフレームにおけるＵｐＰＴＳがＰＤＳＣＨのＨＡＲＱフィードバック情報を伝送できなく、状況２において特殊サブフレームにおけるＵｐＰＴＳがＰＤＳＣＨのＨＡＲＱフィードバック情報を伝送できる。
【０１８６】
状況１：
状況１におけるＰＤＳＣＨ伝送又はＳＰＳ解放を示すＰＤＣＣＨ／ＥＰＤＣＣＨのＨＡＲＱフィードバックタイミングは異なる特殊サブフレーム構成によってわずかに異なり、
特殊サブフレーム構成０及び５に対して、ダウンリンクＨＡＲＱプロセス及びタイミングに、合計１３個のダウンリンクＨＡＲＱプロセスがあり、ＲＴＴが５ｍｓである。
【０１８７】
特殊サブフレーム構成１、２、３、６、７、８に対して、ＤｗＰＴＳ  ＯＳとＧＰからなるＴＴＩにおいてダウンリンクプロセスを伝送すると仮定する場合、ダウンリンクプロセス及びフィードバックに、合計１５個のダウンリンクＨＡＲＱプロセスがあり、ＲＴＴが５ｍｓである。
【０１８８】
特殊サブフレーム構成４に対して、それに対応するＤｗＰＴＳ：ＧＰ：ＵｐＰＴＳが１：１：１であるＴＴＩにおいてダウンリンクプロセスを伝送することができないと仮定する場合、該構成において特殊サブフレーム構成１、２、３、６、７、８のＨＡＲＱタイミングと同じであり、該ＴＴＩにおいてダウンリンクプロセスを伝送することができると仮定する場合、そのダウンリンクプロセス及びＨＡＲＱタイミングに合計１６個のダウンリンクＨＡＲＱプロセスがあり、ＲＴＴが５ｍｓである。
【０１８９】
特殊サブフレーム構成９に対して、ＤｗＰＴＳ  ＯＳとＧＰからなるＴＴＩにおいてダウンリンクプロセスを伝送すると仮定する場合、ダウンリンクプロセス及びフィードバックに、ＲＴＴが５ｍｓであり、合計１４個のダウンリンクＨＡＲＱプロセスがある。
【０１９０】
特殊サブフレーム構成１０に対して、ＤｗＰＴＳ  ＯＳとＧＰからなるＴＴＩにおいてダウンリンクプロセスを伝送すると仮定する場合、ダウンリンクプロセス及びフィードバックに、ＲＴＴが５ｍｓであり、１４個のプロセスがある。
【０１９１】
これに対応して、状況１において、ＴＤＤアップ・ダウンリンク構成２、４／３  ＯＳ長さのＴＴＩの場合、異なるアップリンクＴＴＩに対応するＫ’の値が表２２に示される。ここで、アップ・ダウンリンク切り替え周期が５ｍｓであるので、ＴＴＩ番号は従来のＬＴＥの５ｍｓのみに対応してもよく、即ち番号が０〜１９である。
【０１９２】
【表２２−１】
2019521564.tif 000033
【０１９３】
【表２２−２】
2019521564.tif 000034
【０１９４】
第二の番号付け方式、即ちサブフレーム内のみにおいてＴＴＩに番号を付けるという方式に対して、フィードバックサブフレームｎに対応し、サブフレーム内のＴＴＩ  ｍに対応する（ｋ，ｊ）値が表２３に示される。
【０１９５】
【表２３−１】
2019521564.tif 000035
【０１９６】
【表２３−２】
2019521564.tif 000036
【０１９７】
状況２：
４／３  ＯＳ長さのＴＴＩは、ＵｐＰＴＳがダウンリンク伝送に対応するＨＡＲＱフィードバック情報を伝送できる場合、いくつかのダウンリンクプロセスに対して、ＨＡＲＱフィードバックがより速くなることができる。以下に各特殊サブフレーム構成をそれぞれ分析する。
【０１９８】
特殊サブフレーム構成０及び５に対して、ＤｗＰＴＳ  ＯＳとＧＰからなるＴＴＩにおいてダウンリンクプロセスを伝送し、ＧＰとＵｐＰＴＳ  ＯＳからなるＴＴＩにおいてアップリンクフィードバックを行うことができると仮定し、ダウンリンクプロセス及びフィードバックに合計１３個のダウンリンクＨＡＲＱプロセスがあり、ＲＴＴが５ｍｓである。
【０１９９】
特殊サブフレーム構成１、２、３、６、７、８に対して、ＤｗＰＴＳ  ＯＳとＧＰからなるＴＴＩにおいてダウンリンクプロセスを伝送し、ＧＰとＵｐＰＴＳ  ＯＳからなるＴＴＩにおいてアップリンクフィードバックを行うことができると仮定し、ダウンリンクプロセス及びフィードバックに合計１５個のダウンリンクＨＡＲＱプロセスがあり、ＲＴＴが５ｍｓである。
【０２００】
特殊サブフレーム構成４に対して、それに対応するＤｗＰＴＳ：ＧＰ：ＵｐＰＴＳが１：１：１であるＴＴＩにおいてダウンリンクプロセスを伝送できないと仮定する場合、該構成において特殊サブフレーム構成１、２、３、６、７、８のＨＡＲＱタイミングと同じであり、該ＴＴＩにおいてダウンリンクプロセスを伝送でき、同時に該ＴＴＩの一つのアップリンクＳＣ−ＯＦＤＭシンボルがダウンリンクプロセスのＨＡＲＱフィードバックを行うことができると仮定する場合、そのダウンリンクプロセス及びＨＡＲＱタイミングに、ＲＴＴが依然として５ｍｓであり、合計１６個のダウンリンクＨＡＲＱプロセスがある。
【０２０１】
特殊サブフレーム構成９に対して、ＤｗＰＴＳ  ＯＳとＧＰからなるＴＴＩにおいてダウンリンクプロセスを伝送し、ＧＰとＵｐＰＴＳ  ＯＳからなるＴＴＩにおいてアップリンクフィードバックを行うことができると仮定し、ダウンリンクプロセス及びフィードバックに合計１４個のダウンリンクＨＡＲＱプロセスがあり、ＲＴＴが５ｍｓである。
【０２０２】
特殊サブフレーム構成１０に対して、ＤｗＰＴＳ  ＯＳとＧＰからなるＴＴＩにおいてダウンリンクプロセスを伝送し、ＧＰとＵｐＰＴＳ  ＯＳからなるＴＴＩにおいてアップリンクフィードバックを行うことができると仮定し、ダウンリンクプロセス及びフィードバックに合計１４個のダウンリンクＨＡＲＱプロセスがあり、ＲＴＴが５ｍｓである。
【０２０３】
これに対応して、ＴＤＤアップ・ダウンリンク構成０に対して、４／３  ＯＳ長さのＴＴＩの場合、異なるアップリンクＴＴＩに対応するＫ’の値が表２４に示される。ここで、アップ・ダウンリンク切り替え周期が５ｍｓであるので、ＴＴＩ番号は従来のＬＴＥの５ｍｓのみに対応してもよく、即ち番号が０〜１９である。
【０２０４】
【表２４−１】
2019521564.tif 000037
【０２０５】
【表２４−２】
2019521564.tif 000038
【０２０６】
第二の番号付け方式、即ちサブフレーム内のみにおいてＴＴＩに番号を付けるという方式に対して、フィードバックサブフレームｎに対応し、サブフレーム内のＴＴＩｍに対応する（ｋ，ｊ）値が表２５に示される。
【０２０７】
【表２５−１】
2019521564.tif 000039
【０２０８】
【表２５−２】
2019521564.tif 000040
【０２０９】
Ｃ）２  ＯＳ  ＴＴＩ
【０２１０】
２つのＯＳのＴＴＩを考慮し、即ち従来の一つのサブフレームの１４つのＯＳを７つのＴＴＩに分割する。ここでｎｏｒｍａｌ  ＣＰを例として説明し、アップリンク及び構成２に対して、アップ・ダウンリンク切り替え周期が５ｍｓであることを考慮するため、一つの無線フレーム内の先頭の５ｍｓのＴＴＩ番号が３４に達し、一つの無線フレームにおいて番号を順次付ける場合、一つの無線フレーム内の最大ＴＴＩ番号が６９である。サブフレームに対して番号が変化せず、サブフレームのみにおいてＴＴＩに番号を付ける場合、各サブフレーム内のＴＴＩ番号が０〜６である。
【０２１１】
ダウンリンクＯＳとＧＰからなるＴＴＩにおいてダウンリンクプロセスを伝送でき、ＧＰとアップリンクＯＳからなるＴＴＩにおいてダウンリンクプロセスのＡＣＫ／ＮＡＣＫ情報をフィードバックできると仮定する。この仮定の下で、特殊サブフレーム構成０及び５が同じプロセスとフィードバックタイミングを有し、特殊サブフレーム構成１、２、６、７が同じダウンリンクプロセスとフィードバックタイミングを有し、特殊サブフレーム構成３、４、８が同じダウンリンクプロセスとフィードバックタイミングを有する。他の構成９と６：２：６の構成のダウンリンクプロセスとフィードバックタイミングが異なる。
【０２１２】
以下に異なる特殊タイムスロット構成の場合のＰＤＳＣＨ伝送又はＳＰＳ解放を示すＰＤＣＣＨ／ＥＰＤＣＣＨのＨＡＲＱフィードバックタイミングが示され、同様に、ＴＤＤアップ・ダウンリンク構成２のアップ・ダウンリンク切り替え周期が５ｍｓであることを考慮するため、無線フレームの先頭の５ｍｓのＨＡＲＱタイミングだけが示され、１０ｍｓの無線フレームを単位としてＴＴＩに番号を付ける場合、ＴＴＩの番号が０〜６９である。サブフレーム内においてＴＴＩに番号を付けるとサブフレームが０〜９であり、各サブフレーム内のＴＴＩが０〜６である。
【０２１３】
特殊サブフレーム構成０及び５は、ウンリンクＨＡＲＱプロセス及びタイミングに、ＲＴＴ時間が５ｍｓであり、合計２３個のダウンリンクＨＡＲＱプロセスがある。
【０２１４】
特殊サブフレーム構成１、２、６、７は、ダウンリンクＨＡＲＱプロセス及びタイミングに、ＲＴＴ時間が５ｍｓであり、合計２６個のダウンリンクＨＡＲＱプロセスがある。
【０２１５】
特殊サブフレーム構成３、４、８は、ダウンリンクＨＡＲＱプロセス及びタイミングに、ＲＴＴ時間が５ｍｓであり、合計２７個のダウンリンクＨＡＲＱプロセスがある。
【０２１６】
特殊サブフレーム構成９は、ダウンリンクＨＡＲＱプロセス及びタイミングに、ＲＴＴ時間が５ｍｓであり、合計２４個のダウンリンクＨＡＲＱプロセスがある。
【０２１７】
特殊サブフレーム構成１０は、ダウンリンクＨＡＲＱプロセス及びタイミングに、ＲＴＴ時間が５ｍｓであり、合計２４個のダウンリンクＨＡＲＱプロセスがある。
【０２１８】
これに対応して、ＴＤＤアップ・ダウンリンク構成０、２  ＯＳ長さのＴＴＩの場合で、異なるアップリンクＴＴＩに対応するＫ’の値が表２６に示される。ここで、アップ・ダウンリンク切り替え周期が５ｍｓであるので、ＴＴＩ番号が従来のＬＴＥの５ｍｓのみに対応してもよく、即ち番号が０〜３４である。
【０２１９】
【表２６】
2019521564.tif 000041
【０２２０】
第二の番号付け方式、即ちサブフレーム内のみにおいてＴＴＩに番号を付けるという方式に対して、フィードバックサブフレームｎに対応し、サブフレーム内のＴＴＩ  ｍに対応する（ｋ，ｊ）値が表２７に示される。
【０２２１】
【表２７】
2019521564.tif 000042
【０２２２】
同様に、ＴＤＤアップ・ダウンリンク構成３、４、５、６に対して、対応するダウンリンクＨＡＲＱプロセス設計を行う場合、０．５ｍｓ、４／３  ＯＳ、２  ＯＳ長さのＴＴＩを得ることができる場合、ＵＥがＴＴＩ  ｎ-ｋにおいて、ｋ∈Ｋ’、ＰＤＳＣＨ伝送又は、ダウンリンクＳＰＳ解放を示すＰＤＣＣＨ／ＥＦＰＤＣＣＨを検出し、且つ対応するＨＡＲＱ−ＡＣＫフィードバックを行う必要がある場合、ＵＥはアップリンクＴＴＩ  ｎにおいてＨＡＲＱ−ＡＣＫフィードバックを行う。異なるアップリンクＴＴＩに対応するＫ’の値は表２８に示される。ここで無線フレーム内にＴＴＩに番号を順次付ける状況だけが示され、サブフレーム内にＴＴＩに番号を付けることは、サーブフレームとＴＴＩ番号との対応関係に基づいて得られることができる。
【０２２３】
Ａ）０．５ｍｓ  ＴＴＩ
【０２２４】
ＵｐＰＴＳにおけるＯＳがＡＣＫを伝送しないと仮定する場合、異なるＴＴＩにおけるＫ’の値が表２８に示される。
【０２２５】
【表２８】
2019521564.tif 000043
【０２２６】
ＵｐＰＴＳにおけるＯＳがＡＣＫを伝送すると仮定する場合、異なるＴＴＩにおけるＫの値が表２９に示される。
【０２２７】
【表２９】
2019521564.tif 000044
【０２２８】
Ｂ）  ４／３  ＯＳ  ＴＴＩ
【０２２９】
ＵｐＰＴＳにおけるＯＳがＡＣＫを伝送しない場合、異なるＴＴＩにおけるＫ’の値が表３０に示される。
【０２３０】
【表３０−１】
2019521564.tif 000045
【０２３１】
【表３０−２】
2019521564.tif 000046
【０２３２】
【表３０−３】
2019521564.tif 000047
【０２３３】
【表３０−４】
2019521564.tif 000048
【０２３４】
ＵｐＰＴＳにおけるＯＳがＡＣＫを伝送すると仮定する場合、異なるＴＴＩにおけるＫ’の値が表３１に示される。
【０２３５】
【表３１−１】
2019521564.tif 000049
【０２３６】
【表３１−２】
2019521564.tif 000050
【０２３７】
【表３１−３】
2019521564.tif 000051
【０２３８】
【表３１−４】
2019521564.tif 000052
【０２３９】
Ｃ）２ＯＳ  ＴＴＩ
【０２４０】
ＵｐＰＴＳにおけるＯＳがＡＣＫを伝送しないと仮定する場合、異なるＴＴＩにおけるＫ’の値が表３２に示される。
【０２４１】
【表３２−１】
2019521564.tif 000053
【０２４２】
【表３２−２】
2019521564.tif 000054
【０２４３】
【表３２−３】
2019521564.tif 000055
【０２４４】
【表３２−４】
2019521564.tif 000056
【０２４５】
【表３２−５】
2019521564.tif 000057
【０２４６】
【表３２−６】
2019521564.tif 000058
【０２４７】
その後、本発明の実施例における新規追加の３つのアップ・ダウンリンク構成に基づき、本発明の実施例に記載された方法を応用して得られたＨＡＲＱフィードバックタイミングが示される。
【０２４８】
この新規追加の３つのアップ・ダウンリンク構成に対して、２  ＯＳ長さのＴＴＩの場合で、アップリンクＴＴＩ  ｎにおいてＴＴＩ  ｎ−ｋ（ｋ∈Ｋ’）で伝送されたＰＤＳＣＨ又はＳＰＳ解放を示すＰＤＣＣＨ／ＥＰＤＣＣＨのＨＡＲＱフィードバックを行い、Ｋ’の値が表３３に示される。
【０２４９】
【表３３】
2019521564.tif 000059
【０２５０】
最後、前記プリセットフィードバック再送時間関係における第一の閾値と第二の閾値がいずれも２つのＴＴＩであると仮定する場合、ＴＤＤアップ・ダウンリンク構成２、０．５ｍｓ長さのＴＴＩのＨＡＲＱの時間関係の例が示される。アップリンクＴＴＩ  ｎにおいてＴＴＩ  ｎ-ｋ（ｋ∈Ｋ’）で伝送されたＰＤＳＣＨ又はＳＰＳ解放を示すＰＤＣＣＨ／ＥＰＤＣＣＨのＨＡＲＱフィードバックを行い、Ｋ’の値が表３４（状況１）と表３５（状況２）に示される。
【０２５１】
【表３４】
2019521564.tif 000060
【０２５２】
【表３５】
2019521564.tif 000061
【０２５３】
本発明の実施例は通信装置をさらに提供し、
コンピュータプログラムを記憶するように構成されるメモリと、
前記メモリに接続され、前記コンピュータプログラムを実行することにより、上記のいずれかの技術的解決策によって提供されるハイブリッド自動再送リクエスト（ＨＡＲＱ）におけるフィードバックタイミングを確定する方法を実行することができるように構成されるプロセッサとを備える。
【０２５４】
アプリケーションプロセッサＡＰ（ＡＰ：Ａｐｐｌｉｃａｔｉｏｎ  Ｐｒｏｃｅｓｓｏｒ）、中央プロセッサ（ＣＰＵ：Ｃｅｎｔｒａｌ  Ｐｒｏｃｅｓｓｉｎｇ  Ｕｎｉｔ）、デジタル信号プロセッサ（ＤＳＰ：Ｄｉｇｉｔａｌ  Ｓｉｇｎａｌ  Ｐｒｏｃｅｓｓｏｒ）又はフィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）を含むことができる。
【０２５５】
前記メモリはコンピュータプログラムを非一時的に記憶するように構成される記憶媒体を含むことができる。
【０２５６】
ここでの通信装置は上記の基地局であってもよい。
【０２５７】
前記プロセッサはバスを介して前記メモリに接続され、前記バスが集積回路（ＩＩＣ）バスなどを含むことができる。
【０２５８】
本発明の実施例は、コンピュータ記憶媒体を提供し、前記コンピュータ記憶媒体にコンピュータ実行可能命令が記憶され、前記コンピュータ実行可能命令が上記のいずれかの実施例によるハイブリッド自動再送リクエスト（ＨＡＲＱ）におけるフィードバックタイミングを確定する方法を実行することができる。
【０２５９】
本実施例による記憶媒体は様々なタイプの記憶媒体であってもよく、非一時的記憶媒体として選択されてもよい。
【０２６０】
以上は、本発明の好ましい実施形態に過ぎなく、当業者であれば、本発明の原理に従ってなされた変更は、本発明の範囲内にあると理解されるべきである。
【産業上の利用可能性】
【０２６１】
本発明の実施例によって提供された技術的解決策は、伝送時間間隔ＴＴＩの大きさに基づき、ＨＡＲＱプロセスにおけるデータ伝送ＴＴＩとそのフィードバックとの相対位置関係、又は初回伝送ＴＴＩ、フィードバック及び再送の間の相対位置関係を確定することにより、異なる長さのＴＴＩに対応するＨＡＲＱプロセスの数を確定することができ、且つ上記状況におけるＨＡＲＱフィードバックタイミングを取得し、低遅延的な伝送のためのサポートを提供することができ、工業上の肯定的な効果を奏することができ、且つコンピュータプログラム命令が基地局及び端末に入力される場合、本発明によって提供された技術的解決策を実現し、工業的に実現しやすい特徴を有する。
【図１】
2019521564.tif 000062
【図２ａ】
2019521564.tif 000063
【図２ｂ】
2019521564.tif 000064
【図３】
2019521564.tif 000065
【図４】
2019521564.tif 000066
【図５ａ】
2019521564.tif 000067
【図５ｂ】
2019521564.tif 000068
【図６】
2019521564.tif 000069
【図７ａ】
2019521564.tif 000070
【図７ｂ】
2019521564.tif 000071
【図８ａ】
2019521564.tif 000072
【図８ｂ】
2019521564.tif 000073
【図９】
2019521564.tif 000074
【図１０ａ】
2019521564.tif 000075
【図１０ｂ】
2019521564.tif 000076
【図１１】
2019521564.tif 000077
【図１２】
2019521564.tif 000078
【手続補正書】
【提出日】平成30年11月16日(2018.11.16)
【手続補正１】
【補正対象書類名】特許請求の範囲
【補正対象項目名】全文
【補正方法】変更
【補正の内容】
【特許請求の範囲】
【請求項１】
ハイブリッド自動再送リクエスト（ＨＡＲＱ）におけるフィードバックタイミングを確定する方法であって、
現在使用されているＴＤＤフレーム構造の構成を確定することと、
現在使用されている伝送時間間隔（ＴＴＩ）の大きさを確定することと、
前記ＴＤＤフレーム構造の構成及びＴＴＩの大きさに基づき、ＨＡＲＱプロセスにおけるデータ伝送ＴＴＩとそのフィードバックＴＴＩとの相対位置関係、又は初回伝送ＴＴＩ、フィードバックＴＴＩ及び再送ＴＴＩの間の相対位置関係を確定することとを含む、前記ハイブリッド自動再送リクエスト（ＨＡＲＱ）におけるフィードバックタイミングを確定する方法。
【請求項２】
前記ＴＤＤフレーム構造の構成及びＴＴＩの大きさに基づき、ＨＡＲＱプロセスにおけるデータ伝送ＴＴＩとそのフィードバックＴＴＩとの相対位置関係、又は初回伝送ＴＴＩ、フィードバックＴＴＩ及び再送ＴＴＩの間の相対位置関係を確定することは、
各ＨＡＲＱプロセスの初回伝送ＴＴＩの位置を確定し、且つプリセットフィードバック再送時間関係に基づいて、前記ＴＤＤフレーム構造から該ＨＡＲＱプロセスのフィードバックＴＴＩ及び再送ＴＴＩを選択し、該ＨＡＲＱプロセスのデータ伝送ＴＴＩとそのフィードバックＴＴＩとの相対位置関係、又は初回伝送ＴＴＩ、フィードバックＴＴＩ及び再送ＴＴＩの間の相対位置関係を得て、ここで、一つのＴＴＩが一つだけのＨＡＲＱプロセスのデータを伝送することができ、前記プリセットフィードバック再送時間関係がフィードバックＴＴＩと初回伝送ＴＴＩとの間隔が第一の閾値より大きく、再送ＴＴＩとの間隔が第二の閾値より大きいことを意味することを含むことを特徴とする
請求項１に記載の方法。
【請求項３】
各無線フレームにおいて、該無線フレームに含まれる全てのＴＴＩに番号を順次付け、前記フィードバックＴＴＩと初回伝送ＴＴＩとの相対位置関係は、フィードバックＴＴＩと初回伝送ＴＴＩとのＴＴＩ間隔であり、
又は、
各サブフレームにおいて、該サブフレームに含まれる全てのＴＴＩに番号を順次付け、前記フィードバックＴＴＩと初回伝送ＴＴＩとの相対位置関係は、フィードバックＴＴＩと初回伝送ＴＴＩとのサブフレーム間隔、それぞれが属するサブフレーム内のフィードバックＴＴＩと初回伝送ＴＴＩの番号であることを特徴とする
請求項１〜２のいずれか一項に記載の方法。
【請求項４】
前記ＴＤＤフレーム構造の構成は、前記ＴＤＤフレーム構造のアップ・ダウンリンク構成と特殊サブフレーム構成を含み、ここで、アップ・ダウンリンク構成が３ＧＰＰ  ＴＳ  ３６．２１１に定められたＬＴＥ  ＴＤＤアップ・ダウンリンク構成０〜６のいずれかの一つであり、前記特殊サブフレーム構成が３ＧＰＰ  ＴＳ  ３６．２１１に定められた特殊サブフレーム構成０〜９及び新規追加の特殊サブフレーム構成１０のうちの少なくとも一つを含み、前記特殊サブフレーム構成１０におけるＤｗＰＴＳ：ＧＰ：ＵｐＰＴＳの比率が６：２：６であることを特徴とする
請求項１に記載の方法。
【請求項５】
前記ＴＴＩの長さが０．５ｍｓであり、ＴＤＤフレーム構造の構成がＬＴＥ  ＴＤＤアップ・ダウンリンク構成０である場合、
特殊サブフレーム構成０、５、９又は１０であり、且つ無線フレームにおいてＴＴＩに０から番号を順次付けるという番号付け方式を使用する場合、ＵＥがＴＴＩ  ｎ−ｋにおいて、ｋ∈Ｋ’であり、前記ＵＥに対するＰＤＳＣＨ伝送又は、ダウンリンクＳＰＳ解放を示すＰＤＣＣＨ／ＥＰＤＣＣＨを検出し、且つ対応するＨＡＲＱフィードバックを行う必要がある場合、ＵＥはアップリンクＴＴＩ  ｎにおいてＨＡＲＱ−ＡＣＫフィードバックを行い、異なるフィードバックＴＴＩに対応するＫ’の値として、ＴＴＩ４、５、６、１４、１５、１６に対応するＫ’の値が、いずれも｛４｝であり、
特殊サブフレーム構成１、２、３、４、６、７又は８であり、且つ無線フレームにおいてＴＴＩに０から番号を順次付けるという番号付け方式を使用する場合、ＵＥがＴＴＩ  ｎ−ｋにおいて、ｋ∈Ｋ’であり、前記ＵＥに対するＰＤＳＣＨ伝送又はダウンリンクＳＰＳ解放を示すＰＤＣＣＨ／ＥＰＤＣＣＨを検出し、且つ対応するＨＡＲＱフィードバックを行う必要がある場合、ＵＥはアップリンクＴＴＩ  ｎにおいてＨＡＲＱ−ＡＣＫフィードバックを行い、異なるフィードバックＴＴＩに対応するＫ’の値として、ＴＴＩ  ４、５、６、７、１４、１５、１６、１７に対応するＫ’の値が、いずれも｛４｝であることを特徴とする
請求項１に記載の方法。
【請求項６】
前記ＴＴＩの長さが０．５ｍｓであり、ＴＤＤフレーム構造の構成がＬＴＥ  ＴＤＤアップ・ダウンリンク構成１である場合、
特殊サブフレーム構成０、５、９又は１０であり、且つ無線フレームにおいてＴＴＩに０から番号を順次付けるという番号付け方式を使用する場合、ＵＥがＴＴＩ  ｎ−ｋにおいて、ｋ∈Ｋ’であり、前記ＵＥに対するＰＤＳＣＨ伝送又は、ダウンリンクＳＰＳ解放を示すＰＤＣＣＨ／ＥＰＤＣＣＨを検出し、且つ対応するＨＡＲＱフィードバックを行う必要がある場合、ＵＥはアップリンクＴＴＩ  ｎにおいてＨＡＲＱ−ＡＣＫフィードバックを行い、異なるフィードバックＴＴＩに対応するＫ’の値として、ＴＴＩ  ４、１４に対応するＫ’の値がいずれも｛６，５｝であり、ＴＴＩ  ５、６、７、１５、１６、１７に対応するＫ’の値がいずれも｛５｝であり、
特殊サブフレーム構成１、２、３、４、６、７又は８であり、且つ無線フレームにおいてＴＴＩに０から番号を順次付けるという番号付け方式を使用する場合、ＵＥがＴＴＩ  ｎ−ｋにおいて、ｋ∈Ｋ’であり、前記ＵＥに対するＰＤＳＣＨ伝送又はダウンリンクＳＰＳ解放を示すＰＤＣＣＨ／ＥＰＤＣＣＨを検出し、且つ対応するＨＡＲＱフィードバックを行う必要がある場合、ＵＥはアップリンクＴＴＩ  ｎにおいてＨＡＲＱ−ＡＣＫフィードバックを行い、異なるフィードバックＴＴＩに対応するＫ’の値として、ＴＴＩ  ４、１４に対応するＫ’の値がいずれも｛６，５｝であり、ＴＴＩ  ５、１５に対応するＫ’の値がいずれも｛５，４｝であり、ＴＴＩ  ６、７、１６、１７に対応するＫ’の値がいずれも｛４｝であることを特徴とする
請求項１に記載の方法。
【請求項７】
前記ＴＴＩの長さが０．５ｍｓであり、ＴＤＤフレーム構造の構成がＬＴＥ  ＴＤＤアップ・ダウンリンク構成２である場合、
特殊サブフレーム構成０、５、９又は１０であり、且つ無線フレームにおいてＴＴＩに０から番号を順次付けるという番号付け方式を使用する場合、ＵＥがＴＴＩ  ｎ−ｋにおいて、ｋ∈Ｋ’であり、前記ＵＥに対するＰＤＳＣＨ伝送又は、ダウンリンクＳＰＳ解放を示すＰＤＣＣＨ／ＥＰＤＣＣＨを検出し、且つ対応するＨＡＲＱフィードバックを行う必要がある場合、ＵＥはアップリンクＴＴＩ  ｎにおいてＨＡＲＱ−ＡＣＫフィードバックを行い、異なるフィードバックＴＴＩに対応するＫ’の値として、ＴＴＩ  ４、１４に対応するＫ’の値がいずれも｛１２，８，７，６｝であり、ＴＴＩ  ５、１５に対応するＫ’の値がいずれも｛６，５，４｝であり、
特殊サブフレーム構成１、２、３、４、６、７又は８であり、且つ無線フレームにおいてＴＴＩに０から番号を順次付けるという番号付け方式を使用する場合、ＵＥがＴＴＩ  ｎ−ｋにおいて、ｋ∈Ｋ’であり、前記ＵＥに対するＰＤＳＣＨ伝送又はダウンリンクＳＰＳ解放を示すＰＤＣＣＨ／ＥＰＤＣＣＨを検出し、且つ対応するＨＡＲＱフィードバックを行う必要がある場合、ＵＥはアップリンクＴＴＩ  ｎにおいてＨＡＲＱ−ＡＣＫフィードバックを行い、異なるフィードバックＴＴＩに対応するＫ’の値として、ＴＴＩ  ４、１４に対応するＫ’の値がいずれも｛１２，１１，８，７｝であり、ＴＴＩ  ５、１５に対応するＫ’の値がいずれも｛７，６，５，４｝であることを特徴とする
請求項１に記載の方法。
【請求項８】
前記ＴＴＩの長さが０．５ｍｓであり、ＴＤＤフレーム構造の構成がＬＴＥ  ＴＤＤアップ・ダウンリンク構成３である場合、
特殊サブフレーム構成０、５、９又は１０であり、且つ無線フレームにおいてＴＴＩに０から番号を順次付けるという番号付け方式を使用する場合、ＵＥがＴＴＩ  ｎ−ｋにおいて、ｋ∈Ｋ’であり、前記ＵＥに対するＰＤＳＣＨ伝送又は、ダウンリンクＳＰＳ解放を示すＰＤＣＣＨ／ＥＰＤＣＣＨを検出し、且つ対応するＨＡＲＱフィードバックを行う必要がある場合、ＵＥはアップリンクＴＴＩ  ｎにおいてＨＡＲＱ−ＡＣＫフィードバックを行い、異なるフィードバックＴＴＩに対応するＫ’の値として、ＴＴＩ  ４に対応するＫ’の値がいずれも｛１４，１３，１２｝であり、ＴＴＩ  ５に対応するＫ’の値がいずれも｛１２，１１｝であり、ＴＴＩ  ６に対応するＫ’の値がいずれも｛１１，１０｝であり、ＴＴＩ  ７に対応するＫ’の値がいずれも｛１０，９｝であり、ＴＴＩ  ８に対応するＫ’の値がいずれも｛９，８｝であり、ＴＴＩ  ９に対応するＫ’の値がいずれも｛８，７｝であり、
特殊サブフレーム構成１、２、３、４、６、７又は８であり、且つ無線フレームにおいてＴＴＩに０から番号を順次付けるという番号付け方式を使用する場合、ＵＥがＴＴＩ  ｎ−ｋにおいて、ｋ∈Ｋ’であり、前記ＵＥに対するＰＤＳＣＨ伝送又はダウンリンクＳＰＳ解放を示すＰＤＣＣＨ／ＥＰＤＣＣＨを検出し、且つ対応するＨＡＲＱフィードバックを行う必要がある場合、ＵＥはアップリンクＴＴＩ  ｎにおいてＨＡＲＱ−ＡＣＫフィードバックを行い、異なるフィードバックＴＴＩに対応するＫ’の値として、ＴＴＩ  ４に対応するＫ’の値がいずれも｛１４，１３，１２｝であり、ＴＴＩ  ５に対応するＫ’の値がいずれも｛１２，１１，１０｝であり、ＴＴＩ  ６に対応するＫ’の値がいずれも｛１０，９｝であり、ＴＴＩ  ７に対応するＫ’の値がいずれも｛９，８｝であり、ＴＴＩ  ８に対応するＫ’の値がいずれも｛８，７｝であり、ＴＴＩ  ９に対応するＫ’の値がいずれも｛７，６｝であることを特徴とする
請求項１に記載の方法。
【請求項９】
前記ＴＴＩの長さが０．５ｍｓであり、ＴＤＤフレーム構造の構成がＬＴＥ  ＴＤＤアップ・ダウンリンク構成４である場合、
特殊サブフレーム構成０、５、９又は１０であり、且つ無線フレームにおいてＴＴＩに０から番号を順次付けるという番号付け方式を使用する場合、ＵＥがＴＴＩ  ｎ−ｋにおいて、ｋ∈Ｋ’であり、前記ＵＥに対するＰＤＳＣＨ伝送又は、ダウンリンクＳＰＳ解放を示すＰＤＣＣＨ／ＥＰＤＣＣＨを検出し、且つ対応するＨＡＲＱフィードバックを行う必要がある場合、ＵＥはアップリンクＴＴＩ  ｎにおいてＨＡＲＱ−ＡＣＫフィードバックを行い、異なるフィードバックＴＴＩに対応するＫ’の値として、ＴＴＩ  ４に対応するＫ’の値がいずれも｛１６，１５，１４，１３｝であり、ＴＴＩ  ５に対応するＫ’の値がいずれも｛１３，１２，１１，１０｝であり、ＴＴＩ  ６に対応するＫ’の値がいずれも｛１０，９，８，７｝であり、ＴＴＩ  ７に対応するＫ’の値がいずれも｛７，６，５｝であり、
特殊サブフレーム構成１、２、３、４、６、７又は８であり、且つ無線フレームにおいてＴＴＩに０から番号を順次付けるという番号付け方式を使用する場合、ＵＥがＴＴＩ  ｎ−ｋにおいて、ｋ∈Ｋ’であり、前記ＵＥに対するＰＤＳＣＨ伝送又はダウンリンクＳＰＳ解放を示すＰＤＣＣＨ／ＥＰＤＣＣＨを検出し、且つ対応するＨＡＲＱフィードバックを行う必要がある場合、ＵＥはアップリンクＴＴＩ  ｎにおいてＨＡＲＱ−ＡＣＫフィードバックを行い、異なるフィードバックＴＴＩに対応するＫ’の値として、ＴＴＩ  ４に対応するＫ’の値がいずれも｛１６，１５，１４，１３｝であり、ＴＴＩ  ５に対応するＫ’の値がいずれも｛１３，１２，１１，１０｝であり、ＴＴＩ  ６に対応するＫ’の値がいずれも｛１０，９，８，７｝であり、ＴＴＩ  ７に対応するＫ’の値がいずれも｛７，６，５，４｝であることを特徴とする
請求項１に記載の方法。
【請求項１０】
前記ＴＴＩの長さが０．５ｍｓであり、ＴＤＤフレーム構造の構成がＬＴＥ  ＴＤＤアップ・ダウンリンク構成５である場合、
特殊サブフレーム構成０、５、９又は１０であり、且つ無線フレームにおいてＴＴＩに０から番号を順次付けるという番号付け方式を使用する場合、ＵＥがＴＴＩ  ｎ−ｋにおいて、ｋ∈Ｋ’であり、前記ＵＥに対するＰＤＳＣＨ伝送又は、ダウンリンクＳＰＳ解放を示すＰＤＣＣＨ／ＥＰＤＣＣＨを検出し、且つ対応するＨＡＲＱフィードバックを行う必要がある場合、ＵＥはアップリンクＴＴＩ  ｎにおいてＨＡＲＱ−ＡＣＫフィードバックを行い、異なるフィードバックＴＴＩに対応するＫ’の値として、ＴＴＩ  ４に対応するＫ’の値がいずれも｛２２，１８，１７，１６，１５，１４，１３，１２，１１｝であり、ＴＴＩ  ５に対応するＫ’の値がいずれも｛１１，１０，９，８，７，６，５，４｝であり、
特殊サブフレーム構成１、２、３、４、６、７又は８であり、且つ無線フレームにおいてＴＴＩに０から番号を順次付けるという番号付け方式を使用する場合、ＵＥがＴＴＩ  ｎ−ｋにおいて、ｋ∈Ｋ’であり、前記ＵＥに対するＰＤＳＣＨ伝送又はダウンリンクＳＰＳ解放を示すＰＤＣＣＨ／ＥＰＤＣＣＨを検出し、且つ対応するＨＡＲＱフィードバックを行う必要がある場合、ＵＥはアップリンクＴＴＩ  ｎにおいてＨＡＲＱ−ＡＣＫフィードバックを行い、異なるフィードバックＴＴＩに対応するＫ’の値として、ＴＴＩ  ４に対応するＫ’の値がいずれも｛２２，２１，１８，１７，１６，１５，１４，１３，１２｝であり、ＴＴＩ  ５に対応するＫ’の値がいずれも｛１２，１１，１０，９，８，７，６，５，４｝であることを特徴とする
請求項１に記載の方法。
【請求項１１】
前記ＴＴＩの長さが０．５ｍｓであり、ＴＤＤフレーム構造の構成がＬＴＥ  ＴＤＤアップ・ダウンリンク構成６である場合、
特殊サブフレーム構成０、５、９又は１０であり、且つ無線フレームにおいてＴＴＩに０から番号を順次付けるという番号付け方式を使用する場合、ＵＥがＴＴＩ  ｎ−ｋにおいて、ｋ∈Ｋ’であり、前記ＵＥに対するＰＤＳＣＨ伝送又は、ダウンリンクＳＰＳ解放を示すＰＤＣＣＨ／ＥＰＤＣＣＨを検出し、且つ対応するＨＡＲＱフィードバックを行う必要がある場合、ＵＥはアップリンクＴＴＩ  ｎにおいてＨＡＲＱ−ＡＣＫフィードバックを行い、異なるフィードバックＴＴＩに対応するＫ’の値として、ＴＴＩ  ４、５、６、７、８に対応するＫ’の値がいずれも｛６｝であり、ＴＴＩ  １４、１５、１６に対応するＫ’の値がいずれも｛４｝であり、
特殊サブフレーム構成１、２、３、４、６、７又は８であり、且つ無線フレームにおいてＴＴＩに０から番号を順次付けるという番号付け方式を使用する場合、ＵＥがＴＴＩ  ｎ−ｋにおいて、ｋ∈Ｋ’であり、前記ＵＥに対するＰＤＳＣＨ伝送又はダウンリンクＳＰＳ解放を示すＰＤＣＣＨ／ＥＰＤＣＣＨを検出し、且つ対応するＨＡＲＱフィードバックを行う必要がある場合、ＵＥはアップリンクＴＴＩ  ｎにおいてＨＡＲＱ−ＡＣＫフィードバックを行い、異なるフィードバックＴＴＩに対応するＫ’の値として、ＴＴＩ  ４、５、６、７、８、９に対応するＫ’の値がいずれも｛６｝であり、ＴＴＩ  １４、１５、１６、１７に対応するＫ’の値がいずれも｛４｝であることを特徴とする
請求項１に記載の方法。
【請求項１２】
ＨＡＲＱフィードバックタイミングを確定する装置であって、
現在使用されているＴＤＤフレーム構造の構成を確定するように構成される構成確定ユニットと、
現在使用されている伝送時間間隔（ＴＴＩ）の大きさを確定するように構成されるＴＴＩ確定ユニットと、
前記ＴＤＤフレーム構造の構成及びＴＴＩの大きさに基づき、ＨＡＲＱプロセスにおけるデータ伝送ＴＴＩとそのフィードバックＴＴＩとの相対位置関係、又は初回伝送ＴＴＩ、フィードバックＴＴＩ及び再送ＴＴＩの間の相対位置関係を確定するように構成される位置確定ユニットとを備える、前記ＨＡＲＱフィードバックタイミングを確定する装置。
【請求項１３】
前記位置確定ユニットは、各ＨＡＲＱプロセスの初回伝送ＴＴＩの位置を確定し、プリセットフィードバック再送時間関係に基づいて、前記ＴＤＤフレーム構造から該ＨＡＲＱプロセスのフィードバックＴＴＩ及び再送ＴＴＩを選択し、該ＨＡＲＱプロセスのデータ伝送ＴＴＩとそのフィードバックＴＴＩとの相対位置関係、又は初回伝送ＴＴＩ、フィードバックＴＴＩ及び再送ＴＴＩの間の相対位置関係を得るように構成され、一つのＴＴＩがせいぜい一つのＨＡＲＱプロセスのデータを伝送することができ、前記プリセットフィードバック再送時間関係がフィードバックＴＴＩと初回伝送ＴＴＩとの間隔が第一の閾値より大きく、再送ＴＴＩとの間隔が第二の閾値より大きいことを意味することを特徴とする
請求項１２に記載の装置
【請求項１４】
前記ＴＴＩの長さが０．５ｍｓであり、ＴＤＤフレーム構造の構成がＬＴＥ  ＴＤＤアップ・ダウンリンク構成０である場合、
特殊サブフレーム構成０、５、９又は１０であり、且つ無線フレームにおいてＴＴＩに０から番号を順次付けるという番号付け方式を使用する場合、アップリンクＴＴＩ  ｎにおいて、前記ＵＥに対して、ダウンリンクＴＴＩ  ｎ-ｋ（ｋ∈Ｋ’）で伝送されるＰＤＳＣＨ伝送又は、ＳＰＳ解放を示すＰＤＣＣＨ／ＥＰＤＣＣＨのＨＡＲＱフィードバックを行い、フィードバックタイミングＫ’の値として、ＴＴＩ  ４、５、６、１４、１５、１６に対応するＫ’の値が、いずれも４であり、
特殊サブフレーム構成１、２、３、４、６、７又は８であり、且つ無線フレームにおいてＴＴＩに０から番号を順次付けるという番号付け方式を使用する場合、アップリンクＴＴＩ  ｎにおいて、前記ＵＥに対して、ダウンリンクＴＴＩ  ｎ-ｋ（ｋ∈Ｋ’）で伝送されるＰＤＳＣＨ伝送又は、ＳＰＳ解放を示すＰＤＣＣＨ／ＥＰＤＣＣＨのＨＡＲＱフィードバックを行い、フィードバックタイミングＫ’の値として、ＴＴＩ  ４、５、６、７、１４、１５、１６、１７に対応するＫ’の値が、いずれも４であることを特徴とする
請求項１２に記載の装置。
【請求項１５】
前記ＴＴＩの長さが０．５ｍｓであり、ＴＤＤフレーム構造の構成がＬＴＥ  ＴＤＤアップ・ダウンリンク構成１である場合、
特殊サブフレーム構成０、５、９又は１０であり、且つ無線フレームにおいてＴＴＩに０から番号を順次付けるという番号付け方式を使用する場合、ＵＥがＴＴＩ  ｎ−ｋにおいて、ｋ∈Ｋ’であり、前記ＵＥに対するＰＤＳＣＨ伝送又は、ダウンリンクＳＰＳ解放を示すＰＤＣＣＨ／ＥＰＤＣＣＨを検出し、且つ対応するＨＡＲＱフィードバックを行う必要がある場合、ＵＥはアップリンクＴＴＩ  ｎにおいてＨＡＲＱ−ＡＣＫフィードバックを行い、異なるフィードバックＴＴＩに対応するＫ’の値として、ＴＴＩ  ４、１４に対応するＫ’の値がいずれも｛６，５｝であり、ＴＴＩ  ５、６、７、１５、１６、１７に対応するＫ’の値がいずれも｛５｝であり、
特殊サブフレーム構成１、２、３、４、６、７又は８であり、且つ無線フレームにおいてＴＴＩに０から番号を順次付けるという番号付け方式を使用する場合、ＵＥがＴＴＩ  ｎ−ｋにおいて、ｋ∈Ｋ’であり、前記ＵＥに対するＰＤＳＣＨ伝送又はダウンリンクＳＰＳ解放を示すＰＤＣＣＨ／ＥＰＤＣＣＨを検出し、且つ対応するＨＡＲＱフィードバックを行う必要がある場合、ＵＥはアップリンクＴＴＩ  ｎにおいてＨＡＲＱ−ＡＣＫフィードバックを行い、異なるフィードバックＴＴＩに対応するＫ’の値として、ＴＴＩ  ４、１４に対応するＫ’の値がいずれも｛６，５｝であり、ＴＴＩ  ５、１５に対応するＫ’の値がいずれも｛５，４｝であり、ＴＴＩ  ６、７、１６、１７に対応するＫ’の値がいずれも｛４｝であることを特徴とする
請求項１２に記載の装置。
【請求項１６】
前記ＴＴＩの長さが０．５ｍｓであり、ＴＤＤフレーム構造の構成がＬＴＥ  ＴＤＤアップ・ダウンリンク構成２である場合、
特殊サブフレーム構成０、５、９又は１０であり、且つ無線フレームにおいてＴＴＩに０から番号を順次付けるという番号付け方式を使用する場合、ＵＥがＴＴＩ  ｎ−ｋにおいて、ｋ∈Ｋ’であり、前記ＵＥに対するＰＤＳＣＨ伝送又は、ダウンリンクＳＰＳ解放を示すＰＤＣＣＨ／ＥＰＤＣＣＨを検出し、且つ対応するＨＡＲＱフィードバックを行う必要がある場合、ＵＥはアップリンクＴＴＩ  ｎにおいてＨＡＲＱ−ＡＣＫフィードバックを行い、異なるフィードバックＴＴＩに対応するＫ’の値として、ＴＴＩ  ４、１４に対応するＫ’の値がいずれも｛１２，８，７，６｝であり、ＴＴＩ  ５、１５に対応するＫ’の値がいずれも｛６，５，４｝であり、
特殊サブフレーム構成１、２、３、４、６、７又は８であり、且つ無線フレームにおいてＴＴＩに０から番号を順次付けるという番号付け方式を使用する場合、ＵＥがＴＴＩ  ｎ−ｋにおいて、ｋ∈Ｋ’であり、前記ＵＥに対するＰＤＳＣＨ伝送又はダウンリンクＳＰＳ解放を示すＰＤＣＣＨ／ＥＰＤＣＣＨを検出し、且つ対応するＨＡＲＱフィードバックを行う必要がある場合、ＵＥはアップリンクＴＴＩ  ｎにおいてＨＡＲＱ−ＡＣＫフィードバックを行い、異なるフィードバックＴＴＩに対応するＫ’の値として、ＴＴＩ  ４、１４に対応するＫ’の値がいずれも｛１２，１１，８，７｝であり、ＴＴＩ  ５、１５に対応するＫ’の値がいずれも｛７，６，５，４｝であることを特徴とする
請求項１２に記載の装置。
【請求項１７】
前記ＴＴＩの長さが０．５ｍｓであり、ＴＤＤフレーム構造の構成がＬＴＥ  ＴＤＤアップ・ダウンリンク構成３である場合、
特殊サブフレーム構成０、５、９又は１０であり、且つ無線フレームにおいてＴＴＩに０から番号を順次付けるという番号付け方式を使用する場合、ＵＥがＴＴＩ  ｎ−ｋにおいて、ｋ∈Ｋ’であり、前記ＵＥに対するＰＤＳＣＨ伝送又は、ダウンリンクＳＰＳ解放を示すＰＤＣＣＨ／ＥＰＤＣＣＨを検出し、且つ対応するＨＡＲＱフィードバックを行う必要がある場合、ＵＥはアップリンクＴＴＩ  ｎにおいてＨＡＲＱ−ＡＣＫフィードバックを行い、異なるフィードバックＴＴＩに対応するＫ’の値として、ＴＴＩ  ４に対応するＫ’の値がいずれも｛１４，１３，１２｝であり、ＴＴＩ  ５に対応するＫ’の値がいずれも｛１２，１１｝であり、ＴＴＩ  ６に対応するＫ’の値がいずれも｛１１，１０｝であり、ＴＴＩ  ７に対応するＫ’の値がいずれも｛１０，９｝であり、ＴＴＩ  ８に対応するＫ’の値がいずれも｛９，８｝であり、ＴＴＩ  ９に対応するＫ’の値がいずれも｛８，７｝であり、
特殊サブフレーム構成１、２、３、４、６、７又は８であり、且つ無線フレームにおいてＴＴＩに０から番号を順次付けるという番号付け方式を使用する場合、ＵＥがＴＴＩ  ｎ−ｋにおいて、ｋ∈Ｋ’であり、前記ＵＥに対するＰＤＳＣＨ伝送又はダウンリンクＳＰＳ解放を示すＰＤＣＣＨ／ＥＰＤＣＣＨを検出し、且つ対応するＨＡＲＱフィードバックを行う必要がある場合、ＵＥはアップリンクＴＴＩ  ｎにおいてＨＡＲＱ−ＡＣＫフィードバックを行い、異なるフィードバックＴＴＩに対応するＫ’の値として、ＴＴＩ  ４に対応するＫ’の値がいずれも｛１４，１３，１２｝であり、ＴＴＩ  ５に対応するＫ’の値がいずれも｛１２，１１，１０｝であり、ＴＴＩ  ６に対応するＫ’の値がいずれも｛１０，９｝であり、ＴＴＩ  ７に対応するＫ’の値がいずれも｛９，８｝であり、ＴＴＩ  ８に対応するＫ’の値がいずれも｛８，７｝であり、ＴＴＩ  ９に対応するＫ’の値がいずれも｛７，６｝であることを特徴とする
請求項１２に記載の装置。
【請求項１８】
前記ＴＴＩの長さが０．５ｍｓであり、ＴＤＤフレーム構造の構成がＬＴＥ  ＴＤＤアップ・ダウンリンク構成４である場合、
特殊サブフレーム構成０、５、９又は１０であり、且つ無線フレームにおいてＴＴＩに０から番号を順次付けるという番号付け方式を使用する場合、ＵＥがＴＴＩ  ｎ−ｋにおいて、ｋ∈Ｋ’であり、前記ＵＥに対するＰＤＳＣＨ伝送又は、ダウンリンクＳＰＳ解放を示すＰＤＣＣＨ／ＥＰＤＣＣＨを検出し、且つ対応するＨＡＲＱフィードバックを行う必要がある場合、ＵＥはアップリンクＴＴＩ  ｎにおいてＨＡＲＱ−ＡＣＫフィードバックを行い、異なるフィードバックＴＴＩに対応するＫ’の値として、ＴＴＩ  ４に対応するＫ’の値がいずれも｛１６，１５，１４，１３｝であり、ＴＴＩ  ５に対応するＫ’の値がいずれも｛１３，１２，１１，１０｝であり、ＴＴＩ  ６に対応するＫ’の値がいずれも｛１０，９，８，７｝であり、ＴＴＩ  ７に対応するＫ’の値がいずれも｛７，６，５｝であり、
特殊サブフレーム構成１、２、３、４、６、７又は８であり、且つ無線フレームにおいてＴＴＩに０から番号を順次付けるという番号付け方式を使用する場合、ＵＥがＴＴＩ  ｎ−ｋにおいて、ｋ∈Ｋ’であり、前記ＵＥに対するＰＤＳＣＨ伝送又はダウンリンクＳＰＳ解放を示すＰＤＣＣＨ／ＥＰＤＣＣＨを検出し、且つ対応するＨＡＲＱフィードバックを行う必要がある場合、ＵＥはアップリンクＴＴＩ  ｎにおいてＨＡＲＱ−ＡＣＫフィードバックを行い、異なるフィードバックＴＴＩに対応するＫ’の値として、ＴＴＩ  ４に対応するＫ’の値がいずれも｛１６，１５，１４，１３｝であり、ＴＴＩ  ５に対応するＫ’の値がいずれも｛１３，１２，１１，１０｝であり、ＴＴＩ  ６に対応するＫ’の値がいずれも｛１０，９，８，７｝であり、ＴＴＩ  ７に対応するＫ’の値がいずれも｛７，６，５，４｝であることを特徴とする
請求項１２に記載の装置。
【請求項１９】
前記ＴＴＩの長さが０．５ｍｓであり、ＴＤＤフレーム構造の構成がＬＴＥ  ＴＤＤアップ・ダウンリンク構成５である場合、
特殊サブフレーム構成０、５、９又は１０であり、且つ無線フレームにおいてＴＴＩに０から番号を順次付けるという番号付け方式を使用する場合、ＵＥがＴＴＩ  ｎ−ｋにおいて、ｋ∈Ｋ’であり、前記ＵＥに対するＰＤＳＣＨ伝送又は、ダウンリンクＳＰＳ解放を示すＰＤＣＣＨ／ＥＰＤＣＣＨを検出し、且つ対応するＨＡＲＱフィードバックを行う必要がある場合、ＵＥはアップリンクＴＴＩ  ｎにおいてＨＡＲＱ−ＡＣＫフィードバックを行い、異なるフィードバックＴＴＩに対応するＫ’の値として、ＴＴＩ  ４に対応するＫ’の値がいずれも｛２２，１８，１７，１６，１５，１４，１３，１２，１１｝であり、ＴＴＩ  ５に対応するＫ’の値がいずれも｛１１，１０，９，８，７，６，５，４｝であり、
特殊サブフレーム構成１、２、３、４、６、７又は８であり、且つ無線フレームにおいてＴＴＩに０から番号を順次付けるという番号付け方式を使用する場合、ＵＥがＴＴＩ  ｎ−ｋにおいて、ｋ∈Ｋ’であり、前記ＵＥに対するＰＤＳＣＨ伝送又はダウンリンクＳＰＳ解放を示すＰＤＣＣＨ／ＥＰＤＣＣＨを検出し、且つ対応するＨＡＲＱフィードバックを行う必要がある場合、ＵＥはアップリンクＴＴＩ  ｎにおいてＨＡＲＱ−ＡＣＫフィードバックを行い、異なるフィードバックＴＴＩに対応するＫ’の値として、ＴＴＩ  ４に対応するＫ’の値がいずれも｛２２，２１，１８，１７，１６，１５，１４，１３，１２｝であり、ＴＴＩ  ５に対応するＫ’の値がいずれも｛１２，１１，１０，９，８，７，６，５，４｝であることを特徴とする
請求項１２に記載の装置。
【請求項２０】
前記ＴＴＩの長さが０．５ｍｓであり、ＴＤＤフレーム構造の構成がＬＴＥ  ＴＤＤアップ・ダウンリンク構成６である場合、
特殊サブフレーム構成０、５、９又は１０であり、且つ無線フレームにおいてＴＴＩに０から番号を順次付けるという番号付け方式を使用する場合、ＵＥがＴＴＩ  ｎ−ｋにおいて、ｋ∈Ｋ’であり、前記ＵＥに対するＰＤＳＣＨ伝送又は、ダウンリンクＳＰＳ解放を示すＰＤＣＣＨ／ＥＰＤＣＣＨを検出し、且つ対応するＨＡＲＱフィードバックを行う必要がある場合、ＵＥはアップリンクＴＴＩ  ｎにおいてＨＡＲＱ−ＡＣＫフィードバックを行い、異なるフィードバックＴＴＩに対応するＫ’の値として、ＴＴＩ  ４、５、６、７、８に対応するＫ’の値がいずれも｛６｝であり、ＴＴＩ  １４、１５、１６に対応するＫ’の値がいずれも｛４｝であり、
特殊サブフレーム構成１、２、３、４、６、７又は８であり、且つ無線フレームにおいてＴＴＩに０から番号を順次付けるという番号付け方式を使用する場合、ＵＥがＴＴＩ  ｎ−ｋにおいて、ｋ∈Ｋ’であり、前記ＵＥに対するＰＤＳＣＨ伝送又はダウンリンクＳＰＳ解放を示すＰＤＣＣＨ／ＥＰＤＣＣＨを検出し、且つ対応するＨＡＲＱフィードバックを行う必要がある場合、ＵＥはアップリンクＴＴＩ  ｎにおいてＨＡＲＱ−ＡＣＫフィードバックを行い、異なるフィードバックＴＴＩに対応するＫ’の値として、ＴＴＩ  ４、５、６、７、８、９に対応するＫ’の値がいずれも｛６｝であり、ＴＴＩ  １４、１５、１６、１７に対応するＫ’の値がいずれも｛４｝であることを特徴とする
請求項１２に記載の装置。
【国際調査報告】
2019521564.tif 000079
2019521564.tif 000080
2019521564.tif 000081
2019521564.tif 000082